(57)【要約】【課題】会話音の音圧レベルを低減させながら、秘話特性を向上させることができるボイスキャンセリングパーティション及びボイスキャンセリングユニットを提供する。【解決手段】マイクロフォン２と、マイクロフォン２から出力される音声信号にアクティブノイズコントロール処理を施して該音声信号に対する逆相信号を生成するアクティブノイズコントロール処理部３と、アクティブノイズコントロール処理部３から出力される逆相信号を増幅するアンプ５と、アンプ５によって増幅された逆相信号を音声として出力するスピーカ７と、所定の防諜音信号を発生させる防諜音信号発生部４と、防諜音信号発生部４から出力される防諜音信号を増幅するアンプ６と、アンプ６から出力される増幅された防諜音信号を音声として出力するスピーカ８と、を備える。【選択図】図１
2014228680.tif 000002
【特許請求の範囲】
【請求項１】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
所定の防諜音信号を発生させる防諜音信号発生部と、
前記防諜音信号発生部から出力される前記防諜音信号を増幅する第２のアンプと、
前記第２のアンプから出力される増幅された前記防諜音信号を音声として出力する第２のスピーカと、を備えた、
ボイスキャンセリングパーティション。
【請求項２】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
所定の防諜音信号を発生させる防諜音信号発生部と、
前記防諜音信号発生部から出力される前記防諜音信号を、前記アクティブノイズコントロール処理部から出力される前記逆相信号のレベルに応じて増幅する第２のアンプと、
前記第２のアンプから出力される増幅された前記防諜音信号を音声として出力する第２のスピーカと、を備えた、
ボイスキャンセリングパーティション。
【請求項３】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
所定の防諜音信号を発生させる防諜音信号発生部と、
前記防諜音信号発生部から出力される前記防諜音信号を、前記マイクロフォンから出力される前記音声信号のレベルに応じて増幅する第２のアンプと、
前記第２のアンプから出力される増幅された前記防諜音信号を音声として出力する第２のスピーカと、を備えた、
ボイスキャンセリングパーティション。
【請求項４】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
所定の防諜音信号を発生させる防諜音信号発生部と、
前記防諜音信号発生部から出力される前記防諜音信号の周波数特性を、前記マイクロフォンから出力される前記音声信号の周波数特性に応じて調整する防諜音信号調整部と、
前記防諜音信号調整部から出力される周波数特性が調整された前記防諜音信号を増幅する第２のアンプと、
前記第２のアンプから出力される増幅された前記防諜音信号を音声として出力する第２のスピーカと、を備えた、
ボイスキャンセリングパーティション。
【請求項５】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
前記アクティブノイズコントロール処理部から出力される前記逆相信号に基づき防諜音信号を生成する防諜音信号生成部と、
前記防諜音信号生成部から出力される前記防諜音信号を増幅する第２のアンプと、
前記第２のアンプから出力される増幅された前記防諜音信号を音声として出力する第２のスピーカと、を備えた、
ボイスキャンセリングパーティション。
【請求項６】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
前記マイクロフォンから出力される前記音声信号に基づき防諜音信号を生成する防諜音信号生成部と、
前記防諜音信号生成部から出力される前記防諜音信号を増幅する第２のアンプと、
前記第２のアンプから出力される増幅された前記防諜音信号を音声として出力する第２のスピーカと、を備えた、
ボイスキャンセリングパーティション。
【請求項７】
マイクロフォンと、
前記マイクロフォンから出力される音声信号の低周波成分のみを通過させるローパスフィルタと、
前記ローパスフィルタから出力される前記低周波成分のみにアクティブノイズコントロール処理を施して前記低周波成分に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
高周波成分のみからなる所定の防諜音信号を発生させる防諜音信号発生部と、
前記防諜音信号発生部から出力される前記防諜音信号を増幅する第２のアンプと、
前記第２のアンプから出力される増幅された前記防諜音信号を音声として出力する第２のスピーカと、を備えた、
ボイスキャンセリングパーティション。
【請求項８】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
高周波成分のみからなる所定の防諜音信号を発生させる防諜音信号発生部と、
前記防諜音信号発生部から出力される前記防諜音信号を、前記周波数分割器から出力される前記高周波成分のレベルに応じて増幅する第２のアンプと、
前記第２のアンプから出力される増幅された前記防諜音信号を音声として出力する第２のスピーカと、を備えた、
ボイスキャンセリングパーティション。
【請求項９】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
高周波成分のみからなる所定の防諜音信号を発生させる防諜音信号発生部と、
前記防諜音信号発生部から出力される前記防諜音信号の周波数特性を、前記周波数分割器から出力される前記高周波成分の周波数特性に応じて調整する防諜音信号調整部と、
前記防諜音信号調整部から出力される周波数特性が調整された前記防諜音信号を増幅する第２のアンプと、
前記第２のアンプから出力される増幅された前記防諜音信号を音声として出力する第２のスピーカと、を備えた、
ボイスキャンセリングパーティション。
【請求項１０】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
前記アクティブノイズコントロール処理部から出力される前記逆相信号を増幅する第１のアンプと、
前記第１のアンプから出力される増幅された前記逆相信号を音声として出力する第１のスピーカと、
前記周波数分割器から出力される前記高周波成分に基づき防諜音信号を生成する防諜音信号生成部と、
前記防諜音信号生成部から出力される前記防諜音信号を増幅する第２のアンプと、
前記第２のアンプから出力される増幅された前記防諜音信号を音声として出力する第２のスピーカと、を備えた、
ボイスキャンセリングパーティション。
【請求項１１】
請求項１から請求項１０のいずれか１項に記載のボイスキャンセリングパーティションであって、
前記マイクロフォンはパーティション本体の音源側の面に配置されており、
前記第１のスピーカは前記パーティション本体の上面に配置されており、
前記第２のスピーカは前記パーティション本体の前記音源側の面と反対側の面に配置されている、
ボイスキャンセリングパーティション。
【請求項１２】
マイクロフォンと、
前記マイクロフォンから出力される音声信号にアクティブノイズコントロール処理を施して前記音声信号に対する逆相信号を生成するアクティブノイズコントロール処理部と、
所定の防諜音信号を発生させる防諜音信号発生部と、
前記アクティブノイズコントロール処理部から出力される前記逆相信号と、前記防諜音信号発生部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１３】
マイクロフォンと、
前記マイクロフォンから出力される音声信号にアクティブノイズコントロール処理を施して前記音声信号に対する逆相信号を生成するアクティブノイズコントロール処理部と、
所定の防諜音信号を発生させる防諜音信号発生部と、
前記防諜音信号発生部から出力される前記防諜音信号を、前記アクティブノイズコントロール処理部から出力される前記逆相信号のレベルに基づき調整する防諜音信号調整部と、
前記アクティブノイズコントロール処理部から出力される前記逆相信号と、前記防諜音信号調整部から出力される調整された前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１４】
マイクロフォンと、
前記マイクロフォンから出力される音声信号にアクティブノイズコントロール処理を施して前記音声信号に対する逆相信号を生成するアクティブノイズコントロール処理部と、
所定の防諜音信号を発生させる防諜音信号発生部と、
前記防諜音信号発生部から出力される前記防諜音信号を、前記マイクロフォンから出力される前記音声信号のレベルに基づき調整する防諜音信号調整部と、
前記アクティブノイズコントロール処理部から出力される前記逆相信号と、前記防諜音信号調整部から出力される調整された前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１５】
マイクロフォンと、
前記マイクロフォンから出力される音声信号にアクティブノイズコントロール処理を施して前記音声信号に対する逆相信号を生成するアクティブノイズコントロール処理部と、
所定の防諜音信号を発生させる防諜音信号発生部と、
前記防諜音信号発生部から出力される前記防諜音信号の周波数特性を、前記マイクロフォンから出力される前記音声信号の周波数特性に応じて調整する防諜音信号調整部と、
前記アクティブノイズコントロール処理部から出力される前記逆相信号と、前記防諜音信号調整部から出力される周波数特性が調整された前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１６】
マイクロフォンと、
前記マイクロフォンから出力される音声信号にアクティブノイズコントロール処理を施して前記音声信号に対する逆相信号を生成するアクティブノイズコントロール処理部と、
前記アクティブノイズコントロール処理部から出力される前記逆相信号に基づき防諜音信号を生成する防諜音信号生成部と、
前記アクティブノイズコントロール処理部から出力される前記逆相信号と、前記防諜音信号生成部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１７】
マイクロフォンと、
前記マイクロフォンから出力される音声信号にアクティブノイズコントロール処理を施して前記音声信号に対する逆相信号を生成するアクティブノイズコントロール処理部と、
前記マイクロフォンから出力される前記音声信号に基づき防諜音信号を生成する防諜音信号生成部と、
前記アクティブノイズコントロール処理部から出力される前記逆相信号と、前記防諜音信号生成部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１８】
マイクロフォンと、
前記マイクロフォンから出力される音声信号の低周波成分のみを通過させるローパスフィルタと、
前記ローパスフィルタから出力される前記低周波成分のみにアクティブノイズコントロール処理を施して前記低周波成分に対する逆相信号を生成するアクティブノイズコントロール処理部と、
高周波成分のみからなる所定の防諜音信号を発生させる防諜音信号発生部と、
前記アクティブノイズコントロール処理部から出力される前記逆相信号と、前記防諜音信号発生部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項１９】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
高周波成分のみからなる所定の防諜音信号を発生させる防諜音信号発生部と、
前記防諜音信号発生部から出力される前記防諜音信号を、前記周波数分割器から出力される前記高周波成分のレベルに応じて調整する防諜音信号調整部と、
前記アクティブノイズコントロール処理部から出力される前記逆相信号と、前記防諜音信号調整部から出力される調整された前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項２０】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
高周波成分のみからなる所定の防諜音信号を発生させる防諜音信号発生部と、
前記防諜音信号発生部から出力される前記防諜音信号の周波数特性を、前記周波数分割器から出力される前記高周波成分の周波数特性に応じて調整する防諜音信号調整部と、
前記アクティブノイズコントロール処理部から出力される前記逆相信号と、前記防諜音信号調整部から出力される周波数特性が調整された前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項２１】
マイクロフォンと、
前記マイクロフォンから出力される音声信号を低周波成分と高周波成分とに分割する周波数分割器と、
前記周波数分割器から出力される前記低周波成分にアクティブノイズコントロール処理を施して前記低周波成分に対する逆相信号を生成するアクティブノイズコントロール処理部と、
前記周波数分割器から出力される前記高周波成分に基づき防諜音信号を生成する防諜音信号生成部と、
前記アクティブノイズコントロール処理部から出力される前記逆相信号と、前記防諜音信号生成部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項２２】
請求項１２から請求項２１のいずれか１項に記載のボイスキャンセリングパーティションであって、
前記マイクロフォンはパーティション本体の音源側の面に配置されており、
前記スピーカは前記パーティション本体の上面に配置されている、
ボイスキャンセリングパーティション。
【請求項２３】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第２のアンプと、
前記第２のアンプから出力される増幅された前記第２の逆相信号を音声として出力する第２のスピーカと、
所定の防諜音信号を発生させる防諜音信号発生部と、
前記防諜音信号発生部から出力される前記防諜音信号を増幅する第３及び第４のアンプと、
前記第３のアンプから出力される増幅された前記防諜音信号を音声として出力する第３のスピーカと、
前記第４のアンプから出力される増幅された前記防諜音信号を音声として出力する第４のスピーカと、を備えた、
ボイスキャンセリングパーティション。
【請求項２４】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
所定の第１の防諜音信号を発生させる第１の防諜音信号発生部と、
前記第１の防諜音信号発生部から出力される前記第１の防諜音信号を、前記第１のアクティブノイズコントロール処理部から出力される前記第１の逆相信号のレベルに応じて増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
所定の第２の防諜音信号を発生させる第２の防諜音信号発生部と、
前記第２の防諜音信号発生部から出力される前記第２の防諜音信号を、前記第２のアクティブノイズコントロール処理部から出力される前記第２の逆相信号のレベルに応じて増幅する第４のアンプと、
前記第４のアンプから出力される増幅された前記第２の防諜音信号を音声として出力する第４のスピーカと、を備えた、
ボイスキャンセリングパーティション。
【請求項２５】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
所定の第１の防諜音信号を発生させる第１の防諜音信号発生部と、
前記第１の防諜音信号発生部から出力される前記第１の防諜音信号を、前記第１のマイクロフォンから出力される前記第１の音声信号のレベルに応じて増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
所定の第２の防諜音信号を発生させる第２の防諜音信号発生部と、
前記第２の防諜音信号発生部から出力される前記第２の防諜音信号を、前記第２のマイクロフォンから出力される前記第２の音声信号のレベルに応じて増幅する第４のアンプと、
前記第４のアンプから出力される増幅された前記第２の防諜音信号を音声として出力する第４のスピーカと、を備えた、
ボイスキャンセリングパーティション。
【請求項２６】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
所定の第１の防諜音信号を発生させる第１の防諜音信号発生部と、
前記第１の防諜音信号発生部から出力される前記第１の防諜音信号の周波数特性を、前記第１のマイクロフォンから出力される前記第１の音声信号の周波数特性に応じて調整する第１の防諜音信号調整部と、
前記第１の防諜音信号調整部から出力される周波数特性が調整された前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
所定の第２の防諜音信号を発生させる第２の防諜音信号発生部と、
前記第２の防諜音信号発生部から出力される前記第２の防諜音信号の周波数特性を、前記第２のマイクロフォンから出力される前記第２の音声信号の周波数特性に応じて調整する第２の防諜音信号調整部と、
前記第２の防諜音信号調整部から出力される周波数特性が調整された前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項２７】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
前記第１のアクティブノイズコントロール処理部から出力される前記第１の逆相信号に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
前記第２のアクティブノイズコントロール処理部から出力される前記第２の逆相信号に基づき第２の防諜音信号を生成する第２の防諜音信号生成部と、
前記第２の防諜音信号生成部から出力される前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項２８】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
前記第１のマイクロフォンから出力される前記第１の音声信号に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
前記第２のマイクロフォンから出力される前記第２の音声信号に基づき第２の防諜音信号を生成する第２の防諜音信号生成部と、
前記第２の防諜音信号生成部から出力される前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項２９】
第１のマイクロフォンと、
前記第１のマイクロフォンから出力される第１の音声信号の低周波成分のみを通過させる第１のローパスフィルタと、
前記第１のローパスフィルタから出力される前記低周波成分のみにアクティブノイズコントロール処理を施して前記低周波成分に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号の低周波成分のみを通過させる第２のローパスフィルタと、
前記第２のローパスフィルタから出力される前記低周波成分のみにアクティブノイズコントロール処理を施して前記低周波成分に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
高周波成分のみからなる所定の第２の防諜音信号を発生させる第２の防諜音信号発生部と、
前記第２の防諜音信号発生部から出力される前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項３０】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号を、前記第１の周波数分割器から出力される前記高周波成分のレベルに応じて増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
高周波成分のみからなる所定の第２の防諜音信号を発生させる第２の防諜音信号発生部と、
前記第２の防諜音信号発生部から出力される前記第２の防諜音信号を、前記第２の周波数分割器から出力される前記高周波成分のレベルに応じて増幅する第４のアンプと、
前記第４のアンプから出力される増幅された前記第２の防諜音信号を音声として出力する第４のスピーカと、を備えた、
ボイスキャンセリングパーティション。
【請求項３１】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号の周波数特性を、前記第１の周波数分割器から出力される前記高周波成分の周波数特性に応じて調整する第１の防諜音信号調整部と、
前記第１の防諜音信号調整部から出力される周波数特性が調整された前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
高周波成分のみからなる所定の第２の防諜音信号を発生させる第２の防諜音信号発生部と、
前記第２の防諜音信号発生部から出力される前記第２の防諜音信号の周波数特性を、前記第２の周波数分割器から出力される前記高周波成分の周波数特性に応じて調整する第２の防諜音信号調整部と、
前記第２の防諜音信号調整部から出力される周波数特性が調整された前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項３２】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
前記第１のアクティブノイズコントロール処理部から出力される前記第１の逆相信号を増幅する第１のアンプと、
前記第１のアンプから出力される増幅された前記第１の逆相信号を音声として出力する第１のスピーカと、
前記第１の周波数分割器から出力される前記高周波成分に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第２のアクティブノイズコントロール処理部から出力される前記第２の逆相信号を増幅する第３のアンプと、
前記第３のアンプから出力される増幅された前記第２の逆相信号を音声として出力する第３のスピーカと、
前記第２の周波数分割器から出力される前記高周波成分に基づき第２の防諜音信号を生成する第２の防諜音信号生成部と、
前記第２の防諜音信号生成部から出力される前記第２の防諜音信号を増幅する第４のアンプと、
前記第４のアンプから出力される増幅された前記第２の防諜音信号を音声として出力する第４のスピーカと、を備えた、
ボイスキャンセリングパーティション。
【請求項３３】
請求項２３から請求項３２のいずれか１項に記載のボイスキャンセリングパーティションであって、
前記第１のマイクロフォンはパーティション本体の第１の音源側の面に配置されており、
前記第１のスピーカは前記パーティション本体の上面に配置されており、
前記第２のスピーカは前記パーティション本体の前記第１の音源側の面と反対側にある第２の音源側の面に配置されており、
前記第２のマイクロフォンは前記パーティション本体の前記第２の音源側の面に配置されており、
前記第３のスピーカは前記パーティション本体の上面に配置されており、
前記第４のスピーカは前記パーティション本体の前記第１の音源側の面に配置されている、
ボイスキャンセリングパーティション。
【請求項３４】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
所定の防諜音信号を発生させる防諜音信号発生部と、
前記防諜音信号発生部から出力される前記防諜音信号を増幅する第２及び第３のアンプと、
前記第２のアンプから出力される増幅された前記防諜音信号を音声として出力する第２のスピーカと、
前記第３のアンプから出力される増幅された前記防諜音信号を音声として出力する第３のスピーカと、を備えた、
ボイスキャンセリングパーティション。
【請求項３５】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
所定の第１の防諜音信号を発生させる第１の防諜音信号発生部と、
前記第１の防諜音信号発生部から出力される前記第１の防諜音信号を、前記第１のアクティブノイズコントロール処理部から出力される前記第１の逆相信号のレベルに応じて増幅する第２のアンプと、
前記第２のアンプから出力される増幅された前記第１の防諜音信号を音声として出力する第２のスピーカと、
所定の第２の防諜音信号を発生させる第２の防諜音信号発生部と、
前記第２の防諜音信号発生部から出力される前記第２の防諜音信号を、前記第２のアクティブノイズコントロール処理部から出力される前記第２の逆相信号のレベルに応じて増幅する第３のアンプと、
前記第３のアンプから出力される増幅された前記第２の防諜音信号を音声として出力する第３のスピーカと、を備えた、
ボイスキャンセリングパーティション。
【請求項３６】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
所定の第１の防諜音信号を発生させる第１の防諜音信号発生部と、
前記第１の防諜音信号発生部から出力される前記第１の防諜音信号を、前記第１のマイクロフォンから出力される前記第１の音声信号のレベルに応じて増幅する第２のアンプと、
前記第２のアンプから出力される増幅された前記第１の防諜音信号を音声として出力する第２のスピーカと、
所定の第２の防諜音信号を発生させる第２の防諜音信号発生部と、
前記第２の防諜音信号発生部から出力される前記第２の防諜音信号を、前記第２のマイクロフォンから出力される前記第２の音声信号のレベルに応じて増幅する第３のアンプと、
前記第３のアンプから出力される増幅された前記第２の防諜音信号を音声として出力する第３のスピーカと、を備えた、
ボイスキャンセリングパーティション。
【請求項３７】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
所定の第１の防諜音信号を発生させる第１の防諜音信号発生部と、
前記第１の防諜音信号発生部から出力される前記第１の防諜音信号の周波数特性を、前記第１のマイクロフォンから出力される前記第１の音声信号の周波数特性に応じて調整する第１の防諜音信号調整部と、
前記第１の防諜音信号調整部から出力される周波数特性が調整された前記第１の防諜音信号を増幅する第２のアンプと、
前記第２のアンプから出力される増幅された前記第１の防諜音信号を音声として出力する第２のスピーカと、
所定の第２の防諜音信号を発生させる第２の防諜音信号発生部と、
前記第２の防諜音信号発生部から出力される前記第２の防諜音信号の周波数特性を、前記第２のマイクロフォンから出力される前記第２の音声信号の周波数特性に応じて調整する第２の防諜音信号調整部と、
前記第２の防諜音信号調整部から出力される周波数特性が調整された前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項３８】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
前記第１のアクティブノイズコントロール処理部から出力される前記第１の逆相信号に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
前記第２のアクティブノイズコントロール処理部から出力される前記第２の逆相信号に基づき第２の防諜音信号を生成する第２の防諜音信号生成部と、
前記第２の防諜音信号生成部から出力される前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項３９】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
前記第１のマイクロフォンから出力される前記第１の音声信号に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
前記第２のマイクロフォンから出力される前記第２の音声信号に基づき第２の防諜音信号を生成する第２の防諜音信号生成部と、
前記第２の防諜音信号生成部から出力される前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項４０】
第１のマイクロフォンと、
前記第１のマイクロフォンから出力される第１の音声信号の低周波成分のみを通過させる第１のローパスフィルタと、
前記第１のローパスフィルタから出力される前記低周波成分のみにアクティブノイズコントロール処理を施して前記低周波成分に対する第１の逆相信号を生成する第１のアクティブノイズコントロール処理部と、
第２のマイクロフォンと、
前記第２のマイクロフォンから出力される第２の音声信号の低周波成分のみを通過させる第２のローパスフィルタと、
前記第２のローパスフィルタから出力される前記低周波成分のみにアクティブノイズコントロール処理を施して前記低周波成分に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号を増幅する第２のアンプと、
前記第２のアンプから出力される増幅された前記第１の防諜音信号を音声として出力する第２のスピーカと、
高周波成分のみからなる所定の第２の防諜音信号を発生させる第２の防諜音信号発生部と、
前記第２の防諜音信号発生部から出力される前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項４１】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号を、前記第１の周波数分割器から出力される前記高周波成分のレベルに応じて増幅する第２のアンプと、
前記第２のアンプから出力される増幅された前記第１の防諜音信号を音声として出力する第２のスピーカと、
高周波成分のみからなる所定の第２の防諜音信号を発生させる第２の防諜音信号発生部と、
前記第２の防諜音信号発生部から出力される前記第２の防諜音信号を、前記第２の周波数分割器から出力される前記高周波成分のレベルに応じて増幅する第３のアンプと、
前記第３のアンプから出力される増幅された前記第２の防諜音信号を音声として出力する第３のスピーカと、を備えた、
ボイスキャンセリングパーティション。
【請求項４２】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
高周波成分のみからなる所定の第１の防諜音信号を発生させる第１の防諜音信号発生部と、
前記第１の防諜音信号発生部から出力される前記第１の防諜音信号の周波数特性を、前記第１の周波数分割器から出力される前記高周波成分の周波数特性に応じて調整する第１の防諜音信号調整部と、
前記第１の防諜音信号調整部から出力される周波数特性が調整された前記第１の防諜音信号を増幅する第２のアンプと、
前記第２のアンプから出力される増幅された前記第１の防諜音信号を音声として出力する第２のスピーカと、
高周波成分のみからなる所定の第２の防諜音信号を発生させる第２の防諜音信号発生部と、
前記第２の防諜音信号発生部から出力される前記第２の防諜音信号の周波数特性を、前記第２の周波数分割器から出力される前記高周波成分の周波数特性に応じて調整する第２の防諜音信号調整部と、
前記第２の防諜音信号調整部から出力される周波数特性が調整された前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項４３】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
前記第１の周波数分割器から出力される前記高周波成分に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
前記第２の周波数分割器から出力される前記高周波成分に基づき第２の防諜音信号を生成する第２の防諜音信号生成部と、
前記第２の防諜音信号生成部から出力される前記第２の防諜音信号を増幅する第３のアンプと、
前記第３のアンプから出力される増幅された前記第２の防諜音信号を音声として出力する第３のスピーカと、を備えた、
ボイスキャンセリングパーティション。
【請求項４４】
請求項３４から請求項４３のいずれか１項に記載のボイスキャンセリングパーティションであって、
前記第１のマイクロフォンはパーティション本体の第１の音源側の面に配置されており、
前記第２のマイクロフォンは前記パーティション本体の前記第１の音源側の面と反対側にある第２の音源側の面に配置されており、
前記第１のスピーカは前記パーティション本体の上面に配置されており、
前記第２のスピーカは前記パーティション本体の前記第２の音源側の面に配置されており、
前記第３のスピーカは前記パーティション本体の前記第１の音源側の面に配置されている、
ボイスキャンセリングパーティション。
【請求項４５】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
所定の防諜音信号を発生させる防諜音信号発生部と、
前記第１のアクティブノイズコントロール処理部から出力される前記第１の逆相信号と、前記第２のアクティブノイズコントロール処理部から出力される前記第２の逆相信号と、前記防諜音信号発生部から出力される前記防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項４６】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
所定の第１の防諜音信号を発生させる第１の防諜音信号発生部と、
前記第１の防諜音信号発生部から出力される前記第１の防諜音信号の周波数特性を、前記第１のマイクロフォンから出力される前記第１の音声信号の周波数特性に応じて調整する第１の防諜音信号調整部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
所定の第２の防諜音信号を発生させる第２の防諜音信号発生部と、
前記第２の防諜音信号発生部から出力される前記第２の防諜音信号の周波数特性を、前記第２のマイクロフォンから出力される前記第２の音声信号の周波数特性に応じて調整する第２の防諜音信号調整部と、
前記第１のアクティブノイズコントロール処理部から出力される前記第１の逆相信号と、前記第１の防諜音信号調整部から出力される周波数特性が調整された前記第１の防諜音信号と、前記第２のアクティブノイズコントロール処理部から出力される前記第２の逆相信号と、前記第２の防諜音信号調整部から出力される周波数特性が調整された前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項４７】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のアクティブノイズコントロール処理部から出力される前記第１の逆相信号に基づき第１の防諜音信号を生成する第１の防諜音信号生成部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のアクティブノイズコントロール処理部から出力される前記第２の逆相信号に基づき第２の防諜音信号を生成する第２の防諜音信号生成部と、
前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項４８】
第１のマイクロフォンと、
前記第１のマイクロフォンから出力される第１の音声信号にアクティブノイズコントロール処理を施して前記第１の音声信号に対する第１の逆相信号を生成する第１のアクティブノイズコントロール処理部と、
前記第１のマイクロフォンから出力される前記第１の音声信号に基づき第１の防諜音信号を生成する第１の防諜音信号生成部と、
第２のマイクロフォンと、
前記第２のマイクロフォンから出力される第２の音声信号にアクティブノイズコントロール処理を施して前記第２の音声信号に対する第２の逆相信号を生成する第２のアクティブノイズコントロール処理部と、
前記第２のマイクロフォンから出力される前記第２の音声信号に基づき第２の防諜音信号を生成する第２の防諜音信号生成部と、
前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項４９】
第１のマイクロフォンと、
前記第１のマイクロフォンから出力される第１の音声信号の低周波成分のみを通過させる第１のローパスフィルタと、
前記第１のローパスフィルタから出力される前記低周波成分のみにアクティブノイズコントロール処理を施して前記低周波成分に対する第１の逆相信号を生成する第１のアクティブノイズコントロール処理部と、
高周波成分のみからなる所定の第１の防諜音信号を発生させる第１の防諜音信号発生部と、
第２のマイクロフォンと、
前記第２のマイクロフォンから出力される第２の音声信号の低周波成分のみを通過させる第２のローパスフィルタと、
前記第２のローパスフィルタから出力される前記低周波成分のみにアクティブノイズコントロール処理を施して前記低周波成分に対する第２の逆相信号を生成する第２のアクティブノイズコントロール処理部と、
高周波成分のみからなる所定の第２の防諜音信号を発生させる第２の防諜音信号発生部と、
前記第１のアクティブノイズコントロール処理部から出力される前記第１の逆相信号と、前記第１の防諜音信号発生部から出力される前記第１の防諜音信号と、前記第２のアクティブノイズコントロール処理部から出力される前記第２の逆相信号と、前記第２の防諜音信号発生部から出力される前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項５０】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
高周波成分のみからなる所定の第１の防諜音信号を発生させる第１の防諜音信号発生部と、
前記第１の防諜音信号発生部から出力される前記第１の防諜音信号の周波数特性を、前記第１の周波数分割器から出力される前記高周波成分の周波数特性に応じて調整する第１の防諜音信号調整部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
高周波成分のみからなる所定の第２の防諜音信号を発生させる第２の防諜音信号発生部と、
前記第２の防諜音信号発生部から出力される前記第２の防諜音信号の周波数特性を、前記第２の周波数分割器から出力される前記高周波成分の周波数特性に応じて調整する第２の防諜音信号調整部と、
前記第１のアクティブノイズコントロール処理部から出力される前記第１の逆相信号と、前記第１の防諜音信号調整部から出力される周波数特性が調整された前記第１の防諜音信号と、前記第２のアクティブノイズコントロール処理部から出力される前記第２の逆相信号と、前記第２の防諜音信号調整部から出力される周波数特性が調整された前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項５１】
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
前記第１の周波数分割器から出力される前記高周波成分に基づき第１の防諜音信号を生成する第１の防諜音信号生成部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第２の周波数分割器から出力される前記高周波成分に基づき第２の防諜音信号を生成する第２の防諜音信号生成部と、
前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングパーティション。
【請求項５２】
請求項４５から請求項５１のいずれか１項に記載のボイスキャンセリングパーティションであって、
前記第１のマイクロフォンはパーティション本体の第１の音源側の面に配置されており、
前記第２のマイクロフォンは前記パーティション本体の前記第１の音源側の面と反対側にある第２の音源側の面に配置されており、
前記スピーカは前記パーティション本体の上面に配置されている、
ボイスキャンセリングパーティション。
【請求項５３】
パーティションに取り付け可能なボイスキャンセリングユニットであって、
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
前記第１の周波数分割器から出力される前記高周波成分に基づき第１の防諜音信号を生成する第１の防諜音信号生成部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第２の周波数分割器から出力される前記高周波成分に基づき第２の防諜音信号を生成する第２の防諜音信号生成部と、
前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、
前記信号合成部から出力される合成信号を増幅するアンプと、
前記アンプから出力される増幅された前記合成信号を音声として出力するスピーカと、を備えた、
ボイスキャンセリングユニット。
【請求項５４】
請求項５３に記載のボイスキャンセリングユニットであって、
前記第１のマイクロフォンはユニット本体の第１の音源側の面に配置されており、
前記第２のマイクロフォンは前記ユニット本体の前記第１の音源側の面と反対側にある第２の音源側の面に配置されており、
前記スピーカは前記ユニット本体の上面に配置されている、
ボイスキャンセリングユニット。
【請求項５５】
パーティションに取り付け可能なボイスキャンセリングユニットであって、
第１のマイクロフォンと、
前記第１のマイクロフォンから出力される第１の音声信号を低周波成分と高周波成分とに分割する第１の周波数分割器と、
前記第１の周波数分割器から出力される前記低周波成分にアクティブノイズコントロール処理を施して前記低周波成分に対する第１の逆相信号を生成する第１のアクティブノイズコントロール処理部と、
第２のマイクロフォンと、
前記第２のマイクロフォンから出力される第２の音声信号を低周波成分と高周波成分とに分割する第２の周波数分割器と、
前記第２の周波数分割器から出力される前記低周波成分にアクティブノイズコントロール処理を施して前記低周波成分に対する第２の逆相信号を生成する第２のアクティブノイズコントロール処理部と、
前記第１のアクティブノイズコントロール処理部から出力される前記第１の逆相信号と、前記第２のアクティブノイズコントロール処理部から出力される前記第２の逆相信号とを合成する信号合成部と、
前記信号合成部から出力される合成信号を増幅する第１のアンプと、
前記第１のアンプから出力される増幅された前記合成信号を音声として出力する第１のスピーカと、
前記第１の周波数分割器から出力される前記高周波成分に基づき第１の防諜音信号を生成する第１の防諜音信号生成部と、
前記第１の防諜音信号生成部から出力される前記第１の防諜音信号を増幅する第２のアンプと、
前記第２のアンプから出力される増幅された前記第１の防諜音信号を音声として出力する第２のスピーカと、
前記第２の周波数分割器から出力される前記高周波成分に基づき第２の防諜音信号を生成する第２の防諜音信号生成部と、
前記第２の防諜音信号生成部から出力される前記第２の防諜音信号を増幅する第３のアンプと、
前記第３のアンプから出力される増幅された前記第２の防諜音信号を音声として出力する第３のスピーカと、を備えた、
ボイスキャンセリングユニット。
【請求項５６】
請求項５５に記載のボイスキャンセリングユニットであって、
前記第１のマイクロフォンはユニット本体の第１の音源側の面に配置されており、
前記第２のマイクロフォンは前記ユニット本体の前記第１の音源側の面と反対側にある第２の音源側の面に配置されており、
前記第１のスピーカは前記ユニット本体の上面に配置されており、
前記第２のスピーカは前記ユニット本体の前記第２の音源側の面に配置されており、
前記第３のスピーカは前記ユニット本体の前記第１の音源側の面に配置されている、
ボイスキャンセリングユニット。
【発明の詳細な説明】
【技術分野】
【０００１】
本発明は、会議スペースを仕切るパーティションとして用いて好適なボイスキャンセリングパーティション及びボイスキャンセリングユニットに関する。
【背景技術】
【０００２】
会議スペースでは、パーティションと呼ばれる仕切板を設置して隣の会話を分からなくするようにしているが、単なる仕切板であるパーティションでは隣の会話が分からなくなるほどの遮音効果は得られない。
遮音効果を向上させる方法として、音声信号に対する逆相信号を生成するアクティブノイズコントロール処理を用いて隣の会話音を低減させる方法や、防諜音を生成するサウンドマスキング処理を用いて会話音を不明瞭にする方法がある。アクティブノイズコントロール処理は例えば特許文献１に記載されており、サウンドマスキング処理は例えば特許文献２に記載されている。
【０００３】
図６１は、アクティブノイズコントロール（ＡＮＣ）処理の有無による会話音の周波数特性を示す図である。同図において横軸が周波数（Ｈｚ）、縦軸が音圧（ｄＢ）である。同図に示すように、元の会話音にアクティブノイズコントロール処理を施すことで、会話音の周波数帯の略全域で音圧レベルを低下させることができる。
【先行技術文献】
【特許文献】
【０００４】
【特許文献１】特開２００２−００６８５４号公報
【特許文献２】特開２００６−２４３１７８号公報
【発明の概要】
【発明が解決しようとする課題】
【０００５】
しかしながら、アクティブノイズコントロール処理は、会話音の子音部分を低減し難いこともあって、この処理のみでは隣の会話内容が分からなくなるほど会話音の音圧レベルを低減させることは難しい。また、サウンドマスキング処理のみで秘話特性を向上させようと思うとマスキング音の音圧レベルを増加させるしかなく、自分自身の会話の妨害になり周囲の騒音レベルも増加する。
【０００６】
図６２は、サウンドマスキング（ＳＭ）処理の有無による会話音の周波数特性を示す図である。同図において横軸が周波数（Ｈｚ）、縦軸が音圧（ｄＢ）である。同図に示すように、元の会話音にサウンドマスキング処理を施すと会話音＋マスキング音の音圧レベルが高くなってしまい、自分自身の会話の妨害になり周囲の騒音レベルが増加する。
【０００７】
本発明は、係る事情に鑑みてなされたものであり、会話音の音圧レベルを低減させながら、秘話特性を向上させることができるボイスキャンセリングパーティション及びボイスキャンセリングユニットを提供することを目的とする。
【課題を解決するための手段】
【０００８】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、所定の防諜音信号を発生させる防諜音信号発生部と、前記防諜音信号発生部から出力される前記防諜音信号を増幅する第２のアンプと、前記第２のアンプから出力される増幅された前記防諜音信号を音声として出力する第２のスピーカと、を備えた。
【０００９】
上記構成によれば、マイクロフォンから出力される音声信号にアクティブノイズコントロール処理を施して音声信号に対する逆相信号を生成し、生成した逆相信号を増幅して音声として出力し、また所定の防諜音信号を発生して増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００１０】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、所定の防諜音信号を発生させる防諜音信号発生部と、前記防諜音信号発生部から出力される前記防諜音信号を、前記アクティブノイズコントロール処理部から出力される前記逆相信号のレベルに応じて増幅する第２のアンプと、前記第２のアンプから出力される増幅された前記防諜音信号を音声として出力する第２のスピーカと、を備えた。
【００１１】
上記構成によれば、マイクロフォンから出力される音声信号にアクティブノイズコントロール処理を施して音声信号に対する逆相信号を生成し、生成した逆相信号を増幅して音声として出力し、また防諜音信号を逆相信号のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００１２】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、所定の防諜音信号を発生させる防諜音信号発生部と、前記防諜音信号発生部から出力される前記防諜音信号を、前記マイクロフォンから出力される前記音声信号のレベルに応じて増幅する第２のアンプと、前記第２のアンプから出力される増幅された前記防諜音信号を音声として出力する第２のスピーカと、を備えた。
【００１３】
上記構成によれば、マイクロフォンから出力される音声信号にアクティブノイズコントロール処理を施して音声信号に対する逆相信号を生成し、生成した逆相信号を増幅して音声として出力し、また防諜音信号をマイクロフォンから出力される音声信号のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００１４】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、所定の防諜音信号を発生させる防諜音信号発生部と、前記防諜音信号発生部から出力される前記防諜音信号の周波数特性を、前記マイクロフォンから出力される前記音声信号の周波数特性に応じて調整する防諜音信号調整部と、前記防諜音信号調整部から出力される周波数特性が調整された前記防諜音信号を増幅する第２のアンプと、前記第２のアンプから出力される増幅された前記防諜音信号を音声として出力する第２のスピーカと、を備えた。
【００１５】
上記構成によれば、マイクロフォンから出力される音声信号にアクティブノイズコントロール処理を施して音声信号に対する逆相信号を生成し、生成した逆相信号を増幅して音声として出力し、また防諜音信号を発生させて、この防諜音信号の周波数特性をマイクロフォンから出力される音声信号の周波数特性に応じて調整し、周波数特性を調整した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００１６】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、前記アクティブノイズコントロール処理部から出力される前記逆相信号に基づき防諜音信号を生成する防諜音信号生成部と、前記防諜音信号生成部から出力される前記防諜音信号を増幅する第２のアンプと、前記第２のアンプから出力される増幅された前記防諜音信号を音声として出力する第２のスピーカと、を備えた。
【００１７】
上記構成によれば、マイクロフォンから出力される音声信号にアクティブノイズコントロール処理を施して音声信号に対する逆相信号を生成し、生成した逆相信号を増幅して音声として出力し、またアクティブノイズコントロール処理部から出力される逆相信号に基づき防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００１８】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、前記マイクロフォンから出力される前記音声信号に基づき防諜音信号を生成する防諜音信号生成部と、前記防諜音信号生成部から出力される前記防諜音信号を増幅する第２のアンプと、前記第２のアンプから出力される増幅された前記防諜音信号を音声として出力する第２のスピーカと、を備えた。
【００１９】
上記構成によれば、マイクロフォンから出力される音声信号にアクティブノイズコントロール処理を施して音声信号に対する逆相信号を生成し、生成した逆相信号を増幅して音声として出力し、またマイクロフォンから出力される音声信号に基づき防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００２０】
本発明のボイスキャンセリングパーティションは、マイクロフォンと、前記マイクロフォンから出力される音声信号の低周波成分のみを通過させるローパスフィルタと、前記ローパスフィルタから出力される前記低周波成分のみにアクティブノイズコントロール処理を施して前記低周波成分に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、高周波成分のみからなる所定の防諜音信号を発生させる防諜音信号発生部と、前記防諜音信号発生部から出力される前記防諜音信号を増幅する第２のアンプと、前記第２のアンプから出力される増幅された前記防諜音信号を音声として出力する第２のスピーカと、を備えた。
【００２１】
上記構成によれば、マイクロフォンから出力される音声信号の低周波成分のみを通過させ、この音声信号の低周波成分にアクティブノイズコントロール処理を施して該低周波成分に対する逆相信号を生成し、生成した逆相信号を増幅して音声として出力し、また高周波成分のみからなる所定の防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００２２】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、高周波成分のみからなる所定の防諜音信号を発生させる防諜音信号発生部と、前記防諜音信号発生部から出力される前記防諜音信号を、前記周波数分割器から出力される前記高周波成分のレベルに応じて増幅する第２のアンプと、前記第２のアンプから出力される増幅された前記防諜音信号を音声として出力する第２のスピーカと、を備えた。
【００２３】
上記構成によれば、マイクロフォンから出力される音声信号を低周波成分と高周波成分とに分割し、音声信号の低周波成分に対し、アクティブノイズコントロール処理を施して該低周波成分に対する逆相信号を生成し、生成した逆相信号を増幅して音声として出力し、また高周波成分のみからなる所定の防諜音信号を生成し、生成した防諜音信号を音声信号の高周波成分のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００２４】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、高周波成分のみからなる所定の防諜音信号を発生させる防諜音信号発生部と、前記防諜音信号発生部から出力される前記防諜音信号の周波数特性を、前記周波数分割器から出力される前記高周波成分の周波数特性に応じて調整する防諜音信号調整部と、前記防諜音信号調整部から出力される周波数特性が調整された前記防諜音信号を増幅する第２のアンプと、前記第２のアンプから出力される増幅された前記防諜音信号を音声として出力する第２のスピーカと、を備えた。
【００２５】
上記構成によれば、マイクロフォンから出力される音声信号を低周波成分と高周波成分とに分割し、音声信号の低周波成分に対して、アクティブノイズコントロール処理を施して該低周波成分に対する逆相信号を生成し、生成した逆相信号を増幅して音声として出力し、また高周波成分のみからなる所定の防諜音信号を生成し、生成した防諜音信号の周波数特性を音声信号の高周波成分の周波数特性に応じて調整し、周波数特性を調整した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００２６】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、前記アクティブノイズコントロール処理部から出力される前記逆相信号を増幅する第１のアンプと、前記第１のアンプから出力される増幅された前記逆相信号を音声として出力する第１のスピーカと、前記周波数分割器から出力される前記高周波成分に基づき防諜音信号を生成する防諜音信号生成部と、前記防諜音信号生成部から出力される前記防諜音信号を増幅する第２のアンプと、前記第２のアンプから出力される増幅された前記防諜音信号を音声として出力する第２のスピーカと、を備えた。
【００２７】
上記構成によれば、マイクロフォンから出力される音声信号を低周波成分と高周波成分とに分割し、音声信号の低周波成分に対して、アクティブノイズコントロール処理を施して低周波成分に対する逆相信号を生成し、生成した逆相信号を増幅して音声として出力し、また音声信号の高周波成分に対して、この高周波成分に基づき防諜音信号を生成し、生成した防諜音信号を増幅して出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００２８】
上記構成において、前記マイクロフォンはパーティション本体の音源側の面に配置されており、前記第１のスピーカは前記パーティション本体の上面に配置されており、前記第２のスピーカは前記パーティション本体の前記音源側の面と反対側の面に配置されている。
【００２９】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、所定の防諜音信号を発生させる防諜音信号発生部と、前記アクティブノイズコントロール処理部から出力される前記逆相信号と、前記防諜音信号発生部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００３０】
上記構成によれば、マイクロフォンから出力される音声信号にアクティブノイズコントロール処理を施して音声信号に対する逆相信号を生成し、また所定の防諜音信号を発生し、生成した逆相信号と、発生した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００３１】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、所定の防諜音信号を発生させる防諜音信号発生部と、前記防諜音信号発生部から出力される前記防諜音信号を、前記アクティブノイズコントロール処理部から出力される前記逆相信号のレベルに基づき調整する防諜音信号調整部と、前記アクティブノイズコントロール処理部から出力される前記逆相信号と、前記防諜音信号調整部から出力される調整された前記防諜音信号とを合成する信号合成部と、前記信号合成部から出力される合成信号を増幅するアンプと、前記アンプから出力される増幅された前記合成信号を音声として出力するスピーカと、を備えた。
【００３２】
上記構成によれば、マイクロフォンから出力される音声信号にアクティブノイズコントロール処理を施して音声信号に対する逆相信号を生成し、また所定の防諜音信号を発生し、発生した所定の防諜音信号を逆相信号のレベルに基づき調整し、調整した防諜音信号と逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００３３】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、所定の防諜音信号を発生させる防諜音信号発生部と、前記防諜音信号発生部から出力される前記防諜音信号を、前記マイクロフォンから出力される前記音声信号のレベルに基づき調整する防諜音信号調整部と、前記アクティブノイズコントロール処理部から出力される前記逆相信号と、前記防諜音信号調整部から出力される調整された前記防諜音信号とを合成する信号合成部と、前記信号合成部から出力される合成信号を増幅するアンプと、前記アンプから出力される増幅された前記合成信号を音声として出力するスピーカと、を備えた。
【００３４】
上記構成によれば、マイクロフォンから出力される音声信号にアクティブノイズコントロール処理を施して音声信号に対する逆相信号を生成し、また所定の防諜音信号を発生し、発生した防諜音信号を音声信号のレベルに基づき調整し、調整した防諜音信号と、生成した逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００３５】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、所定の防諜音信号を発生させる防諜音信号発生部と、前記防諜音信号発生部から出力される前記防諜音信号の周波数特性を、前記マイクロフォンから出力される前記音声信号の周波数特性に応じて調整する防諜音信号調整部と、前記アクティブノイズコントロール処理部から出力される前記逆相信号と、前記防諜音信号調整部から出力される周波数特性が調整された前記防諜音信号とを合成する信号合成部と、前記信号合成部から出力される合成信号を増幅するアンプと、前記アンプから出力される増幅された前記合成信号を音声として出力するスピーカと、を備えた。
【００３６】
上記構成によれば、マイクロフォンから出力される音声信号にアクティブノイズコントロール処理を施して音声信号に対する逆相信号を生成し、また所定の防諜音信号を発生し、発生した防諜音信号の周波数特性を音声信号の周波数特性に応じて調整し、調整した防諜音信号と、生成した逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００３７】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記アクティブノイズコントロール処理部から出力される前記逆相信号に基づき防諜音信号を生成する防諜音信号生成部と、前記アクティブノイズコントロール処理部から出力される前記逆相信号と、前記防諜音信号生成部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００３８】
上記構成によれば、マイクロフォンから出力される音声信号にアクティブノイズコントロール処理を施して音声信号に対する逆相信号を生成するとともに、生成した逆相信号に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００３９】
本発明のボイスキャンセリングパーティションは、マイクロフォンと、前記マイクロフォンから出力される音声信号にアクティブノイズコントロール処理を施して前記音声信号に対する逆相信号を生成するアクティブノイズコントロール処理部と、前記マイクロフォンから出力される前記音声信号に基づき防諜音信号を生成する防諜音信号生成部と、前記アクティブノイズコントロール処理部から出力される前記逆相信号と、前記防諜音信号生成部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００４０】
上記構成によれば、マイクロフォンから出力される音声信号にアクティブノイズコントロール処理を施して音声信号に対する逆相信号を生成するとともに、マイクロフォンから出力される音声信号に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００４１】
本発明のボイスキャンセリングパーティションは、マイクロフォンと、前記マイクロフォンから出力される音声信号の低周波成分のみを通過させるローパスフィルタと、前記ローパスフィルタから出力される前記低周波成分のみにアクティブノイズコントロール処理を施して前記低周波成分に対する逆相信号を生成するアクティブノイズコントロール処理部と、高周波成分のみからなる所定の防諜音信号を発生させる防諜音信号発生部と、前記アクティブノイズコントロール処理部から出力される前記逆相信号と、前記防諜音信号発生部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００４２】
上記構成によれば、マイクロフォンから出力される音声信号の低周波成分のみを通過させ、その音声信号の低周波成分のみにアクティブノイズコントロール処理を施して低周波成分に対する逆相信号を生成し、また高周波成分のみからなる所定の防諜音信号を発生し、生成した逆相信号と、発生した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００４３】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、高周波成分のみからなる所定の防諜音信号を発生させる防諜音信号発生部と、前記防諜音信号発生部から出力される前記防諜音信号を、前記周波数分割器から出力される前記高周波成分のレベルに応じて調整する防諜音信号調整部と、前記アクティブノイズコントロール処理部から出力される前記逆相信号と、前記防諜音信号調整部から出力される調整された前記防諜音信号とを合成する信号合成部と、前記信号合成部から出力される合成信号を増幅するアンプと、前記アンプから出力される増幅された前記合成信号を音声として出力するスピーカと、を備えた。
【００４４】
上記構成によれば、マイクロフォンから出力される音声信号を低周波成分と高周波成分とに分割し、音声信号の低周波成分に対して、アクティブノイズコントロール処理を施して該低周波成分に対する逆相信号を生成し、また高周波成分のみからなる所定の防諜音信号を発生し、発生した防諜音信号を音声信号の高周波成分のレベルに応じて調整し、生成した逆相信号と、調整した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００４５】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、高周波成分のみからなる所定の防諜音信号を発生させる防諜音信号発生部と、前記防諜音信号発生部から出力される前記防諜音信号の周波数特性を、前記周波数分割器から出力される前記高周波成分の周波数特性に応じて調整する防諜音信号調整部と、前記アクティブノイズコントロール処理部から出力される前記逆相信号と、前記防諜音信号調整部から出力される周波数特性が調整された前記防諜音信号とを合成する信号合成部と、前記信号合成部から出力される合成信号を増幅するアンプと、前記アンプから出力される増幅された前記合成信号を音声として出力するスピーカと、を備えた。
【００４６】
上記構成によれば、マイクロフォンから出力される音声信号を低周波成分と高周波成分とに分割し、音声信号の低周波成分に対して、アクティブノイズコントロール処理を施して該低周波成分に対する逆相信号を生成し、また高周波成分のみからなる所定の防諜音信号を発生し、発生した防諜音信号の周波数特性を音声信号の高周波成分の周波数特性に応じて調整し、生成した逆相信号と、周波数特性を調整した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００４７】
本発明のボイスキャンセリングパーティションは、マイクロフォンと、前記マイクロフォンから出力される音声信号を低周波成分と高周波成分とに分割する周波数分割器と、前記周波数分割器から出力される前記低周波成分にアクティブノイズコントロール処理を施して前記低周波成分に対する逆相信号を生成するアクティブノイズコントロール処理部と、前記周波数分割器から出力される前記高周波成分に基づき防諜音信号を生成する防諜音信号生成部と、前記アクティブノイズコントロール処理部から出力される前記逆相信号と、前記防諜音信号生成部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００４８】
上記構成によれば、マイクロフォンから出力される音声信号を低周波成分と高周波成分とに分割し、音声信号の低周波成分に対して、アクティブノイズコントロール処理を施して該低周波成分に対する逆相信号を生成し、高周波成分に対して、該高周波成分に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００４９】
上記構成において、前記マイクロフォンはパーティション本体の音源側の面に配置されており、前記スピーカは前記パーティション本体の上面に配置されている。
【００５０】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第２のアンプと、前記第２のアンプから出力される増幅された前記第２の逆相信号を音声として出力する第２のスピーカと、所定の防諜音信号を発生させる防諜音信号発生部と、前記防諜音信号発生部から出力される前記防諜音信号を増幅する第３及び第４のアンプと、前記第３のアンプから出力される増幅された前記防諜音信号を音声として出力する第３のスピーカと、前記第４のアンプから出力される増幅された前記防諜音信号を音声として出力する第４のスピーカと、を備えた。
【００５１】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また所定の防諜音信号を発生して増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００５２】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、所定の第１の防諜音信号を発生させる第１の防諜音信号発生部と、前記第１の防諜音信号発生部から出力される前記第１の防諜音信号を、前記第１のアクティブノイズコントロール処理部から出力される前記第１の逆相信号のレベルに応じて増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、所定の第２の防諜音信号を発生させる第２の防諜音信号発生部と、前記第２の防諜音信号発生部から出力される前記第２の防諜音信号を、前記第２のアクティブノイズコントロール処理部から出力される前記第２の逆相信号のレベルに応じて増幅する第４のアンプと、前記第４のアンプから出力される増幅された前記第２の防諜音信号を音声として出力する第４のスピーカと、を備えた。
【００５３】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また所定の第１の防諜音信号を発生して、この第１の防諜音信号を第１の逆相信号のレベルに応じて増幅して音声として出力し、また所定の第２の防諜音信号を発生して、この第２の防諜音信号を第２の逆相信号のレベルに応じて増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００５４】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、所定の第１の防諜音信号を発生させる第１の防諜音信号発生部と、前記第１の防諜音信号発生部から出力される前記第１の防諜音信号を、前記第１のマイクロフォンから出力される前記第１の音声信号のレベルに応じて増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、所定の第２の防諜音信号を発生させる第２の防諜音信号発生部と、前記第２の防諜音信号発生部から出力される前記第２の防諜音信号を、前記第２のマイクロフォンから出力される前記第２の音声信号のレベルに応じて増幅する第４のアンプと、前記第４のアンプから出力される増幅された前記第２の防諜音信号を音声として出力する第４のスピーカと、を備えた。
【００５５】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また所定の第１の防諜音信号を発生して、この第１の防諜音信号を第１の音声信号のレベルに応じて増幅して音声として出力し、また所定の第２の防諜音信号を発生して、この第２の防諜音信号を第２の音声信号のレベルに応じて増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００５６】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、所定の第１の防諜音信号を発生させる第１の防諜音信号発生部と、前記第１の防諜音信号発生部から出力される前記第１の防諜音信号の周波数特性を、前記第１のマイクロフォンから出力される前記第１の音声信号の周波数特性に応じて調整する第１の防諜音信号調整部と、前記第１の防諜音信号調整部から出力される周波数特性が調整された前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、所定の第２の防諜音信号を発生させる第２の防諜音信号発生部と、前記第２の防諜音信号発生部から出力される前記第２の防諜音信号の周波数特性を、前記第２のマイクロフォンから出力される前記第２の音声信号の周波数特性に応じて調整する第２の防諜音信号調整部と、前記第２の防諜音信号調整部から出力される周波数特性が調整された前記第２の防諜音信号を増幅する第４のアンプと、前記第４のアンプから出力される増幅された前記第２の防諜音信号を音声として出力する第４のスピーカと、を備えた。
【００５７】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また所定の第１の防諜音信号を発生して、この第１の防諜音信号の周波数特性を第１の音声信号の周波数特性に応じて調整して音声として出力し、また所定の第２の防諜音信号を発生して、この第２の防諜音信号の周波数特性を第２の音声信号の周波数特性に応じて調整して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００５８】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、前記第１のアクティブノイズコントロール処理部から出力される前記第１の逆相信号に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、前記第２のアクティブノイズコントロール処理部から出力される前記第２の逆相信号に基づき第２の防諜音信号を生成する第２の防諜音信号生成部と、前記第２の防諜音信号生成部から出力される前記第２の防諜音信号を増幅する第４のアンプと、前記第４のアンプから出力される増幅された前記第２の防諜音信号を音声として出力する第４のスピーカと、を備えた。
【００５９】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また第１の逆相信号より第１の防諜音信号を生成して、この第１の防諜音信号を増幅して音声として出力し、また第２の逆相信号より第２の防諜音信号を生成して、この第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００６０】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、前記第１のマイクロフォンから出力される前記第１の音声信号に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、前記第２のマイクロフォンから出力される前記第２の音声信号に基づき第２の防諜音信号を生成する第２の防諜音信号生成部と、前記第２の防諜音信号生成部から出力される前記第２の防諜音信号を増幅する第４のアンプと、前記第４のアンプから出力される増幅された前記第２の防諜音信号を音声として出力する第４のスピーカと、を備えた。
【００６１】
上記構成によれば、第１のマイクロフォンから出力される第１の音声信号にアクティブノイズコントロール処理を施して該第１の音声信号に対する第１の逆相信号を生成し、生成した第１の逆相信号を増幅して音声として出力し、また第２のマイクロフォンから出力される第２の音声信号にアクティブノイズコントロール処理を施して該第２の音声信号に対する第２の逆相信号を生成し、生成した第２の逆相信号を増幅して音声として出力し、また第１の音声信号から第１の防諜音信号を生成して、この第１の防諜音信号を増幅して音声として出力し、また第２の音声信号から第２の防諜音信号を生成して、この第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００６２】
本発明のボイスキャンセリングパーティションは、第１のマイクロフォンと、前記第１のマイクロフォンから出力される第１の音声信号の低周波成分のみを通過させる第１のローパスフィルタと、前記第１のローパスフィルタから出力される前記低周波成分のみにアクティブノイズコントロール処理を施して前記低周波成分に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、高周波成分のみからなる所定の第１の防諜音信号を発生させる第１の防諜音信号発生部と、前記第１の防諜音信号発生部から出力される前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号の低周波成分のみを通過させる第２のローパスフィルタと、前記第２のローパスフィルタから出力される前記低周波成分のみにアクティブノイズコントロール処理を施して前記低周波成分に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、高周波成分のみからなる所定の第２の防諜音信号を発生させる第２の防諜音信号発生部と、前記第２の防諜音信号発生部から出力される前記第２の防諜音信号を増幅する第４のアンプと、前記第４のアンプから出力される増幅された前記第２の防諜音信号を音声として出力する第４のスピーカと、を備えた。
【００６３】
上記構成によれば、第１のマイクロフォンから出力される第１の音声信号の低周波成分のみを通過させ、この低周波成分のみにアクティブノイズコントロール処理を施して該低周波成分に対する第１の逆相信号を生成し、生成した第１の逆相信号を増幅して音声として出力し、また第２のマイクロフォンから出力される第２の音声信号の低周波成分のみを通過させ、この低周波成分のみにアクティブノイズコントロール処理を施して該低周波成分に対する第２の逆相信号を生成し、生成した第２の逆相信号を増幅して音声として出力し、また高周波成分のみからなる所定の第１の防諜音信号を発生させて、この第１の防諜音信号を増幅して音声として出力し、また高周波成分のみからなる所定の第２の防諜音信号を発生させて、この第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００６４】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、高周波成分のみからなる所定の第１の防諜音信号を発生させる第１の防諜音信号発生部と、前記第１の防諜音信号発生部から出力される前記第１の防諜音信号を、前記第１の周波数分割器から出力される前記高周波成分のレベルに応じて増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、高周波成分のみからなる所定の第２の防諜音信号を発生させる第２の防諜音信号発生部と、前記第２の防諜音信号発生部から出力される前記第２の防諜音信号を、前記第２の周波数分割器から出力される前記高周波成分のレベルに応じて増幅する第４のアンプと、前記第４のアンプから出力される増幅された前記第２の防諜音信号を音声として出力する第４のスピーカと、を備えた。
【００６５】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また高周波成分のみからなる所定の第１の防諜音信号を発生し、発生した第１の防諜音信号を第１の音声信号の高周波成分のレベルに応じて増幅し、第１の防諜音信号を音声として出力し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また高周波成分のみからなる所定の第２の防諜音信号を発生し、発生した第２の防諜音信号を第２の音声信号の高周波成分のレベルに応じて増幅し、第２の防諜音信号を音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００６６】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、高周波成分のみからなる所定の第１の防諜音信号を発生させる第１の防諜音信号発生部と、前記第１の防諜音信号発生部から出力される前記第１の防諜音信号の周波数特性を、前記第１の周波数分割器から出力される前記高周波成分の周波数特性に応じて調整する第１の防諜音信号調整部と、前記第１の防諜音信号調整部から出力される周波数特性が調整された前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、高周波成分のみからなる所定の第２の防諜音信号を発生させる第２の防諜音信号発生部と、前記第２の防諜音信号発生部から出力される前記第２の防諜音信号の周波数特性を、前記第２の周波数分割器から出力される前記高周波成分の周波数特性に応じて調整する第２の防諜音信号調整部と、前記第２の防諜音信号調整部から出力される周波数特性が調整された前記第２の防諜音信号を増幅する第４のアンプと、前記第４のアンプから出力される増幅された前記第２の防諜音信号を音声として出力する第４のスピーカと、を備えた。
【００６７】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また高周波成分のみからなる所定の第１の防諜音信号を発生し、発生した第１の防諜音信号の周波数特性を第１の音声信号の高周波成分の周波数特性に応じて調整し、調整した第１の防諜音信号を増幅して音声として出力し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また高周波成分のみからなる所定の第２の防諜音信号を発生し、発生したる第２の防諜音信号の周波数特性を第２の音声信号の高周波成分の周波数特性に応じて調整し、調整した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００６８】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、前記第１のアクティブノイズコントロール処理部から出力される前記第１の逆相信号を増幅する第１のアンプと、前記第１のアンプから出力される増幅された前記第１の逆相信号を音声として出力する第１のスピーカと、前記第１の周波数分割器から出力される前記高周波成分に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第２のアクティブノイズコントロール処理部から出力される前記第２の逆相信号を増幅する第３のアンプと、前記第３のアンプから出力される増幅された前記第２の逆相信号を音声として出力する第３のスピーカと、前記第２の周波数分割器から出力される前記高周波成分に基づき第２の防諜音信号を生成する第２の防諜音信号生成部と、前記第２の防諜音信号生成部から出力される前記第２の防諜音信号を増幅する第４のアンプと、前記第４のアンプから出力される増幅された前記第２の防諜音信号を音声として出力する第４のスピーカと、を備えた。
【００６９】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また第１の音声信号の高周波成分に基づき第１の防諜音信号を生成し、生成した第１の防諜音信号を増幅して音声として出力し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また第２の音声信号の高周波成分に基づき第２の防諜音信号を生成し、生成した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００７０】
上記構成において、前記第１のマイクロフォンはパーティション本体の第１の音源側の面に配置されており、前記第１のスピーカは前記パーティション本体の上面に配置されており、前記第２のスピーカは前記パーティション本体の前記第１の音源側の面と反対側にある第２の音源側の面に配置されており、前記第２のマイクロフォンは前記パーティション本体の前記第２の音源側の面に配置されており、前記第３のスピーカは前記パーティション本体の上面に配置されており、前記第４のスピーカは前記パーティション本体の前記第１の音源側の面に配置されている。
【００７１】
上記構成によれば、第１のマイクロフォンが集音する集音側と第２のマイクロフォンが集音する集音側それぞれにおける会話音の音圧レベルを低減させながら、秘話特性を向上させることが可能となる。
【００７２】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、所定の防諜音信号を発生させる防諜音信号発生部と、前記防諜音信号発生部から出力される前記防諜音信号を増幅する第２及び第３のアンプと、前記第２のアンプから出力される増幅された前記防諜音信号を音声として出力する第２のスピーカと、前記第３のアンプから出力される増幅された前記防諜音信号を音声として出力する第３のスピーカと、を備えた。
【００７３】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の防諜音信号を発生させて、第２，第３のスピーカから防諜音信号を音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００７４】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、所定の第１の防諜音信号を発生させる第１の防諜音信号発生部と、前記第１の防諜音信号発生部から出力される前記第１の防諜音信号を、前記第１のアクティブノイズコントロール処理部から出力される前記第１の逆相信号のレベルに応じて増幅する第２のアンプと、前記第２のアンプから出力される増幅された前記第１の防諜音信号を音声として出力する第２のスピーカと、所定の第２の防諜音信号を発生させる第２の防諜音信号発生部と、前記第２の防諜音信号発生部から出力される前記第２の防諜音信号を、前記第２のアクティブノイズコントロール処理部から出力される前記第２の逆相信号のレベルに応じて増幅する第３のアンプと、前記第３のアンプから出力される増幅された前記第２の防諜音信号を音声として出力する第３のスピーカと、を備えた。
【００７５】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号を第１の逆相信号のレベルに応じて増幅して音声として出力し、また所定の第２の防諜音信号を発生し、発生した第２の防諜音信号を第２の逆相信号のレベルに応じて増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００７６】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、所定の第１の防諜音信号を発生させる第１の防諜音信号発生部と、前記第１の防諜音信号発生部から出力される前記第１の防諜音信号を、前記第１のマイクロフォンから出力される前記第１の音声信号のレベルに応じて増幅する第２のアンプと、前記第２のアンプから出力される増幅された前記第１の防諜音信号を音声として出力する第２のスピーカと、所定の第２の防諜音信号を発生させる第２の防諜音信号発生部と、前記第２の防諜音信号発生部から出力される前記第２の防諜音信号を、前記第２のマイクロフォンから出力される前記第２の音声信号のレベルに応じて増幅する第３のアンプと、前記第３のアンプから出力される増幅された前記第２の防諜音信号を音声として出力する第３のスピーカと、を備えた。
【００７７】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号を第１の音声信号のレベルに応じて増幅して音声として出力し、また所定の第２の防諜音信号を発生し、発生した第２の防諜音信号を第２の音声信号のレベルに応じて増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００７８】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、所定の第１の防諜音信号を発生させる第１の防諜音信号発生部と、前記第１の防諜音信号発生部から出力される前記第１の防諜音信号の周波数特性を、前記第１のマイクロフォンから出力される前記第１の音声信号の周波数特性に応じて調整する第１の防諜音信号調整部と、前記第１の防諜音信号調整部から出力される周波数特性が調整された前記第１の防諜音信号を増幅する第２のアンプと、前記第２のアンプから出力される増幅された前記第１の防諜音信号を音声として出力する第２のスピーカと、所定の第２の防諜音信号を発生させる第２の防諜音信号発生部と、前記第２の防諜音信号発生部から出力される前記第２の防諜音信号の周波数特性を、前記第２のマイクロフォンから出力される前記第２の音声信号の周波数特性に応じて調整する第２の防諜音信号調整部と、前記第２の防諜音信号調整部から出力される周波数特性が調整された前記第２の防諜音信号を増幅する第３のアンプと、前記第３のアンプから出力される増幅された前記第２の防諜音信号を音声として出力する第３のスピーカと、を備えた。
【００７９】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号の周波数特性を第１のマイクロフォンから出力される第１の音声信号の周波数特性に応じて調整し、調整した第１の防諜音信号を増幅して音声として出力し、また所定の第２の防諜音信号を発生し、発生した第２の防諜音信号の周波数特性を第２のマイクロフォンから出力される第２の音声信号の周波数特性に応じて調整し、調整した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００８０】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、前記第１のアクティブノイズコントロール処理部から出力される前記第１の逆相信号に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、前記第２のアクティブノイズコントロール処理部から出力される前記第２の逆相信号に基づき第２の防諜音信号を生成する第２の防諜音信号生成部と、前記第２の防諜音信号生成部から出力される前記第２の防諜音信号を増幅する第３のアンプと、前記第３のアンプから出力される増幅された前記第２の防諜音信号を音声として出力する第３のスピーカと、を備えた。
【００８１】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また第１の逆相信号に基づき第１の防諜音信号を生成し、生成した第１の防諜音信号を増幅して音声として出力し、また第２の逆相信号に基づき第２の防諜音信号を生成し、生成した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００８２】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、前記第１のマイクロフォンから出力される前記第１の音声信号に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、前記第２のマイクロフォンから出力される前記第２の音声信号に基づき第２の防諜音信号を生成する第２の防諜音信号生成部と、前記第２の防諜音信号生成部から出力される前記第２の防諜音信号を増幅する第３のアンプと、前記第３のアンプから出力される増幅された前記第２の防諜音信号を音声として出力する第３のスピーカと、を備えた。
【００８３】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して第２の音声信号に対する第２の逆相信号を生成し、生成した第１の逆相信号と第２の逆相信号とを合成し、合成信号を増幅して音声として出力し、また第１のマイクロフォンから出力される第１の音声信号に基づき第１の防諜音信号を生成し、生成した第１の防諜音信号を増幅して音声として出力し、また第２のマイクロフォンから出力される第２の音声信号に基づき第２の防諜音信号を生成し、生成した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００８４】
本発明のボイスキャンセリングパーティションは、第１のマイクロフォンと、前記第１のマイクロフォンから出力される第１の音声信号の低周波成分のみを通過させる第１のローパスフィルタと、前記第１のローパスフィルタから出力される前記低周波成分のみにアクティブノイズコントロール処理を施して前記低周波成分に対する第１の逆相信号を生成する第１のアクティブノイズコントロール処理部と、第２のマイクロフォンと、前記第２のマイクロフォンから出力される第２の音声信号の低周波成分のみを通過させる第２のローパスフィルタと、前記第２のローパスフィルタから出力される前記低周波成分のみにアクティブノイズコントロール処理を施して前記低周波成分に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、高周波成分のみからなる所定の第１の防諜音信号を発生させる第１の防諜音信号発生部と、前記第１の防諜音信号発生部から出力される前記第１の防諜音信号を増幅する第２のアンプと、前記第２のアンプから出力される増幅された前記第１の防諜音信号を音声として出力する第２のスピーカと、高周波成分のみからなる所定の第２の防諜音信号を発生させる第２の防諜音信号発生部と、前記第２の防諜音信号発生部から出力される前記第２の防諜音信号を増幅する第３のアンプと、前記第３のアンプから出力される増幅された前記第２の防諜音信号を音声として出力する第３のスピーカと、を備えた。
【００８５】
上記構成によれば、第１のマイクロフォンから出力される第１の音声信号の低周波成分のみを通過させて、第１の音声信号の低周波成分のみにアクティブノイズコントロール処理を施して該低周波成分に対する第１の逆相信号を生成し、また第２のマイクロフォンから出力される第２の音声信号の低周波成分のみを通過させて、第２の音声信号の低周波成分のみにアクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号を増幅して音声として出力し、また高周波成分のみからなる所定の第２の防諜音信号を発生し、発生した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００８６】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、高周波成分のみからなる所定の第１の防諜音信号を発生させる第１の防諜音信号発生部と、前記第１の防諜音信号発生部から出力される前記第１の防諜音信号を、前記第１の周波数分割器から出力される前記高周波成分のレベルに応じて増幅する第２のアンプと、前記第２のアンプから出力される増幅された前記第１の防諜音信号を音声として出力する第２のスピーカと、高周波成分のみからなる所定の第２の防諜音信号を発生させる第２の防諜音信号発生部と、前記第２の防諜音信号発生部から出力される前記第２の防諜音信号を、前記第２の周波数分割器から出力される前記高周波成分のレベルに応じて増幅する第３のアンプと、前記第３のアンプから出力される増幅された前記第２の防諜音信号を音声として出力する第３のスピーカと、を備えた。
【００８７】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号を第１の音声信号の高周波成分のレベルに応じて増幅し、増幅した第１の防諜音信号を増幅して音声として出力し、また高周波成分のみからなる所定の第２の防諜音信号を発生し、発生した第２の防諜音信号を第２の音声信号の高周波成分のレベルに応じて増幅し、増幅した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００８８】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、高周波成分のみからなる所定の第１の防諜音信号を発生させる第１の防諜音信号発生部と、前記第１の防諜音信号発生部から出力される前記第１の防諜音信号の周波数特性を、前記第１の周波数分割器から出力される前記高周波成分の周波数特性に応じて調整する第１の防諜音信号調整部と、前記第１の防諜音信号調整部から出力される周波数特性が調整された前記第１の防諜音信号を増幅する第２のアンプと、前記第２のアンプから出力される増幅された前記第１の防諜音信号を音声として出力する第２のスピーカと、高周波成分のみからなる所定の第２の防諜音信号を発生させる第２の防諜音信号発生部と、前記第２の防諜音信号発生部から出力される前記第２の防諜音信号の周波数特性を、前記第２の周波数分割器から出力される前記高周波成分の周波数特性に応じて調整する第２の防諜音信号調整部と、前記第２の防諜音信号調整部から出力される周波数特性が調整された前記第２の防諜音信号を増幅する第３のアンプと、前記第３のアンプから出力される増幅された前記第２の防諜音信号を音声として出力する第３のスピーカと、を備えた。
【００８９】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号の周波数特性を第１の音声信号の高周波成分の周波数特性に応じて調整し、調整した第１の防諜音信号を増幅して音声として出力し、また高周波成分のみからなる所定の第２の防諜音信号を発生し、発生した第２の防諜音信号の周波数特性を第２の音声信号の高周波成分の周波数特性に応じて調整し、調整した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００９０】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、前記第１の周波数分割器から出力される前記高周波成分に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、前記第２の周波数分割器から出力される前記高周波成分に基づき第２の防諜音信号を生成する第２の防諜音信号生成部と、前記第２の防諜音信号生成部から出力される前記第２の防諜音信号を増幅する第３のアンプと、前記第３のアンプから出力される増幅された前記第２の防諜音信号を音声として出力する第３のスピーカと、を備えた。
【００９１】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また第１の音声信号の高周波成分に基づき第１の防諜音信号を生成し、生成した第１の防諜音信号を増幅して音声として出力し、また第２の音声信号の高周波成分に基づき第２の防諜音信号を生成し、生成した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００９２】
上記構成において、前記第１のマイクロフォンはパーティション本体の第１の音源側の面に配置されており、前記第２のマイクロフォンは前記パーティション本体の前記第１の音源側の面と反対側にある第２の音源側の面に配置されており、前記第１のスピーカは前記パーティション本体の上面に配置されており、前記第２のスピーカは前記パーティション本体の前記第２の音源側の面に配置されており、前記第３のスピーカは前記パーティション本体の前記第１の音源側の面に配置されている。
【００９３】
上記構成によれば、第１のマイクロフォンが集音する集音側と第２のマイクロフォンが集音する集音側それぞれにおける会話音の音圧レベルを低減させながら、秘話特性を向上させることが可能となる。
【００９４】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、所定の防諜音信号を発生させる防諜音信号発生部と、前記第１のアクティブノイズコントロール処理部から出力される前記第１の逆相信号と、前記第２のアクティブノイズコントロール処理部から出力される前記第２の逆相信号と、前記防諜音信号発生部から出力される前記防諜音信号とを合成する信号合成部と、前記信号合成部から出力される合成信号を増幅するアンプと、前記アンプから出力される増幅された前記合成信号を音声として出力するスピーカと、を備えた。
【００９５】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、また所定の防諜音信号を発生し、生成した第１，第２の逆相信号と、発生した所定の防諜音信号とを合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００９６】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、所定の第１の防諜音信号を発生させる第１の防諜音信号発生部と、前記第１の防諜音信号発生部から出力される前記第１の防諜音信号の周波数特性を、前記第１のマイクロフォンから出力される前記第１の音声信号の周波数特性に応じて調整する第１の防諜音信号調整部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、所定の第２の防諜音信号を発生させる第２の防諜音信号発生部と、前記第２の防諜音信号発生部から出力される前記第２の防諜音信号の周波数特性を、前記第２のマイクロフォンから出力される前記第２の音声信号の周波数特性に応じて調整する第２の防諜音信号調整部と、前記第１のアクティブノイズコントロール処理部から出力される前記第１の逆相信号と、前記第１の防諜音信号調整部から出力される周波数特性が調整された前記第１の防諜音信号と、前記第２のアクティブノイズコントロール処理部から出力される前記第２の逆相信号と、前記第２の防諜音信号調整部から出力される周波数特性が調整された前記第２の防諜音信号とを合成する信号合成部と、前記信号合成部から出力される合成信号を増幅するアンプと、前記アンプから出力される増幅された前記合成信号を音声として出力するスピーカと、を備えた。
【００９７】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、また所定の第１の防諜音信号を発生して、該第１の防諜音信号の周波数特性を第１の音声信号の周波数特性に応じて調整し、また所定の第２の防諜音信号を発生して、該第２の防諜音信号の周波数特性を第２の音声信号の周波数特性に応じて調整し、生成した第１，第２の逆相信号と周波数特性を調整した第１，第２の防諜音信号を合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【００９８】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のアクティブノイズコントロール処理部から出力される前記第１の逆相信号に基づき第１の防諜音信号を生成する第１の防諜音信号生成部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のアクティブノイズコントロール処理部から出力される前記第２の逆相信号に基づき第２の防諜音信号を生成する第２の防諜音信号生成部と、前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、前記信号合成部から出力される合成信号を増幅するアンプと、前記アンプから出力される増幅された前記合成信号を音声として出力するスピーカと、を備えた。
【００９９】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、また第１の逆相信号に基づき第１の防諜音信号を生成するとともに、第２の逆相信号に基づき第２の防諜音信号を生成し、生成した第１，第２の逆相信号及び第１，第２の防諜音信号を合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１００】
本発明のボイスキャンセリングパーティションは、第１のマイクロフォンと、前記第１のマイクロフォンから出力される第１の音声信号にアクティブノイズコントロール処理を施して前記第１の音声信号に対する第１の逆相信号を生成する第１のアクティブノイズコントロール処理部と、前記第１のマイクロフォンから出力される前記第１の音声信号に基づき第１の防諜音信号を生成する第１の防諜音信号生成部と、第２のマイクロフォンと、前記第２のマイクロフォンから出力される第２の音声信号にアクティブノイズコントロール処理を施して前記第２の音声信号に対する第２の逆相信号を生成する第２のアクティブノイズコントロール処理部と、前記第２のマイクロフォンから出力される前記第２の音声信号に基づき第２の防諜音信号を生成する第２の防諜音信号生成部と、前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、前記信号合成部から出力される合成信号を増幅するアンプと、前記アンプから出力される増幅された前記合成信号を音声として出力するスピーカと、を備えた。
【０１０１】
上記構成によれば、第１のマイクロフォンから出力される第１の音声信号にアクティブノイズコントロール処理を施して該第１の音声信号に対する第１の逆相信号を生成するとともに、第２のマイクロフォンから出力される第２の音声信号にアクティブノイズコントロール処理を施して該第２の音声信号に対する第２の逆相信号を生成し、また第１の音声信号に基づき第１の防諜音信号を生成するとともに、第２の音声信号に基づき第２の防諜音信号を生成し、生成した第１，第２の逆相信号及び第１，第２の防諜音信号を合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１０２】
本発明のボイスキャンセリングパーティションは、第１のマイクロフォンと、前記第１のマイクロフォンから出力される第１の音声信号の低周波成分のみを通過させる第１のローパスフィルタと、前記第１のローパスフィルタから出力される前記低周波成分のみにアクティブノイズコントロール処理を施して前記低周波成分に対する第１の逆相信号を生成する第１のアクティブノイズコントロール処理部と、高周波成分のみからなる所定の第１の防諜音信号を発生させる第１の防諜音信号発生部と、第２のマイクロフォンと、前記第２のマイクロフォンから出力される第２の音声信号の低周波成分のみを通過させる第２のローパスフィルタと、前記第２のローパスフィルタから出力される前記低周波成分のみにアクティブノイズコントロール処理を施して前記低周波成分に対する第２の逆相信号を生成する第２のアクティブノイズコントロール処理部と、高周波成分のみからなる所定の第２の防諜音信号を発生させる第２の防諜音信号発生部と、前記第１のアクティブノイズコントロール処理部から出力される前記第１の逆相信号と、前記第１の防諜音信号発生部から出力される前記第１の防諜音信号と、前記第２のアクティブノイズコントロール処理部から出力される前記第２の逆相信号と、前記第２の防諜音信号発生部から出力される前記第２の防諜音信号とを合成する信号合成部と、前記信号合成部から出力される合成信号を増幅するアンプと、前記アンプから出力される増幅された前記合成信号を音声として出力するスピーカと、を備えた。
【０１０３】
上記構成によれば、第１のマイクロフォンから出力される第１の音声信号の低周波成分のみを通過させて、第１の音声信号の低周波成分のみにアクティブノイズコントロール処理を施して該低周波成分に対する第１の逆相信号を生成するとともに、第２のマイクロフォンから出力される第２の音声信号の低周波成分のみを通過させて、第２の音声信号の低周波成分のみにアクティブノイズコントロール処理を施して該低周波成分に対する第２の逆相信号を生成し、また高周波成分のみからなる所定の第１，第２の防諜音信号を発生し、第１，第２の逆相信号と、第１，第２の防諜音信号とを合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１０４】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、高周波成分のみからなる所定の第１の防諜音信号を発生させる第１の防諜音信号発生部と、前記第１の防諜音信号発生部から出力される前記第１の防諜音信号の周波数特性を、前記第１の周波数分割器から出力される前記高周波成分の周波数特性に応じて調整する第１の防諜音信号調整部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、高周波成分のみからなる所定の第２の防諜音信号を発生させる第２の防諜音信号発生部と、前記第２の防諜音信号発生部から出力される前記第２の防諜音信号の周波数特性を、前記第２の周波数分割器から出力される前記高周波成分の周波数特性に応じて調整する第２の防諜音信号調整部と、前記第１のアクティブノイズコントロール処理部から出力される前記第１の逆相信号と、前記第１の防諜音信号調整部から出力される周波数特性が調整された前記第１の防諜音信号と、前記第２のアクティブノイズコントロール処理部から出力される前記第２の逆相信号と、前記第２の防諜音信号調整部から出力される周波数特性が調整された前記第２の防諜音信号とを合成する信号合成部と、前記信号合成部から出力される合成信号を増幅するアンプと、前記アンプから出力される増幅された前記合成信号を音声として出力するスピーカと、を備えた。
【０１０５】
上記構成によれば、第１のマイクロフォンから出力される第１の音声信号を低周波成分と高周波成分とに分割するとともに、第２のマイクロフォンから出力される第２の音声信号を低周波成分と高周波成分とに分割し、第１の音声信号の低周波成分にアクティブノイズコントロール処理を施して該低周波成分に対する第１の逆相信号を生成し、また第２の音声信号の低周波成分にアクティブノイズコントロール処理を施して該低周波成分に対する第２の逆相信号を生成し、また高周波成分のみからなる所定の第１の防諜音信号を発生し、発生した第１の防諜音信号の周波数特性を第１の音声信号の高周波成分の周波数特性に応じて調整し、また高周波成分のみからなる所定の第２の防諜音信号を発生し、発生した第２の防諜音信号の周波数特性を第２の音声信号の高周波成分の周波数特性に応じて調整し、生成した第１，第２の逆相信号と、周波数特性を調整した第１，第２の防諜音信号とを合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１０６】
本発明のボイスキャンセリングパーティションは、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、前記第１の周波数分割器から出力される前記高周波成分に基づき第１の防諜音信号を生成する第１の防諜音信号生成部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第２の周波数分割器から出力される前記高周波成分に基づき第２の防諜音信号を生成する第２の防諜音信号生成部と、前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、前記信号合成部から出力される合成信号を増幅するアンプと、前記アンプから出力される増幅された前記合成信号を音声として出力するスピーカと、を備えた。
【０１０７】
上記構成によれば、第１のマイクロフォンから出力される第１の音声信号を低周波成分と高周波成分とに分割するとともに、第２のマイクロフォンから出力される第２の音声信号を低周波成分と高周波成分とに分割し、第１の音声信号の低周波成分にアクティブノイズコントロール処理を施して該低周波成分に対する第１の逆相信号を生成し、また第２の音声信号の低周波成分にアクティブノイズコントロール処理を施して該低周波成分に対する第２の逆相信号を生成し、また第１の音声信号の高周波成分に基づき第１の防諜音信号を生成し、また第２の音声信号の高周波成分に基づき第２の防諜音信号を生成し、生成した第１，第２の逆相信号と第１，第２の防諜音信号とを合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１０８】
上記構成において、前記第１のマイクロフォンはパーティション本体の第１の音源側の面に配置されており、前記第２のマイクロフォンは前記パーティション本体の前記第１の音源側の面と反対側にある第２の音源側の面に配置されており、前記スピーカは前記パーティション本体の上面に配置されている。
【０１０９】
上記構成によれば、第１のマイクロフォンが集音する集音側と第２のマイクロフォンが集音する集音側それぞれにおける会話音の音圧レベルを低減させながら、秘話特性を向上させることが可能となる。
【０１１０】
本発明のボイスキャンセリングユニットは、パーティションに取り付け可能なボイスキャンセリングユニットであって、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、前記第１の周波数分割器から出力される前記高周波成分に基づき第１の防諜音信号を生成する第１の防諜音信号生成部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第２の周波数分割器から出力される前記高周波成分に基づき第２の防諜音信号を生成する第２の防諜音信号生成部と、前記第１のアクティブノイズコントロール処理部から出力される前記第１の逆相信号と、前記第１の防諜音信号生成部から出力される前記第１の防諜音信号と、前記第２のアクティブノイズコントロール処理部から出力される前記第２の逆相信号と、前記第２の防諜音信号生成部から出力される前記第２の防諜音信号とを合成する信号合成部と、前記信号合成部から出力される合成信号を増幅するアンプと、前記アンプから出力される増幅された前記合成信号を音声として出力するスピーカと、を備えた。
【０１１１】
上記構成によれば、第１のマイクロフォンから出力される第１の音声信号を低周波成分と高周波成分とに分割するとともに、第２のマイクロフォンから出力される第２の音声信号を低周波成分と高周波成分とに分割し、第１の音声信号の低周波成分にアクティブノイズコントロール処理を施して該低周波成分に対する第１の逆相信号を生成し、また第２の音声信号の低周波成分にアクティブノイズコントロール処理を施して該低周波成分に対する第２の逆相信号を生成し、また第１の音声信号の高周波成分に基づき第１の防諜音信号を生成し、また第２の音声信号の高周波成分に基づき第２の防諜音信号を生成し、生成した第１，第２の逆相信号及び第１，第２の防諜音信号を合成し、合成信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１１２】
上記構成において、前記第１のマイクロフォンはユニット本体の第１の音源側の面に配置されており、前記第２のマイクロフォンは前記ユニット本体の前記第１の音源側の面と反対側にある第２の音源側の面に配置されており、前記スピーカは前記ユニット本体の上面に配置されている。
【０１１３】
上記構成によれば、第１のマイクロフォンが集音する集音側と第２のマイクロフォンが集音する集音側それぞれにおける会話音の音圧レベルを低減させながら、秘話特性を向上させることが可能となる。
【０１１４】
本発明のボイスキャンセリングユニットは、パーティションに取り付け可能なボイスキャンセリングユニットであって、第１のマイクロフォンと、前記第１のマイクロフォンから出力される第１の音声信号を低周波成分と高周波成分とに分割する第１の周波数分割器と、前記第１の周波数分割器から出力される前記低周波成分にアクティブノイズコントロール処理を施して前記低周波成分に対する第１の逆相信号を生成する第１のアクティブノイズコントロール処理部と、第２のマイクロフォンと、前記第２のマイクロフォンから出力される第２の音声信号を低周波成分と高周波成分とに分割する第２の周波数分割器と、前記第２の周波数分割器から出力される前記低周波成分にアクティブノイズコントロール処理を施して前記低周波成分に対する第２の逆相信号を生成する第２のアクティブノイズコントロール処理部と、前記第１のアクティブノイズコントロール処理部から出力される前記第１の逆相信号と、前記第２のアクティブノイズコントロール処理部から出力される前記第２の逆相信号とを合成する信号合成部と、前記信号合成部から出力される合成信号を増幅する第１のアンプと、前記第１のアンプから出力される増幅された前記合成信号を音声として出力する第１のスピーカと、前記第１の周波数分割器から出力される前記高周波成分に基づき第１の防諜音信号を生成する第１の防諜音信号生成部と、前記第１の防諜音信号生成部から出力される前記第１の防諜音信号を増幅する第２のアンプと、前記第２のアンプから出力される増幅された前記第１の防諜音信号を音声として出力する第２のスピーカと、前記第２の周波数分割器から出力される前記高周波成分に基づき第２の防諜音信号を生成する第２の防諜音信号生成部と、前記第２の防諜音信号生成部から出力される前記第２の防諜音信号を増幅する第３のアンプと、前記第３のアンプから出力される増幅された前記第２の防諜音信号を音声として出力する第３のスピーカと、を備えた。
【０１１５】
上記構成によれば、第１のマイクロフォンから出力される第１の音声信号を低周波成分と高周波成分とに分割し、第１の音声信号の低周波成分に対して、アクティブノイズコントロール処理を施して該低周波成分に対する第１の逆相信号を生成し、また第２のマイクロフォンから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また第１の音声信号の高周波成分に基づき第１の防諜音信号を生成し、生成した第１の防諜音信号を増幅して音声として出力し、また第２の音声信号の高周波成分に基づき第２の防諜音信号を生成し、生成した第２の防諜音信号を増幅して音声として出力するので、第１のマイクロフォンが集音する集音側と第２のマイクロフォンが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１１６】
上記構成において、前記第１のマイクロフォンはユニット本体の第１の音源側の面に配置されており、前記第２のマイクロフォンは前記ユニット本体の前記第１の音源側の面と反対側にある第２の音源側の面に配置されており、前記第１のスピーカは前記ユニット本体の上面に配置されており、前記第２のスピーカは前記ユニット本体の前記第２の音源側の面に配置されており、前記第３のスピーカは前記ユニット本体の前記第１の音源側の面に配置されている。
【０１１７】
上記構成によれば、第１のマイクロフォンが集音する集音側と第２のマイクロフォンが集音する集音側それぞれにおける会話音の音圧レベルを低減させながら、秘話特性を向上させることが可能となる。
【発明の効果】
【０１１８】
本発明によれば、会話音の音圧レベルを低減させながら、秘話特性を向上させることができる。
【図面の簡単な説明】
【０１１９】
【図１】本発明の実施の形態１に係るボイスキャンセリングパーティションの電気的な構成を示すブロック図
【図２】図１のボイスキャンセリングパーティションにおけるマイクロフォン及びスピーカの配置を示す図
【図３】本発明の実施の形態２に係るボイスキャンセリングパーティションの電気的な構成を示すブロック図
【図４】本発明の実施の形態３に係るボイスキャンセリングパーティションの電気的な構成を示すブロック図
【図５】本発明の実施の形態４に係るボイスキャンセリングパーティションの電気的な構成を示すブロック図
【図６】本発明の実施の形態５に係るボイスキャンセリングパーティションの電気的な構成を示すブロック図
【図７】本発明の実施の形態６に係るボイスキャンセリングパーティションの電気的な構成を示すブロック図
【図８】本発明の実施の形態７に係るボイスキャンセリングパーティションの電気的な構成を示すブロック図
【図９】本発明の実施の形態８に係るボイスキャンセリングパーティションの電気的な構成を示すブロック図
【図１０】図９のボイスキャンセリングパーティションにおいて、固定の防諜音をマイクロフォンにより収音した音量により音量調整した場合の音圧の周波数特性を示す図
【図１１】本発明の実施の形態９に係るボイスキャンセリングパーティションの電気的な構成を示すブロック図
【図１２】図１１のボイスキャンセリングパーティションにおいて、固定の防諜音を、マイクロフォンにより収音した音の周波数を分析し、例えば１０バンドの帯域で音量調整した場合の音圧の周波数特性を示す図
【図１３】本発明の実施の形態１０に係るボイスキャンセリングパーティションの電気的な構成を示すブロック図
【図１４】図１３のボイスキャンセリングパーティションにおけるマイクロフォン及びスピーカの配置を示す図
【図１５】図１３のボイスキャンセリングパーティションにおいて、サウンドマスキング処理のみ施した場合の音圧の周波数特性と、アクティブノイズコントロール処理に加えてサウンドマスキング処理を施した場合の音圧の周波数特性を示す図
【図１６】本発明の実施の形態１１に係るボイスキャンセリングパーティションの電気的な構成を示すブロック図
【図１７】図１６のボイスキャンセリングパーティションにおけるマイクロフォン及びスピーカの配置を示す図
【図１８】本発明の実施の形態１２に係るボイスキャンセリングパーティションの電気的な構成を示すブロック図
【図１９】本発明の実施の形態１３に係るボイスキャンセリングパーティションの電気的な構成を示すブロック図
【図２０】本発明の実施の形態１４に係るボイスキャンセリングパーティションの電気的な構成を示すブロック図
【図２１】本発明の実施の形態１５に係るボイスキャンセリングパーティションの電気的な構成を示すブロック図
【図２２】本発明の実施の形態１６に係るボイスキャンセリングパーティションの電気的な構成を示すブロック図
【図２３】本発明の実施の形態１７に係るボイスキャンセリングパーティションの電気的な構成を示すブロック図
【図２４】本発明の実施の形態１８に係るボイスキャンセリングパーティションの電気的な構成を示すブロック図
【図２５】本発明の実施の形態１９に係るボイスキャンセリングパーティションの電気的な構成を示すブロック図
【図２６】本発明の実施の形態２０に係るボイスキャンセリングパーティションの電気的な構成を示すブロック図
【図２７】図２６のボイスキャンセリングパーティションにおいて、低周波成分にアクティブノイズコントロール処理を施し、高周波成分にサウンドマスキング処理を施した場合の音圧の周波数特性を示す図
【図２８】本発明の実施の形態２１に係るボイスキャンセリングパーティションの電気的な構成を示すブロック図
【図２９】図２８のボイスキャンセリングパーティションにおけるマイクロフォン及びスピーカの配置を示す図
【図３０】本発明の実施の形態２２に係るボイスキャンセリングパーティションの電気的な構成を示すブロック図
【図３１】本発明の実施の形態２３に係るボイスキャンセリングパーティションの電気的な構成を示すブロック図
【図３２】本発明の実施の形態２４に係るボイスキャンセリングパーティションの電気的な構成を示すブロック図
【図３３】本発明の実施の形態２５に係るボイスキャンセリングパーティションの電気的な構成を示すブロック図
【図３４】本発明の実施の形態２６に係るボイスキャンセリングパーティションの電気的な構成を示すブロック図
【図３５】本発明の実施の形態２７に係るボイスキャンセリングパーティションの電気的な構成を示すブロック図
【図３６】本発明の実施の形態２８に係るボイスキャンセリングパーティションの電気的な構成を示すブロック図
【図３７】本発明の実施の形態２９に係るボイスキャンセリングパーティションの電気的な構成を示すブロック図
【図３８】本発明の実施の形態３０に係るボイスキャンセリングパーティションの電気的な構成を示すブロック図
【図３９】本発明の実施の形態３１に係るボイスキャンセリングパーティションの電気的な構成を示すブロック図
【図４０】図３９のボイスキャンセリングパーティションにおけるマイクロフォン及びスピーカの配置を示す図
【図４１】本発明の実施の形態３２に係るボイスキャンセリングパーティションの電気的な構成を示すブロック図
【図４２】本発明の実施の形態３３に係るボイスキャンセリングパーティションの電気的な構成を示すブロック図
【図４３】本発明の実施の形態３４に係るボイスキャンセリングパーティションの電気的な構成を示すブロック図
【図４４】本発明の実施の形態３５に係るボイスキャンセリングパーティションの電気的な構成を示すブロック図
【図４５】本発明の実施の形態３６に係るボイスキャンセリングパーティションの電気的な構成を示すブロック図
【図４６】本発明の実施の形態３７に係るボイスキャンセリングパーティションの電気的な構成を示すブロック図
【図４７】本発明の実施の形態３８に係るボイスキャンセリングパーティションの電気的な構成を示すブロック図
【図４８】本発明の実施の形態３９に係るボイスキャンセリングパーティションの電気的な構成を示すブロック図
【図４９】本発明の実施の形態４０に係るボイスキャンセリングパーティションの電気的な構成を示すブロック図
【図５０】本発明の実施の形態４１に係るボイスキャンセリングパーティションの電気的な構成を示すブロック図
【図５１】図５０のボイスキャンセリングパーティションにおけるマイクロフォン及びスピーカの配置を示す図
【図５２】本発明の実施の形態４２に係るボイスキャンセリングパーティションの電気的な構成を示すブロック図
【図５３】本発明の実施の形態４３に係るボイスキャンセリングパーティションの電気的な構成を示すブロック図
【図５４】本発明の実施の形態４４に係るボイスキャンセリングパーティションの電気的な構成を示すブロック図
【図５５】本発明の実施の形態４５に係るボイスキャンセリングパーティションの電気的な構成を示すブロック図
【図５６】本発明の実施の形態４６に係るボイスキャンセリングパーティションの電気的な構成を示すブロック図
【図５７】本発明の実施の形態４７に係るボイスキャンセリングパーティションの電気的な構成を示すブロック図
【図５８】本発明の実施の形態４８に係るボイスキャンセリングユニットの内部構成を示す図
【図５９】図５８のボイスキャンセリングユニットを複数個パーティションに取り付けた状態を示す斜視図
【図６０】本発明の実施の形態４９に係るボイスキャンセリングユニットの内部構成を示す図
【図６１】アクティブノイズコントロール処理の有無による会話音の周波数特性を示す図
【図６２】サウンドマスキング処理の有無による会話音の周波数特性を示す図
【発明を実施するための形態】
【０１２０】
以下、本発明を実施するための好適な実施の形態について、図面を参照して詳細に説明する。
【０１２１】
（実施の形態１）
図１は、本発明の実施の形態１に係るボイスキャンセリングパーティションの電気的な構成を示すブロック図である。図２は、図１のボイスキャンセリングパーティションにおけるマイクロフォン及びスピーカの配置を示す図である。
【０１２２】
図１において、本実施の形態に係るボイスキャンセリングパーティション１００は、マイクロフォン２と、アクティブノイズコントロール処理部（ＡＮＣ処理部）３と、防諜音信号発生部４と、アンプ（第１のアンプ）５と、アンプ（第２のアンプ）６と、スピーカ（第１のスピーカ）７と、スピーカ（第２のスピーカ）８と、を備える。アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号発生部４は、所定の防諜音信号を発生させる。アンプ６は、防諜音信号発生部４から出力される防諜音信号を増幅する。スピーカ８は、アンプ６から出力される増幅された防諜音信号を音声として出力する。
【０１２３】
図２において、上記マイクロフォン２、アクティブノイズコントロール処理部３、防諜音信号発生部４、アンプ５，６及びスピーカ７，８は、縦長箱状体のパーティション本体１００Ａに収容される。この場合、マイクロフォン２は、パーティション本体１００Ａの内部の上端左隅（図２に向かって左側の隅）に配置され、スピーカ８は、パーティション本体１００Ａの内部右側面の上部に配置される。また、スピーカ７は、パーティション本体１００Ａの内部上面に配置される。なお、パーティション本体１００Ａは、一般的に会議スペースなどで使用されているものと略同じサイズのものである。
【０１２４】
本実施の形態に係るボイスキャンセリングパーティション１００を会議で使用するときは、パーティション本体１００Ａのマイクロフォン２が配置されている側を音源ＳＳ側（隣の会話側）に、スピーカ８が配置されている側を聴者側に向けて配置する。このように配置することで、パーティション本体１００Ａの内部上面に取り付けたスピーカ７から出力される逆位相の音声によってパーティション本体１００Ａの上方を越えて回り込んでくる音声（回折音）を抑圧し、またスピーカ８から出力される防諜音によって回折音の例えば２．５ｋＨｚ以上の子音をマスキングする。
【０１２５】
アクティブノイズコントロール処理だけでは会話の子音部分を低減させることは難しいが、アクティブノイズコントロール処理後の音声に対してサウンドマスキング処理を行うことで、会話の子音部分を不明瞭にすることができる。
【０１２６】
このように本実施の形態に係るボイスキャンセリングパーティション１００によれば、マイクロフォン２から出力される音声信号にアクティブノイズコントロール処理を施して該音声信号に対する逆相信号を生成し、生成した逆相信号を増幅して音声として出力し、また所定の防諜音信号を発生して増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１２７】
（実施の形態２）
図３は、本発明の実施の形態２に係るボイスキャンセリングパーティションの電気的な構成を示すブロック図である。なお、図３において前述した図１と共通する部分には同一の符号を付けている。
【０１２８】
図３において、本実施の形態に係るボイスキャンセリングパーティション１０１は、マイクロフォン２と、アクティブノイズコントロール処理部３と、アンプ（第１のアンプ）５と、スピーカ（第１のスピーカ）７と、防諜音信号発生部４と、アンプ（第２のアンプ）６Ａと、スピーカ（第２のスピーカ）８と、を備える。
【０１２９】
アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号発生部４は、所定の防諜音信号を発生させる。アンプ６Ａは、防諜音信号発生部４から出力される防諜音信号を、アクティブノイズコントロール処理部３から出力される逆相信号のレベルに応じて増幅する。スピーカ８は、アンプ６Ａから出力される増幅された防諜音信号を音声として出力する。
【０１３０】
なお、本実施の形態に係るボイスキャンセリングパーティション１０１において、マイクロフォン２とスピーカ７，８のパーティション本体（図示略）における配置は、前述した図２における配置と同様である。
【０１３１】
このように本実施の形態に係るボイスキャンセリングパーティション１０１によれば、マイクロフォン２から出力される音声信号にアクティブノイズコントロール処理を施して該音声信号に対する逆相信号を生成し、生成した逆相信号を増幅して音声として出力し、また防諜音信号を逆相信号のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１３２】
（実施の形態３）
図４は、本発明の実施の形態３に係るボイスキャンセリングパーティションの電気的な構成を示すブロック図である。なお、図４において前述した図１及び図３と共通する部分には同一の符号を付けている。
【０１３３】
図４において、本実施の形態に係るボイスキャンセリングパーティション１０２は、マイクロフォン２と、アクティブノイズコントロール処理部３と、アンプ（第１のアンプ）５と、スピーカ（第１のスピーカ）７と、防諜音信号発生部４と、アンプ（第２のアンプ）６Ａと、スピーカ（第２のスピーカ）８と、を備える。アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号発生部４は、所定の防諜音信号を発生させる。アンプ６Ａは、防諜音信号発生部４から出力される防諜音信号を、マイクロフォン２から出力される音声信号のレベルに応じて増幅する。スピーカ８は、アンプ６Ａから出力される増幅された防諜音信号を音声として出力する。
【０１３４】
なお、本実施の形態に係るボイスキャンセリングパーティション１０２において、マイクロフォン２とスピーカ７，８のパーティション本体（図示略）における配置は、前述した図２における配置と同様である。
【０１３５】
このように本実施の形態に係るボイスキャンセリングパーティション１０２によれば、マイクロフォン２から出力される音声信号にアクティブノイズコントロール処理を施して該音声信号に対する逆相信号を生成し、生成した逆相信号を増幅して音声として出力し、また防諜音信号をマイクロフォン２から出力される音声信号のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１３６】
（実施の形態４）
図５は、本発明の実施の形態４に係るボイスキャンセリングパーティションの電気的な構成を示すブロック図である。なお、図５において前述した図１と共通する部分には同一の符号を付けている。
【０１３７】
図５において、本実施の形態に係るボイスキャンセリングパーティション１０３は、マイクロフォン２と、アクティブノイズコントロール処理部３と、アンプ（第１のアンプ）５と、スピーカ（第１のスピーカ）７と、防諜音信号発生部４と、防諜音信号調整部９と、アンプ（第２のアンプ）６と、スピーカ（第２のスピーカ）８と、を備える。アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号発生部４は、所定の防諜音信号を発生させる。防諜音信号調整部９は、防諜音信号発生部４から出力される防諜音信号の周波数特性を、マイクロフォン２から出力される音声信号の周波数特性に応じて調整する。アンプ６は、防諜音信号調整部９から出力される周波数特性が調整された防諜音信号を増幅し、スピーカ８は、アンプ６から出力される増幅された防諜音信号を音声として出力する。
【０１３８】
なお、本実施の形態に係るボイスキャンセリングパーティション１０３において、マイクロフォン２とスピーカ７，８のパーティション本体（図示略）における配置は、前述した図２における配置と同様である。
【０１３９】
このように本実施の形態に係るボイスキャンセリングパーティション１０３によれば、マイクロフォン２から出力される音声信号にアクティブノイズコントロール処理を施して該音声信号に対する逆相信号を生成し、生成した逆相信号を増幅して音声として出力し、また防諜音信号を発生させて、この防諜音信号の周波数特性をマイクロフォン２から出力される音声信号の周波数特性に応じて調整し、調整した音声信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１４０】
（実施の形態５）
図６は、本発明の実施の形態５に係るボイスキャンセリングパーティションの電気的な構成を示すブロック図である。なお、図６において前述した図１と共通する部分には同一の符号を付けている。
【０１４１】
図６において、本実施の形態に係るボイスキャンセリングパーティション１０４は、マイクロフォン２と、アクティブノイズコントロール処理部３と、アンプ（第１のアンプ）５と、スピーカ（第１のスピーカ）７と、防諜音信号生成部１０と、アンプ（第２のアンプ）６と、スピーカ（第２のスピーカ）８と、を備える。アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号生成部１０は、アクティブノイズコントロール処理部３から出力される逆相信号に基づき防諜音信号を生成する。アンプ６は、防諜音信号生成部１０から出力される防諜音信号を増幅し、スピーカ８は、アンプ６から出力される増幅された防諜音信号を音声として出力する。
【０１４２】
なお、本実施の形態に係るボイスキャンセリングパーティション１０４において、マイクロフォン２とスピーカ７，８のパーティション本体（図示略）における配置は、前述した図２における配置と同様である。
【０１４３】
このように本実施の形態に係るボイスキャンセリングパーティション１０４によれば、マイクロフォン２から出力される音声信号にアクティブノイズコントロール処理を施して該音声信号に対する逆相信号を生成し、生成した逆相信号を増幅して音声として出力し、またアクティブノイズコントロール処理部３から出力される逆相信号に基づき防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１４４】
（実施の形態６）
図７は、本発明の実施の形態６に係るボイスキャンセリングパーティションの電気的な構成を示すブロック図である。なお、図７において前述した図１と共通する部分には同一の符号を付けている。
【０１４５】
図７において、本実施の形態に係るボイスキャンセリングパーティション１０５は、マイクロフォン２と、アクティブノイズコントロール処理部３と、アンプ（第１のアンプ）５と、スピーカ（第１のスピーカ）７と、防諜音信号生成部１１と、アンプ（第２のアンプ）６と、スピーカ（第２のスピーカ）８と、を備える。アクティブノイズコントロール処理部３は、マイクロフォン２から出力される音声信号にアクティブノイズコントロール処理を施して該音声信号に対する逆相信号を生成する。アンプ５は、アクティブノイズコントロール処理部３から出力される逆相信号を増幅する。スピーカ７は、アンプ５から出力される増幅された逆相信号を音声として出力する。防諜音信号生成部１１は、マイクロフォン２から出力される音声信号に基づき防諜音信号を生成する。アンプ６は、防諜音信号生成部１１から出力される防諜音信号を増幅し、スピーカ８は、アンプ６から出力される増幅された防諜音信号を音声として出力する。
【０１４６】
なお、本実施の形態に係るボイスキャンセリングパーティション１０５において、マイクロフォン２とスピーカ７，８のパーティション本体（図示略）における配置は、前述した図２における配置と同様である。
【０１４７】
このように本実施の形態に係るボイスキャンセリングパーティション１０５によれば、マイクロフォン２から出力される音声信号にアクティブノイズコントロール処理を施して該音声信号に対する逆相信号を生成し、生成した逆相信号を増幅して音声として出力し、またマイクロフォン２から出力される音声信号に基づき防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１４８】
（実施の形態７）
図８は、本発明の実施の形態７に係るボイスキャンセリングパーティションの電気的な構成を示すブロック図である。なお、図８において前述した図１と共通する部分には同一の符号を付けている。
【０１４９】
図８において、本実施の形態に係るボイスキャンセリングパーティション１０６は、マイクロフォン２と、ローパスフィルタ（ＬＰＦ）１２と、アクティブノイズコントロール処理部３と、アンプ（第１のアンプ）５と、スピーカ（第１のスピーカ）７と、防諜音信号発生部４と、アンプ（第２のアンプ）６と、スピーカ（第２のスピーカ）８と、を備える。ローパスフィルタ１２は、マイクロフォン２から出力される音声信号の低周波成分のみを通過させる。アクティブノイズコントロール処理部３は、ローパスフィルタ１２から出力される低周波成分にアクティブノイズコントロール処理を施して該低周波成分に対する逆相信号を生成する。アンプ５は、アクティブノイズコントロール処理部３から出力される逆相信号を増幅し、スピーカ７は、アンプ５から出力される増幅された逆相信号を音声として出力する。防諜音信号発生部４は、所定の防諜音信号を発生させる。アンプ６は、防諜音信号発生部４から出力される防諜音信号を増幅する。スピーカ８は、アンプ６から出力される増幅された防諜音信号を音声として出力する。
【０１５０】
なお、本実施の形態に係るボイスキャンセリングパーティション１０６において、マイクロフォン２とスピーカ７，８のパーティション本体（図示略）における配置は、前述した図２における配置と同様である。
【０１５１】
このように本実施の形態に係るボイスキャンセリングパーティション１０６によれば、マイクロフォン２から出力される音声信号の低周波成分のみを通過させ、この低周波成分にアクティブノイズコントロール処理を施して該低周波成分に対する逆相信号を生成し、生成した逆相信号を増幅して音声として出力し、また所定の防諜音信号を生成し、生成した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１５２】
（実施の形態８）
図９は、本発明の実施の形態８に係るボイスキャンセリングパーティションの電気的な構成を示すブロック図である。なお、図９において前述した図１と共通する部分には同一の符号を付けている。
【０１５３】
図９において、本実施の形態に係るボイスキャンセリングパーティション１０７は、マクロフォン２と、周波数分割器１３と、アクティブノイズコントロール処理部３と、アンプ（第１のアンプ）５と、スピーカ（第１のスピーカ）７と、防諜音信号発生部１４と、アンプ（第２のアンプ）６Ａと、スピーカ（第２のスピーカ）８と、を備える。周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。アンプ５は、アクティブノイズコントロール処理部３から出力される逆相信号を増幅し、スピーカ７は、アンプ５から出力される増幅された逆相信号を音声として出力する。防諜音信号発生部１４は、高周波成分のみからなる所定の防諜音信号を発生させる。アンプ６Ａは、防諜音信号発生部１４から出力される防諜音信号を、周波数分割器１３から出力される高周波成分のレベルに応じて増幅する。スピーカ８は、アンプ６Ａから出力される増幅された防諜音信号を音声として出力する。
【０１５４】
なお、本実施の形態に係るボイスキャンセリングパーティション１０７において、マイクロフォン２とスピーカ７，８のパーティション本体（図示略）における配置は、前述した図２における配置と同様である。
【０１５５】
図１０は、本実施の形態に係るボイスキャンセリングパーティション１０７において、固定の防諜音（基準防諜音）を、マイクロフォン２により収音した音量により音量調整した場合の音圧の周波数特性を示す図である。同図に示すように、マイクロフォン２により収音した音量により音量調整することによって、低周波数から高周波数に亘って、基準防諜音より高い音圧を得ることができる。
【０１５６】
このように本実施の形態に係るボイスキャンセリングパーティション１０７によれば、マイクロフォン２から出力される音声信号を低周波成分と高周波成分とに分割し、音声信号の低周波成分に対し、アクティブノイズコントロール処理を施して該低周波成分に対する逆相信号を生成し、生成した逆相信号を増幅して音声として出力し、また高周波成分のみからなる所定の防諜音信号を生成し、生成した防諜音信号を音声信号の高周波成分のレベルに応じて増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１５７】
（実施の形態９）
図１１は、本発明の実施の形態９に係るボイスキャンセリングパーティションの電気的な構成を示すブロック図である。なお、図１１において前述した図１及び図９と共通する部分には同一の符号を付けている。
【０１５８】
図１１において、本実施の形態に係るボイスキャンセリングパーティション１０８は、マクロフォン２と、周波数分割器１３と、アクティブノイズコントロール処理部３と、アンプ（第１のアンプ）５と、スピーカ（第１のスピーカ）７と、防諜音信号発生部１４と、防諜音信号調整部１５と、アンプ（第２のアンプ）６と、スピーカ（第２のスピーカ）８と、を備える。周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。防諜音信号発生部１４は、高周波成分のみからなる所定の防諜音信号を発生させる。防諜音信号調整部１５は、防諜音信号発生部１４から出力される防諜音信号の周波数特性を、周波数分割器１３から出力される高周波成分に応じて調整する。アンプ６は、防諜音信号調整部１５から出力される周波数特性が調整された防諜音信号を増幅する。スピーカ８は、アンプ６から出力される増幅された防諜音信号を音声として出力する。
【０１５９】
なお、本実施の形態に係るボイスキャンセリングパーティション１０８において、マイクロフォン２とスピーカ７，８のパーティション本体（図示略）における配置は、前述した図２における配置と同様である。
【０１６０】
図１２は、本実施の形態に係るボイスキャンセリングパーティション１０８において、固定の防諜音（基準防諜音）を、マイクロフォン２により収音した音の周波数を分析し、例えば１０バンドの帯域で音量調整した場合の音圧の周波数特性を示す図である。同図に示すように、マイクロフォン２により収音した音のピーク値に沿う特性となる。
【０１６１】
このように本実施の形態に係るボイスキャンセリングパーティション１０８によれば、マイクロフォン２から出力される音声信号を低周波成分と高周波成分とに分割し、音声信号の低周波成分に対して、アクティブノイズコントロール処理を施して該低周波成分に対する逆相信号を生成し、生成した逆相信号を増幅して音声として出力し、また高周波成分のみからなる所定の防諜音信号を生成し、生成した防諜音信号の周波数特性を音声信号の高周波成分の周波数特性に応じて調整し、調整した防諜音信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１６２】
（実施の形態１０）
図１３は、本発明の実施の形態１０に係るボイスキャンセリングパーティションの電気的な構成を示すブロック図である。なお、図１３において前述した図１及び図９と共通する部分には同一の符号を付けている。
【０１６３】
図１３において、本実施の形態に係るボイスキャンセリングパーティション１０９は、マイクロフォン２と、周波数分割器１３と、アクティブノイズコントロール処理部３と、アンプ（第１のアンプ）５と、スピーカ（第１のスピーカ）７と、防諜音信号生成部１６と、アンプ（第２のアンプ）６と、スピーカ（第２のスピーカ）８と、を備える。周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。防諜音信号生成部１６は、周波数分割器１３から出力される高周波成分に基づき防諜音信号を生成する。アンプ５は、アクティブノイズコントロール処理部３から出力される逆相信号を増幅する。スピーカ７は、アンプ５から出力される増幅された逆相信号を音声として出力する。アンプ６は、防諜音信号生成部１６から出力される防諜音信号を増幅する。スピーカ８は、アンプ６から出力される増幅された防諜音信号を音声として出力する。
【０１６４】
図１４において、上記マイクロフォン２、周波数分割器１３、アクティブノイズコントロール処理部３、防諜音信号生成部１６、アンプ５，６及びスピーカ７，８は、縦長箱状体のパーティション本体１０９Ａに収容される。マイクロフォン２は、パーティション本体１０９Ａの内部の上端左隅（図１４に向かって上側の左隅）に配置され、スピーカ７は、パーティション本体１０９Ａの内部上面に配置され、スピーカ８は、パーティション本体１０９Ａの内部の上部右側面（図１４に向かって上側の右側面）に配置される。なお、パーティション本体１０９Ａは、一般的に会議スペースで使用されているものと略同じサイズのものである。
【０１６５】
本実施の形態に係るボイスキャンセリングパーティション１０９を会議で使用するときは、パーティション本体１０９Ａのマイクロフォン２が配置されている側を音源ＳＳ側（隣の会話側）に向けて配置する。このように配置することで、パーティション本体１０９Ａの上方を越えて回り込んでくる音声（回折音）を抑圧できるとともに、回折音の例えば２．５ｋＨｚ以上の子音をマスキングできる。
【０１６６】
図１５は、本実施の形態に係るボイスキャンセリングパーティション１０９において、サウンドマスキング処理のみ施した場合の音圧の周波数特性と、アクティブノイズコントロール処理に加えてサウンドマスキング処理を施した場合の音圧の周波数特性を示す図である。同図に示すように、防諜音のみ流すより、アクティブノイズコントロール処理と組み合わせることで、同等の効果を低音量で得ることができる。
【０１６７】
このように本実施の形態に係るボイスキャンセリングパーティション１０９によれば、マイクロフォン２から出力される音声信号を低周波成分と高周波成分とに分割し、音声信号の低周波成分に対しては、アクティブノイズコントロール処理を施して低周波成分に対する逆相信号を生成し、生成した逆相信号を増幅して音声として出力し、また音声信号の高周波成分に対しては、この高周波成分に基づき防諜音信号を生成し、生成した防諜音信号を増幅して出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１６８】
（実施の形態１１）
図１６は、本発明の実施の形態１１に係るボイスキャンセリングパーティションの電気的な構成を示すブロック図である。図１７は、図１６のボイスキャンセリングパーティションにおけるマイクロフォン及びスピーカの配置を示す図である。なお、図１６において前述した図１と共通する部分には同一の符号を付けている。
【０１６９】
図１６において、本実施の形態に係るボイスキャンセリングパーティション１１０は、マイクロフォン２と、アクティブノイズコントロール処理部３と、防諜音信号発生部４と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号発生部４は、所定の防諜音信号を発生させる。信号合成部１７は、アクティブノイズコントロール処理部３から出力される逆相信号と、防諜音信号発生部４から出力される防諜音信号とを合成する。アンプ５は、信号合成部１７から出力される合成信号を増幅し、スピーカ７は、アンプ５から出力される増幅された合成信号を音声として出力する。
【０１７０】
図１７において、上記マイクロフォン２、アクティブノイズコントロール処理部３、防諜音信号発生部４、信号合成部１７、アンプ５及びスピーカ７は、縦長箱状体のパーティション本体１１０Ａに収容される。マイクロフォン２は、パーティション本体１１０Ａの内部の上端左隅（図１７に向かって左側の隅）に配置され、スピーカ７は、パーティション本体１１０Ａの内部上面に配置される。なお、パーティション本体１１０Ａは、一般的に会議スペースなどで使用されているものと略同じサイズのものである。
【０１７１】
本実施の形態に係るボイスキャンセリングパーティション１１０を会議で使用するときは、パーティション本体１１０Ａのマイクロフォン２が配置されている側を音源ＳＳ側（隣の会話側）に向けて配置する。このように配置することで、パーティション本体１１０Ａの内部上面に取り付けたスピーカ７から出力される逆位相の音声によってパーティション本体１１０Ａの上方を越えて回り込んでくる音声（回折音）を抑圧し、またスピーカ７から出力される防諜音によって回折音の例えば２．５ｋＨｚ以上の子音をマスキングする。
【０１７２】
アクティブノイズコントロール処理だけでは会話の子音部分を低減させることは難しいが、アクティブノイズコントロール処理後の音声に対してサウンドマスキング処理を行うことで、会話の子音部分を不明瞭にすることができる。
【０１７３】
このように本実施の形態に係るボイスキャンセリングパーティション１１０によれば、マイクロフォン２から出力される音声信号にアクティブノイズコントロール処理を施して該音声信号に対する逆相信号を生成し、また所定の防諜音信号を発生し、生成した逆相信号と発生した防諜音信号とを合成し、合成した信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１７４】
（実施の形態１２）
図１８は、本発明の実施の形態１２に係るボイスキャンセリングパーティションの電気的な構成を示すブロック図である。なお、図１８において前述した図１及び図１６と共通する部分には同一の符号を付けている。
【０１７５】
図１８において、本実施の形態に係るボイスキャンセリングパーティション１１１は、マイクロフォン２と、アクティブノイズコントロール処理部３と、防諜音信号発生部４と、防諜音信号調整部１８と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号発生部４は、所定の防諜音信号を発生させる。防諜音信号調整部１８は、防諜音信号発生部４から出力される防諜音信号を、アクティブノイズコントロール処理部３から出力される逆相信号のレベルに基づき調整する。信号合成部１７は、アクティブノイズコントロール処理部３から出力される逆相信号と、防諜音信号調整部１８から出力される調整された防諜音信号とを合成する。アンプ５は、信号合成部１７から出力される合成信号を増幅する。スピーカ７は、アンプ５から出力される増幅された合成信号を音声として出力する。
【０１７６】
なお、本実施の形態に係るボイスキャンセリングパーティション１１１において、マイクロフォン２とスピーカ７のパーティション本体（図示略）における配置は、前述した図１７における配置と同様である。
【０１７７】
このように本実施の形態に係るボイスキャンセリングパーティション１１１によれば、マイクロフォン２から出力される音声信号にアクティブノイズコントロール処理を施して該音声信号に対する逆相信号を生成し、また所定の防諜音信号を発生し、発生した所定の防諜音信号を逆相信号のレベルに基づき調整し、調整した防諜音信号と、生成した逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１７８】
（実施の形態１３）
図１９は、本発明の実施の形態１３に係るボイスキャンセリングパーティションの電気的な構成を示すブロック図である。なお、図１９において前述した図１及び図１６と共通する部分には同一の符号を付けている。
【０１７９】
図１９において、本実施の形態に係るボイスキャンセリングパーティション１１２は、マイクロフォン２と、アクティブノイズコントロール処理部３と、防諜音信号発生部４と、防諜音信号調整部１９と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号発生部４は、所定の防諜音信号を発生させる。防諜音信号調整部１９は、防諜音信号発生部４から出力される防諜音信号を、マイクロフォン２から出力される音声信号のレベルに基づき調整する。信号合成部１７は、アクティブノイズコントロール処理部３から出力される逆相信号と、防諜音信号調整部１５から出力される調整された防諜音信号とを合成する。アンプ５は、信号合成部１７から出力される合成信号を増幅する。スピーカ７は、アンプ５から出力される増幅された合成信号を音声として出力する。
【０１８０】
なお、本実施の形態に係るボイスキャンセリングパーティション１１２において、マイクロフォン２とスピーカ７のパーティション本体（図示略）における配置は、前述した図１７における配置と同様である。
【０１８１】
このように本実施の形態に係るボイスキャンセリングパーティション１１２によれば、マイクロフォン２から出力される音声信号にアクティブノイズコントロール処理を施して該音声信号に対する逆相信号を生成し、また所定の防諜音信号を発生し、発生した防諜音信号を音声信号のレベルに基づき調整し、調整した防諜音信号と、生成した逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１８２】
（実施の形態１４）
図２０は、本発明の実施の形態１４に係るボイスキャンセリングパーティションの電気的な構成を示すブロック図である。なお、図２０において前述した図１及び図１６と共通する部分には同一の符号を付けている。
【０１８３】
図２０において、本実施の形態に係るボイスキャンセリングパーティション１１３は、マイクロフォン２と、アクティブノイズコントロール処理部３と、防諜音信号発生部１４と、防諜音信号調整部２０と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号発生部１４は、所定の防諜音信号を発生させる。防諜音信号調整部２０は、防諜音信号発生部１４から出力される防諜音信号の周波数特性を、マイクロフォン２から出力される音声信号の周波数特性に応じて調整する。信号合成部１７は、アクティブノイズコントロール処理部３から出力される逆相信号と、防諜音信号調整部２０から出力される周波数特性が調整された防諜音信号とを合成する。アンプ５は、信号合成部１７から出力される合成信号を増幅する。スピーカ７は、アンプ５から出力される増幅された合成信号を音声として出力する。
【０１８４】
なお、本実施の形態に係るボイスキャンセリングパーティション１１３において、マイクロフォン２とスピーカ７のパーティション本体（図示略）における配置は、前述した図１７における配置と同様である。
【０１８５】
このように本実施の形態に係るボイスキャンセリングパーティション１１３によれば、マイクロフォン２から出力される音声信号にアクティブノイズコントロール処理を施して該音声信号に対する逆相信号を生成し、また所定の防諜音信号を発生し、発生した防諜音信号の周波数特性を音声信号の周波数特性に応じて調整し、調整した防諜音信号と、生成した逆相信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１８６】
（実施の形態１５）
図２１は、本発明の実施の形態１５に係るボイスキャンセリングパーティションの電気的な構成を示すブロック図である。なお、図２１において前述した図１、図６及び図１６と共通する部分には同一の符号を付けている。
【０１８７】
図２１において、本実施の形態に係るボイスキャンセリングパーティション１１４は、マイクロフォン２と、アクティブノイズコントロール処理部３と、防諜音信号生成部１０と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号生成部１０は、アクティブノイズコントロール処理部３から出力される逆相信号に基づき防諜音信号を生成する。信号合成部１７は、アクティブノイズコントロール処理部３から出力される逆相信号と、防諜音信号生成部１０から出力される防諜音信号とを合成する。アンプ５は、信号合成部１７から出力される合成信号を増幅する。スピーカ７は、アンプ５から出力される増幅された合成信号を音声として出力する。
【０１８８】
なお、本実施の形態に係るボイスキャンセリングパーティション１１４において、マイクロフォン２とスピーカ７のパーティション本体（図示略）における配置は、前述した図１７における配置と同様である。
【０１８９】
このように本実施の形態に係るボイスキャンセリングパーティション１１４によれば、マイクロフォン２から出力される音声信号にアクティブノイズコントロール処理を施して該音声信号に対する逆相信号を生成するとともに、生成した逆相信号に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１９０】
（実施の形態１６）
図２２は、本発明の実施の形態１６に係るボイスキャンセリングパーティションの電気的な構成を示すブロック図である。なお、図２２において前述した図１、図７及び図１６と共通する部分には同一の符号を付けている。
【０１９１】
図２２において、本実施の形態に係るボイスキャンセリングパーティション１１５は、マイクロフォン２と、アクティブノイズコントロール処理部３と、防諜音信号生成部１１と、信号合成部１７と、アンプ５と、スピーカ７と、を備える。アクティブノイズコントロール処理部３は、マイクロフォン２から出力される音声信号にアクティブノイズコントロール処理を施して該音声信号に対する逆相信号を生成する。防諜音信号生成部１１は、マイクロフォン２から出力される音声信号に基づき防諜音信号を生成する。信号合成部１７は、アクティブノイズコントロール処理部３から出力される逆相信号と、防諜音信号生成部１１から出力される防諜音信号とを合成する。アンプ５は、信号合成部１７から出力される合成信号を増幅する。スピーカ７は、アンプ５から出力される増幅された合成信号を音声として出力する。
【０１９２】
なお、本実施の形態に係るボイスキャンセリングパーティション１１５において、マイクロフォン２とスピーカ７のパーティション本体（図示略）における配置は、前述した図１７における配置と同様である。
【０１９３】
このように本実施の形態に係るボイスキャンセリングパーティション１１５によれば、マイクロフォン２から出力される音声信号にアクティブノイズコントロール処理を施して該音声信号に対する逆相信号を生成するとともに、マイクロフォン２から出力される音声信号に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１９４】
（実施の形態１７）
図２３は、本発明の実施の形態１７に係るボイスキャンセリングパーティションの電気的な構成を示すブロック図である。なお、図２３において前述した図１、図８及び図１６と共通する部分には同一の符号を付けている。
【０１９５】
図２３において、本実施の形態に係るボイスキャンセリングパーティション１１６は、マイクロフォン２と、ローパスフィルタ１２と、アクティブノイズコントロール処理部３と、防諜音信号発生部４と、信号合成部１７と、アンプ５と、スピーカ７と、を備える。ローパスフィルタ１２は、マイクロフォン２から出力される音声信号の低周波成分のみを通過させる。アクティブノイズコントロール処理部３は、ローパスフィルタ１２から出力される低周波成分のみにアクティブノイズコントロール処理を施して該低周波成分に対する逆相信号を生成する。防諜音信号発生部４は、高周波成分のみからなる所定の防諜音信号を発生させる。信号合成部１７は、アクティブノイズコントロール処理部３から出力される逆相信号と、防諜音信号発生部４から出力される防諜音信号とを合成する。アンプ５は、信号合成部１７から出力される合成信号を増幅する。スピーカ７は、アンプ５から出力される増幅された合成信号を音声として出力する。
【０１９６】
なお、本実施の形態に係るボイスキャンセリングパーティション１１６において、マイクロフォン２とスピーカ７のパーティション本体（図示略）における配置は、前述した図１７における配置と同様である。
【０１９７】
このように本実施の形態に係るボイスキャンセリングパーティション１１６によれば、マイクロフォン２から出力される音声信号の低周波成分のみを抽出し、抽出した音声信号の低周波成分のみにアクティブノイズコントロール処理を施して該低周波成分に対する逆相信号を生成し、また高周波成分のみからなる所定の防諜音信号を発生し、生成した逆相信号と、発生した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０１９８】
（実施の形態１８）
図２４は、本発明の実施の形態１８に係るボイスキャンセリングパーティションの電気的な構成を示すブロック図である。なお、図２４において前述した図１、図１１及び図１６と共通する部分には同一の符号を付けている。
【０１９９】
図２４において、本実施の形態に係るボイスキャンセリングパーティション１１７は、マイクロフォン２と、周波数分割器１３と、アクティブノイズコントロール処理部３と、防諜音信号発生部１４と、防諜音信号調整部１５と、信号合成部１７と、アンプ５と、スピーカ７と、を備える。周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。防諜音信号発生部１４は、高周波成分のみからなる所定の防諜音信号を発生させる。防諜音信号調整部１５は、防諜音信号発生部４から出力される防諜音信号を、周波数分割器１３から出力される高周波成分のレベルに応じて調整する。信号合成部１７は、アクティブノイズコントロール処理部３から出力される逆相信号と、防諜音信号調整部１５から出力される調整された防諜音信号とを合成する。アンプ５は、信号合成部１７から出力される合成信号を増幅する。スピーカ７は、アンプ５から出力される増幅された合成信号を音声として出力する。
【０２００】
なお、本実施の形態に係るボイスキャンセリングパーティション１１７において、マイクロフォン２とスピーカ７のパーティション本体（図示略）における配置は、前述した図１７における配置と同様である。
【０２０１】
このように本実施の形態に係るボイスキャンセリングパーティション１１７によれば、マイクロフォン２から出力される音声信号を低周波成分と高周波成分とに分割し、音声信号の低周波成分に対しては、アクティブノイズコントロール処理を施して該低周波成分に対する逆相信号を生成し、また高周波成分のみからなる所定の防諜音信号を発生し、発生した所定の防諜音信号を音声信号の高周波成分のレベルに応じて調整し、生成した逆相信号と、調整した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２０２】
なお、本実施の形態に係るボイスキャンセリングパーティション１１７における音圧の周波数特性は、図１０で示した様になる。
【０２０３】
（実施の形態１９）
図２５は、本発明の実施の形態１９に係るボイスキャンセリングパーティションの電気的な構成を示すブロック図である。なお、図２５において前述した図１、図１１及び図１６と共通する部分には同一の符号を付けている。
【０２０４】
図２５において、本実施の形態に係るボイスキャンセリングパーティション１１８は、マイクロフォン２と、周波数分割器１３と、アクティブノイズコントロール処理部３と、防諜音信号発生部１４と、防諜音信号調整部２１と、信号合成部１７と、アンプ５と、スピーカ７と、を備える。
【０２０５】
周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。防諜音信号発生部１４は、高周波成分のみからなる所定の防諜音信号を発生する。防諜音信号調整部２１は、防諜音信号発生部１４から出力される防諜音信号の周波数特性を周波数分割器１３から出力される高周波成分の周波数特性に応じて調整する。信号合成部１７は、アクティブノイズコントロール処理部３から出力される逆相信号と、防諜音信号調整部２１から出力される周波数特性が調整された防諜音信号とを合成する。アンプ５は、信号合成部１７から出力される合成信号を増幅する。スピーカ７は、アンプ５から出力される増幅された合成信号を音声として出力する。
【０２０６】
なお、本実施の形態に係るボイスキャンセリングパーティション１１８において、マイクロフォン２とスピーカ７のパーティション本体（図示略）における配置は、前述した図１７における配置と同様である。
【０２０７】
このように本実施の形態に係るボイスキャンセリングパーティション１１８によれば、マイクロフォン２から出力される音声信号を低周波成分と高周波成分とに分割し、音声信号の低周波成分に対しては、アクティブノイズコントロール処理を施して該低周波成分に対する逆相信号を生成し、また高周波成分のみからなる所定の防諜音信号を発生し、発生した所定の防諜音信号を音声信号の高周波成分の周波数特性に応じて調整し、生成した逆相信号と、調整した防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２０８】
（実施の形態２０）
図２６は、本発明の実施の形態２０に係るボイスキャンセリングパーティションの電気的な構成を示すブロック図である。なお、図２６において前述した図１、図１３及び図１６と共通する部分には同一の符号を付けている。
【０２０９】
図２６において、本実施の形態に係るボイスキャンセリングパーティション１１９は、マイクロフォン２と、周波数分割器１３と、アクティブノイズコントロール処理部３と、防諜音信号生成部１６と、信号合成部１７と、アンプ５と、スピーカ７と、を備える。
【０２１０】
周波数分割器１３は、マイクロフォン２から出力される音声信号を低周波成分と高周波成分とに分割する。アクティブノイズコントロール処理部３は、周波数分割器１３から出力される低周波成分にアクティブノイズコントロール処理を施して該低周波成分に対する逆相信号を生成する。防諜音信号生成部１６は、周波数分割器１３から出力される高周波成分に基づき防諜音信号を生成する。信号合成部１７は、アクティブノイズコントロール処理部３から出力される逆相信号と、防諜音信号生成部１６から出力される防諜音信号とを合成する。アンプ５は、信号合成部１７から出力される合成信号を増幅する。スピーカ７は、アンプ５から出力される増幅された合成信号を音声として出力する。
【０２１１】
なお、本実施の形態に係るボイスキャンセリングパーティション１１９において、マイクロフォン２とスピーカ７のパーティション本体（図示略）における配置は、前述した図１７における配置と同様である。
【０２１２】
アクティブノイズコントロール処理は２ｋＨｚ前後以下の母音部分にあたる低周波においては効果が大で、２．５ｋＨｚ以上の子音部分においては効果が小であるので、高周波成分のみに防諜音を付加することで子音の不明瞭化が可能となる。このように、隣の会話の音声に対して、アクティブノイズコントロール処理にて母音を不明瞭化でき、またサウンドマスキング処理にて子音を不明瞭化できる。また、防諜音がマイクロフォン２から入力されることで発生するハウリングも周波数を分けることで抑えることができる。
【０２１３】
図２７は、本実施の形態に係るボイスキャンセリングパーティション１１９において、低周波成分にアクティブノイズコントロール処理を施し、高周波成分にサウンドマスキング処理を施した場合の音圧の周波数特性を示す図である。同図に示すように、アクティブノイズコントロール処理によって低周波部分（数十Ｈｚ〜２．５ｋＨｚ未満）の音圧が低減し、高周波部分（２．５ｋＨｚ以上）が防諜音により意味の分からない音になる。
【０２１４】
このように本実施の形態に係るボイスキャンセリングパーティション１１９によれば、マイクロフォン２から出力される音声信号を低周波成分と高周波成分とに分割し、音声信号の低周波成分に対しては、アクティブノイズコントロール処理を施して該低周波成分に対する逆相信号を生成し、音声信号の高周波成分に対しては、該高周波成分に基づき防諜音信号を生成し、生成した逆相信号と防諜音信号とを合成し、合成信号を増幅して音声として出力するので、会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２１５】
（実施の形態２１）
図２８は、本発明の実施の形態２１に係るボイスキャンセリングパーティションの電気的な構成を示すブロック図である。図２９は、図２８のボイスキャンセリングパーティションにおけるマイクロフォン及びスピーカの配置を示す図である。なお、図２８において前述した図１と共通する部分には同一の符号を付けている。
【０２１６】
図２８において、本実施の形態に係るボイスキャンセリングパーティション１２０は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、防諜音信号発生部４と、４つのアンプ（第１〜第４のアンプ）５，６，２６，２８と、４つのスピーカ（第１〜第４のスピーカ）７，８，２７，２９と、を備える。
【０２１７】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部４は、所定の防諜音信号を発生させる。アンプ２６及びアンプ２８は、防諜音信号発生部４から出力される防諜音信号を増幅する。スピーカ２７は、アンプ２６から出力される増幅された防諜音信号を音声として出力する。スピーカ２９は、アンプ２８から出力される増幅された防諜音信号を音声として出力する。
【０２１８】
図２９において、上記マイクロフォン２Ａ，２Ｂ、アクティブノイズコントロール処理部３Ａ，３Ｂ、防諜音信号発生部４、アンプ５，６，２６，２８及びスピーカ７，８，２７，２９は、縦長箱状体のパーティション本体１２０Ａに収容される。マイクロフォン２Ａは、パーティション本体１２０Ａの内部の上端左隅（図２９に向かって左上側の隅）に配置され、スピーカ７，８は、パーティション本体１２０Ａの内部の上面に配置され、スピーカ２７は、パーティション本体１２０Ａの内部の左側上部（図２９に向かって左側の上部）に配置され、マイクロフォン２Ｂは、パーティション本体１２０Ａの内部の上端右隅（図２９に向かって右上側の隅）に配置され、スピーカ２９は、パーティション本体１２０Ａの内部の右側上部（図２９に向かって右側の上部）に配置される。なお、パーティション本体１２０Ａは、一般的に会議スペースで使用されているものと略同じサイズのものである。
【０２１９】
本実施の形態に係るボイスキャンセリングパーティション１２０を会議で使用するときは、例えばパーティション本体１２０Ａのマイクロフォン２Ａ及びスピーカ２７が配置されている側を隣の会話側（図２９に向かって左側、音源ＳＳ１側）に、マイクロフォン２Ｂ及びスピーカ２９が配置されている側をこちらの会話側（図２９に向かって右側、音源ＳＳ２側）に向けて配置する。このように配置することで、隣の会話側（即ち、音源ＳＳ１側）からパーティション本体１２０Ａの上方を越えて回り込んでくる音声（回折音）と、こちら側（即ち、音源ＳＳ２側）からパーティション本体１２０Ａの上方を越えて回り込んでくる音声（回折音）のそれぞれを抑圧できるとともに、それぞれの回折音の例えば２．５ｋＨｚ以上の子音をマスキングできる。
【０２２０】
このように本実施の形態に係るボイスキャンセリングパーティション１２０によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、さらに、所定の防諜音信号を発生して増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２２１】
（実施の形態２２）
図３０は、本発明の実施の形態２２に係るボイスキャンセリングパーティションの電気的な構成を示すブロック図である。なお、図３０において前述した図１及び図２８と共通する部分には同一の符号を付けている。
【０２２２】
図３０において、本実施の形態に係るボイスキャンセリングパーティション１２１は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号発生部（第１，第２の防諜音信号発生部）４Ａ，４Ｂと、４つのアンプ（第１〜第４のアンプ）５，６，２６Ａ，２８Ａと、４つのスピーカ（第１〜第４のスピーカ）７，８，２７，２９と、を備える。
【０２２３】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部４Ａは、所定の第１の防諜音信号を発生させる。アンプ２６Ａは、防諜音信号発生部４Ａから出力される第１の防諜音信号を、アクティブノイズコントロール処理部３Ａから出力される第１の逆相信号のレベルに応じて増幅する。スピーカ２７は、アンプ２６Ａから出力される増幅された第１の防諜音信号を音声として出力する。防諜音信号発生部４Ｂは、所定の第２の防諜音信号を発生させる。アンプ２８Ａは、防諜音信号発生部４Ｂから出力される第２の防諜音信号を、アクティブノイズコントロール処理部３Ｂから出力される第２の逆相信号のレベルに応じて増幅する。スピーカ２９は、アンプ２８Ａから出力される増幅された第２の防諜音信号を音声として出力する。
【０２２４】
なお、本実施の形態に係るボイスキャンセリングパーティション１２１において、マイクロフォン２Ａ，２Ｂとスピーカ７，８，２７，２９のパーティション本体（図示略）における配置は、前述した図２９における配置と同様である。
【０２２５】
このように本実施の形態に係るボイスキャンセリングパーティション１２１によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、さらに、所定の第１の防諜音信号を発生して、この第１の防諜音信号を第１の逆相信号のレベルに応じて増幅して音声として出力し、また所定の第２の防諜音信号を発生して、この第２の防諜音信号を第２の逆相信号のレベルに応じて増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２２６】
（実施の形態２３）
図３１は、本発明の実施の形態２３に係るボイスキャンセリングパーティションの電気的な構成を示すブロック図である。なお、図３１において前述した図１、図２８及び図３０と共通する部分には同一の符号を付けている。
【０２２７】
図３１において、本実施の形態に係るボイスキャンセリングパーティション１２２は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号発生部（第１，第２の防諜音信号発生部）４Ａ，４Ｂと、４つのアンプ（第１〜第４のアンプ）５，６，２６Ａ，２８Ａと、４つのスピーカ（第１〜第４のスピーカ）７，８，２７，２９と、を備える。
【０２２８】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部４Ａは、所定の第１の防諜音信号を発生させる。アンプ２６Ａは、防諜音信号発生部４Ａから出力される第１の防諜音信号を、マイクロフォン２Ａから出力される第１の音声信号のレベルに応じて増幅する。スピーカ２７は、アンプ２６Ａから出力される増幅された第１の防諜音信号を音声として出力する。防諜音信号発生部４Ｂは、所定の第２の防諜音信号を発生させる。アンプ２８Ａは、防諜音信号発生部４Ｂから出力される第２の防諜音信号を、マイクロフォン２Ｂから出力される第２の音声信号のレベルに応じて増幅する。スピーカ２９は、アンプ２８Ａから出力される増幅された第２の防諜音信号を音声として出力する。
【０２２９】
なお、本実施の形態に係るボイスキャンセリングパーティション１２２において、マイクロフォン２Ａ，２Ｂとスピーカ７，８，２７，２９のパーティション本体（図示略）における配置は、前述した図２９における配置と同様である。
【０２３０】
このように本実施の形態に係るボイスキャンセリングパーティション１２２によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、さらに、所定の第１の防諜音信号を発生して、この第１の防諜音信号を第１の音声信号のレベルに応じて増幅して音声として出力し、また所定の第２の防諜音信号を発生して、この第２の防諜音信号を第２の音声信号のレベルに応じて増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２３１】
（実施の形態２４）
図３２は、本発明の実施の形態２４に係るボイスキャンセリングパーティションの電気的な構成を示すブロック図である。なお、図３２において前述した図１、図５及び図２８と共通する部分には同一の符号を付けている。
【０２３２】
図３２において、本実施の形態に係るボイスキャンセリングパーティション１２３は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号発生部（第１，第２の防諜音信号発生部）４Ａ，４Ｂと、２つの防諜音信号調整部（第１，第２の防諜音信号調整部）９Ａ，９Ｂと、４つのアンプ（第１〜第４のアンプ）５，６，２６，２８と、４つのスピーカ（第１〜第４のスピーカ）７，８，２７，２９と、を備える。
【０２３３】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。
【０２３４】
防諜音信号発生部４Ａは、所定の第１の防諜音信号を発生させる。防諜音信号調整部９Ａは、防諜音信号発生部４Ａから出力される第１の防諜音信号の周波数特性を、マイクロフォン２Ａから出力される第１の音声信号の周波数特性に応じて調整する。アンプ２６は、防諜音信号調整部９Ａから出力される周波数特性が調整された第１の防諜音信号を増幅する。スピーカ２７は、アンプ２６から出力される増幅された第１の防諜音信号を音声として出力する。防諜音信号発生部４Ｂは、所定の第２の防諜音信号を発生させる。防諜音信号調整部９Ｂは、防諜音信号発生部４Ｂから出力される第２の防諜音信号の周波数特性を、マイクロフォン２Ｂから出力される第２の音声信号の周波数特性に応じて調整する。アンプ２８は、防諜音信号調整部９Ｂから出力される周波数特性が調整された第２の防諜音信号を増幅する。スピーカ２９は、アンプ２８から出力される増幅された第２の防諜音信号を音声として出力する。
【０２３５】
なお、本実施の形態に係るボイスキャンセリングパーティション１２３において、マイクロフォン２Ａ，２Ｂとスピーカ７，８，２７，２９のパーティション本体（図示略）における配置は、前述した図２９における配置と同様である。
【０２３６】
このように本実施の形態に係るボイスキャンセリングパーティション１２３によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、さらに、所定の第１の防諜音信号を発生して、この第１の防諜音信号の周波数特性を第１の音声信号の周波数特性に応じて調整して音声として出力し、また所定の第２の防諜音信号を発生して、この第２の防諜音信号の周波数特性を第２の音声信号の周波数特性に応じて調整して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２３７】
（実施の形態２５）
図３３は、本発明の実施の形態２５に係るボイスキャンセリングパーティションの電気的な構成を示すブロック図である。なお、図３３において前述した図１、図６及び図２８と共通する部分には同一の符号を付けている。
【０２３８】
図３３において、本実施の形態に係るボイスキャンセリングパーティション１２４は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号生成部（第１，第２の防諜音信号生成部）１０Ａ，１０Ｂと、４つのアンプ（第１〜第４のアンプ）５，６，２６，２８と、４つのスピーカ（第１〜第４のスピーカ）７，８，２７，２９と、を備える。
【０２３９】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。
【０２４０】
防諜音信号生成部１０Ａは、アクティブノイズコントロール処理部３Ａから出力される第１の逆相信号に基づき第１の防諜音信号を生成する。アンプ２６は、防諜音信号生成部１０Ａから出力される第１の防諜音信号を増幅する。スピーカ２７は、アンプ２６から出力される増幅された第１の防諜音信号を音声として出力する。防諜音信号生成部１０Ｂは、アクティブノイズコントロール処理部３Ｂから出力される第２の逆相信号に基づき第２の防諜音信号を生成する。アンプ２８は、防諜音信号生成部１０Ｂから出力される第２の防諜音信号を増幅する。スピーカ２９は、アンプ２８から出力される増幅された第２の防諜音信号を音声として出力する。
【０２４１】
なお、本実施の形態に係るボイスキャンセリングパーティション１２４において、マイクロフォン２Ａ，２Ｂとスピーカ７，８，２７，２９のパーティション本体（図示略）における配置は、前述した図２９における配置と同様である。
【０２４２】
このように本実施の形態に係るボイスキャンセリングパーティション１２４によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、さらに、第１の逆相信号より第１の防諜音信号を生成して、この第１の防諜音信号を増幅して音声として出力し、また第２の逆相信号より第２の防諜音信号を生成して、この第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２４３】
（実施の形態２６）
図３４は、本発明の実施の形態２６に係るボイスキャンセリングパーティションの電気的な構成を示すブロック図である。なお、図３４において前述した図１、図７及び図２８と共通する部分には同一の符号を付けている。
【０２４４】
図３４において、本実施の形態に係るボイスキャンセリングパーティション１２５は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号生成部（第１，第２の防諜音信号生成部）１１Ａ，１１Ｂと、４つのアンプ（第１〜第４のアンプ）５，６，２６，２８と、４つのスピーカ（第１〜第４のスピーカ）７，８，２７，２９と、を備える。
【０２４５】
アクティブノイズコントロール処理部３Ａは、マイクロフォン２Ａから出力される第１の音声信号にアクティブノイズコントロール処理を施して該第１の音声信号に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。アクティブノイズコントロール処理部３Ｂは、マイクロフォン２Ｂから出力される第２の音声信号にアクティブノイズコントロール処理を施して該第２の音声信号に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。
【０２４６】
防諜音信号生成部１１Ａは、マイクロフォン２Ａから出力される第１の音声信号に基づき第１の防諜音信号を生成する。アンプ２６は、防諜音信号生成部１１Ａから出力される第１の防諜音信号を増幅する。スピーカ２７は、アンプ２６から出力される増幅された第１の防諜音信号を音声として出力する。防諜音信号生成部１１Ｂは、マイクロフォン２Ｂから出力される第２の音声信号に基づき第２の防諜音信号を生成する。アンプ２８は、防諜音信号生成部１１Ｂから出力される第２の防諜音信号を増幅する。スピーカ２９は、アンプ２８から出力される増幅された第２の防諜音信号を音声として出力する。
【０２４７】
なお、本実施の形態に係るボイスキャンセリングパーティション１２５において、マイクロフォン２Ａ，２Ｂとスピーカ７，８，２７，２９のパーティション本体（図示略）における配置は、前述した図２９における配置と同様である。
【０２４８】
このように本実施の形態に係るボイスキャンセリングパーティション１２５によれば、マイクロフォン２Ａから出力される第１の音声信号にアクティブノイズコントロール処理を施して該第１の音声信号に対する第１の逆相信号を生成し、生成した第１の逆相信号を増幅して音声として出力し、またマイクロフォン２Ｂから出力される第２の音声信号にアクティブノイズコントロール処理を施して該第２の音声信号に対する第２の逆相信号を生成し、生成した第２の逆相信号を増幅して音声として出力し、また第１の音声信号から第１の防諜音信号を生成して、この第１の防諜音信号を増幅して音声として出力し、また第２の音声信号から第２の防諜音信号を生成して、この第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２４９】
（実施の形態２７）
図３５は、本発明の実施の形態２７に係るボイスキャンセリングパーティションの電気的な構成を示すブロック図である。なお、図３５において前述した図１、図８、図１１及び図２８と共通する部分には同一の符号を付けている。
【０２５０】
図３５において、本実施の形態に係るボイスキャンセリングパーティション１２６は、２つのマイクロフォン（第１，第２のマイクロフォン）２Ａ，２Ｂと、２つのローパスフィルタ（第１，第２のローパスフィルタ）１２Ａ，１２Ｂと、２つのアクティブノイズコントロール処理部（第１，第２のアクティブノイズコントロール処理部）３Ａ，３Ｂと、２つの防諜音信号発生部（第１，第２の防諜音信号発生部）１４Ａ，１４Ｂと、４つのアンプ（第１〜第４のアンプ）５，６，２６，２８と、４つのスピーカ（第１〜第４のスピーカ）７，８，２７，２９と、を備える。
【０２５１】
ローパスフィルタ１２Ａは、マイクロフォン２Ａから出力される第１の音声信号の低周波成分のみを通過させる。アクティブノイズコントロール処理部３Ａは、ローパスフィルタ１２Ａから出力される低周波成分のみにアクティブノイズコントロール処理を施して該低周波成分に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。防諜音信号発生部１４Ａは、高周波成分のみからなる所定の第１の防諜音信号を発生させる。アンプ２６は、防諜音信号発生部１４Ａから出力される第１の防諜音信号を増幅する。スピーカ２７は、アンプ２６から出力される増幅された第１の防諜音信号を音声として出力する。ローパスフィルタ１２Ｂは、マイクロフォン２Ｂから出力される第２の音声信号の低周波成分のみを通過させる。アクティブノイズコントロール処理部３Ｂは、ローパスフィルタ１２Ｂから出力される低周波成分のみにアクティブノイズコントロール処理を施して該低周波成分に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部１４Ｂは、高周波成分のみからなる所定の第２の防諜音信号を発生させる。アンプ２８は、防諜音信号発生部１４Ｂから出力される所定の第２の防諜音信号を増幅する。スピーカ２９は、アンプ２８から出力される増幅された所定の第２の防諜音信号を音声として出力する。
【０２５２】
なお、本実施の形態に係るボイスキャンセリングパーティション１２６において、マイクロフォン２Ａ，２Ｂとスピーカ７，８，２７，２９のパーティション本体（図示略）における配置は、前述した図２９における配置と同様である。
【０２５３】
このように本実施の形態に係るボイスキャンセリングパーティション１２６によれば、マイクロフォン２Ａから出力される第１の音声信号の低周波成分のみを通過させ、この第１の音声信号の低周波成分のみにアクティブノイズコントロール処理を施して該低周波成分に対する第１の逆相信号を生成し、生成した第１の逆相信号を増幅して音声として出力し、またマイクロフォン２Ｂから出力される第２の音声信号の低周波成分のみを通過させ、第２の音声信号の低周波成分のみにアクティブノイズコントロール処理を施して該低周波成分に対する第２の逆相信号を生成し、生成した第２の逆相信号を増幅して音声として出力し、また高周波成分のみからなる所定の第１の防諜音信号を発生し、この第１の防諜音信号を増幅して音声として出力し、また高周波成分のみからなる所定の第２の防諜音信号を発生し、この第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２５４】
（実施の形態２８）
図３６は、本発明の実施の形態２８に係るボイスキャンセリングパーティションの電気的な構成を示すブロック図である。なお、図３６において前述した図１、図９及び図３０と共通する部分には同一の符号を付けている。
【０２５５】
図３６において、本実施の形態に係るボイスキャンセリングパーティション１２７は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号発生部（第１，第２の防諜音信号発生部）１４Ａ，１４Ｂと、４つのアンプ（第１〜第４のアンプ）５，６，２６Ａ，２８Ａと、４つのスピーカ（第１〜第４のスピーカ）７，８，２７，２９と、を備える。
【０２５６】
周波数分割器１３Ａは、マイクロフォン２Ａから出力される第１の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。防諜音信号発生部１４Ａは、高周波成分のみからなる所定の第１の防諜音信号を発生させる。アンプ２６Ａは、防諜音信号発生部１４Ａから出力される第１の防諜音信号を、周波数分割器１３Ａから出力される高周波成分のレベルに応じて増幅する。スピーカ２７は、アンプ２６Ａから出力される増幅された第１の防諜音信号を音声として出力する。
【０２５７】
周波数分割器１３Ｂは、マイクロフォン２Ｂから出力される第２の音声信号を低周波成分と高周波成分とに分割する。アクティブノイズコントロール処理部３Ｂは、周波数分割器１３Ｂから出力される低周波成分にアクティブノイズコントロール処理を施して該低周波成分に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部１４Ｂは、高周波成分のみからなる所定の第２の防諜音信号を発生させる。アンプ２８Ａは、防諜音信号発生部１４Ｂから出力される第２の防諜音信号を、周波数分割器１３Ｂから出力される高周波成分のレベルに応じて増幅する。スピーカ２９は、アンプ２８Ａから出力される増幅された第２の防諜音信号を音声として出力する。
【０２５８】
なお、本実施の形態に係るボイスキャンセリングパーティション１２７において、マイクロフォン２Ａ，２Ｂとスピーカ７，８，２７，２９のパーティション本体（図示略）における配置は、前述した図２９における配置と同様である。
【０２５９】
このように本実施の形態に係るボイスキャンセリングパーティション１２７によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また高周波成分のみからなる所定の第１の防諜音信号を発生し、発生した第１の防諜音信号を第１の音声信号の高周波成分のレベルに応じて増幅し、第１の防諜音信号を音声として出力し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また高周波成分のみからなる所定の第２の防諜音信号を発生し、発生した第２の防諜音信号を第２の音声信号の高周波成分のレベルに応じて増幅し、第２の防諜音信号を音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２６０】
なお、本実施の形態に係るボイスキャンセリングパーティション１２７における音圧の周波数特性は、図１０で示した様になる。
【０２６１】
（実施の形態２９）
図３７は、本発明の実施の形態２９に係るボイスキャンセリングパーティションの電気的な構成を示すブロック図である。なお、図３７において前述した図１、図９、図１１及び図２８と共通する部分には同一の符号を付けている。
【０２６２】
図３７において、本実施の形態に係るボイスキャンセリングパーティション１２８は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号発生部（第１，第２の防諜音信号発生部）１４Ａ，１４Ｂと、２つの防諜音信号調整部（第１，第２の防諜音信号調整部）１５Ａ，１５Ｂと、４つのアンプ（第１〜第４のアンプ）５，６，２６，２８と、４つのスピーカ（第１〜第４のスピーカ）７，８，２７，２９と、を備える。
【０２６３】
周波数分割器１３Ａは、マイクロフォン２Ａから出力される第１の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。防諜音信号発生部１４Ａは、高周波成分のみからなる所定の第１の防諜音信号を発生させる。防諜音信号調整部１５Ａは、防諜音信号発生部１４Ａから出力される第１の防諜音信号の周波数特性を、第１の周波数分割器１３Ａから出力される高周波成分の周波数特性に応じて調整する。アンプ２６は、防諜音信号調整部１５Ａから出力される周波数特性が調整された第１の防諜音信号を増幅する。スピーカ２７は、アンプ２６から出力される増幅された第１の防諜音信号を音声として出力する。
【０２６４】
周波数分割器１３Ｂは、マイクロフォン２Ｂから出力される第２の音声信号を低周波成分と高周波成分とに分割する。アクティブノイズコントロール処理部３Ｂは、周波数分割器１３Ｂから出力される低周波成分にアクティブノイズコントロール処理を施して該低周波成分に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号発生部１４Ｂは、高周波成分のみからなる所定の第２の防諜音信号を発生させる。防諜音信号調整部１５Ｂは、防諜音信号発生部１４Ｂから出力される第２の防諜音信号の周波数特性を、周波数分割器１３Ｂから出力される高周波成分の周波数特性に応じて調整する。アンプ２８は、防諜音信号調整部１５Ｂから出力される周波数特性が調整された第２の防諜音信号を増幅する。スピーカ２９は、アンプ２８から出力される増幅された第２の防諜音信号を音声として出力する。
【０２６５】
なお、本実施の形態に係るボイスキャンセリングパーティション１２８において、マイクロフォン２Ａ，２Ｂとスピーカ７，８，２７，２９のパーティション本体（図示略）における配置は、前述した図２９における配置と同様である。
【０２６６】
このように本実施の形態に係るボイスキャンセリングパーティション１２８によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また高周波成分のみからなる所定の第１の防諜音信号を発生し、発生した第１の防諜音信号の周波数特性を第１の音声信号の高周波成分の周波数特性に応じて調整し、調整した第１の防諜音信号を増幅して音声として出力し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また高周波成分のみからなる所定の第２の防諜音信号を発生し、発生した第２の防諜音信号の周波数特性を第２の音声信号の高周波成分の周波数特性に応じて調整し、調整した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２６７】
（実施の形態３０）
図３８は、本発明の実施の形態３０に係るボイスキャンセリングパーティションの電気的な構成を示すブロック図である。なお、図３８において前述した図１、図１１及び図２８と共通する部分には同一の符号を付けている。
【０２６８】
図３８において、本実施の形態に係るボイスキャンセリングパーティション１２９は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号生成部（第１，第２の防諜音信号生成部）１６Ａ，１６Ｂと、４つのアンプ（第１〜第４のアンプ）５，６，２６，２８と、４つのスピーカ（第１〜第４のスピーカ）７，８，２７，２９と、を備える。
【０２６９】
周波数分割器１３Ａは、マイクロフォン２Ａから出力される第１の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アンプ５は、アクティブノイズコントロール処理部３Ａから出力される第１の逆相信号を増幅する。スピーカ７は、アンプ５から出力される増幅された第１の逆相信号を音声として出力する。防諜音信号生成部１６Ａは、周波数分割器１３Ａから出力される高周波成分に基づき第１の防諜音信号を生成する。アンプ２６は、防諜音信号生成部１６Ａから出力される第１の防諜音信号を増幅する。スピーカ２７は、アンプ２６から出力される増幅された第１の防諜音信号を音声として出力する。
【０２７０】
周波数分割器１３Ｂは、マイクロフォン２Ｂから出力される第２の音声信号を低周波成分と高周波成分とに分割する。アクティブノイズコントロール処理部３Ｂは、周波数分割器１３Ｂから出力される低周波成分にアクティブノイズコントロール処理を施して低周波成分に対する第２の逆相信号を生成する。アンプ６は、アクティブノイズコントロール処理部３Ｂから出力される第２の逆相信号を増幅する。スピーカ８は、アンプ６から出力される増幅された第２の逆相信号を音声として出力する。防諜音信号生成部１６Ｂは、周波数分割器１３Ｂから出力される高周波成分に基づき第２の防諜音信号を生成する。アンプ２８は、防諜音信号生成部１６Ｂから出力される第２の防諜音信号を増幅する。スピーカ２９は、アンプ２８から出力される増幅された第２の防諜音信号を音声として出力する。
【０２７１】
なお、本実施の形態に係るボイスキャンセリングパーティション１２９において、マイクロフォン２Ａ，２Ｂとスピーカ７，８，２７，２９のパーティション本体（図示略）における配置は、前述した図２９における配置と同様である。
【０２７２】
このように本実施の形態に係るボイスキャンセリングパーティション１２９によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、生成した第１の逆相信号を増幅して音声として出力し、また第１の音声信号の高周波成分に基づき第１の防諜音信号を生成し、生成した第１の防諜音信号を増幅して音声として出力し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第２の逆相信号を増幅して音声として出力し、また第２の音声信号の高周波成分に基づき第２の防諜音信号を生成し、生成した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２７３】
（実施の形態３１）
図３９は、本発明の実施の形態３１に係るボイスキャンセリングパーティションの電気的な構成を示すブロック図である。図４０は、図３９のボイスキャンセリングパーティションにおけるマイクロフォン及びスピーカの配置を示す図である。なお、図３９において前述した図１、図１６及び図２８と共通する部分には同一の符号を付けている。
【０２７４】
図３９において、本実施の形態に係るボイスキャンセリングパーティション１３０は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、防諜音信号発生部４と、３つのアンプ（第１〜第３のアンプ）５，２６，２８と、３つのスピーカ（第１〜第３のスピーカ）７，２７，２９と、を備える。
【０２７５】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。防諜音信号発生部４は、所定の防諜音信号を発生させる。アンプ２６及びアンプ２８は、防諜音信号発生部４から出力される防諜音信号を増幅する。スピーカ２７は、アンプ２６から出力される増幅された防諜音信号を音声として出力する。スピーカ２９は、アンプ２８から出力される増幅された防諜音信号を音声として出力する。
【０２７６】
図４０において、上記マイクロフォン２Ａ，２Ｂ、アクティブノイズコントロール処理部３Ａ，３Ｂ、防諜音信号発生部４、アンプ５，２６，２８及びスピーカ７，２７，２９は、縦長箱状体のパーティション本体１３０Ａに収容される。マイクロフォン２Ａは、パーティション本体１３０Ａの内部の上端左隅（図４０に向かって左上側の隅）に配置され、スピーカ７は、パーティション本体１３０Ａの内部の上面に配置され、スピーカ２７は、パーティション本体１３０Ａの内部の左側上部（図４０に向かって左側の上部）に配置され、マイクロフォン２Ｂは、パーティション本体１３０Ａの内部の上端右隅（図４０に向かって右上側の隅）に配置され、スピーカ２９は、パーティション本体１３０Ａの内部の右側上部（図４０に向かって右側の上部）に配置される。なお、パーティション本体１３０Ａは、一般的に会議スペースで使用されているものと略同じサイズのものである。
【０２７７】
本実施の形態に係るボイスキャンセリングパーティション１３０を会議で使用するときは、例えばパーティション本体１３０Ａのマイクロフォン２Ａ及びスピーカ２７が配置されている側を隣の会話側（図４０に向かって左側、音源ＳＳ１側）に、マイクロフォン２Ｂ及びスピーカ２９が配置されている側をこちらの会話側（図４０に向かって右側、音源ＳＳ２側）に向けて配置する。このように配置することで、隣の会話側（即ち、音源ＳＳ１側）からパーティション本体１３０Ａの上方を越えて回り込んでくる音声（回折音）と、こちら側（即ち、音源ＳＳ２側）からパーティション本体１３０Ａの上方を越えて回り込んでくる音声（回折音）のそれぞれを抑圧できるとともに、それぞれの回折音の例えば２．５ｋＨｚ以上の子音をマスキングできる。
【０２７８】
このように本実施の形態に係るボイスキャンセリングパーティション１３０によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の防諜音信号を発生させて、２つのスピーカ２７，２９から防諜音信号を音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２７９】
（実施の形態３２）
図４１は、本発明の実施の形態３２に係るボイスキャンセリングパーティションの電気的な構成を示すブロック図である。なお、図４１において前述した図１、図１６及び図２８と共通する部分には同一の符号を付けている。
【０２８０】
図４１において、本実施の形態に係るボイスキャンセリングパーティション１３１は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）４Ａ，４Ｂと、３つのアンプ（第１〜第３のアンプ）５，２６Ａ，２８Ａと、３つのスピーカ（第１〜第３のスピーカ）７，２７，２９と、を備える。
【０２８１】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０２８２】
防諜音信号発生部４Ａは、所定の第１の防諜音信号を発生させる。アンプ２６Ａは、防諜音信号発生部４Ａから出力される第１の防諜音信号を、アクティブノイズコントロール処理部３Ａから出力される第１の逆相信号のレベルに応じて増幅する。スピーカ２７は、アンプ２６Ａから出力される増幅された第１の防諜音信号を音声として出力する。防諜音信号発生部４Ｂは、所定の第２の防諜音信号を発生させる。アンプ２８Ａは、防諜音信号発生部４Ｂから出力される第２の防諜音信号を、アクティブノイズコントロール処理部３Ｂから出力される第２の逆相信号のレベルに応じて増幅する。スピーカ２９は、アンプ２８Ａから出力される増幅された第２の防諜音信号を音声として出力する。
【０２８３】
なお、本実施の形態に係るボイスキャンセリングパーティション１３１において、マイクロフォン２Ａ，２Ｂとスピーカ７，２７，２９のパーティション本体（図示略）における配置は、前述した図４０における配置と同様である。
【０２８４】
このように本実施の形態に係るボイスキャンセリングパーティション１３１によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号を第１の逆相信号のレベルに応じて増幅して音声として出力し、また所定の第２の防諜音信号を発生し、発生した第２の防諜音信号を第２の逆相信号のレベルに応じて増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２８５】
（実施の形態３３）
図４２は、本発明の実施の形態３３に係るボイスキャンセリングパーティションの電気的な構成を示すブロック図である。なお、図４２において前述した図１、図１６及び図２８と共通する部分には同一の符号を付けている。
【０２８６】
図４２において、本実施の形態に係るボイスキャンセリングパーティション１３２は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）４Ａ，４Ｂと、３つのアンプ（第１〜第３のアンプ）５，２６Ａ，２８Ａと、３つのスピーカ（第１〜第３のスピーカ）７，２７，２９と、を備える。
【０２８７】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０２８８】
防諜音信号発生部４Ａは、所定の第１の防諜音信号を発生させる。アンプ２６Ａは、防諜音信号発生部４Ａから出力される第１の防諜音信号を、マイクロフォン２Ａから出力される第１の音声信号のレベルに応じて増幅する。スピーカ２７は、アンプ２６Ａから出力される増幅された第１の防諜音信号を音声として出力する。防諜音信号発生部４Ｂは、所定の第２の防諜音信号を発生させる。アンプ２８Ａは、防諜音信号発生部４Ｂから出力される第２の防諜音信号を、マイクロフォン２Ｂから出力される第２の音声信号のレベルに応じて増幅する。スピーカ２９は、アンプ２８Ａから出力される増幅された第２の防諜音信号を音声として出力する。
【０２８９】
なお、本実施の形態に係るボイスキャンセリングパーティション１３２において、マイクロフォン２Ａ，２Ｂとスピーカ７，２７，２９のパーティション本体（図示略）における配置は、前述した図４０における配置と同様である。
【０２９０】
このように本実施の形態に係るボイスキャンセリングパーティション１３２によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号を第１の音声信号のレベルに応じて増幅して音声として出力し、また所定の第２の防諜音信号を発生し、発生した第２の防諜音信号を第２の音声信号のレベルに応じて増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２９１】
（実施の形態３４）
図４３は、本発明の実施の形態３４に係るボイスキャンセリングパーティションの電気的な構成を示すブロック図である。なお、図４３において前述した図１、図５及び図２８と共通する部分には同一の符号を付けている。
【０２９２】
図４３において、本実施の形態に係るボイスキャンセリングパーティション１３３は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）４Ａ，４Ｂと、２つの防諜音信号調整部（第１，第２の防諜音信号調整部）９Ａ，９Ｂと、３つのアンプ（第１〜第３のアンプ）５，２６，２８と、３つのスピーカ（第１〜第３のスピーカ）７，２７，２９と、を備える。
【０２９３】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０２９４】
防諜音信号発生部４Ａは、所定の第１の防諜音信号を発生させる。防諜音信号調整部９Ａは、防諜音信号発生部４Ａから出力される第１の防諜音信号の周波数特性を、第１のマイクロフォンから出力される第１の音声信号の周波数特性に応じて調整する。アンプ２６は、防諜音信号調整部９Ａから出力される周波数特性が調整された第１の防諜音信号を増幅する。スピーカ２７は、アンプ２６から出力される増幅された第１の防諜音信号を音声として出力する。防諜音信号発生部４Ｂは、所定の第２の防諜音信号を発生させる。防諜音信号調整部９Ｂは、防諜音信号発生部４Ｂから出力される第２の防諜音信号の周波数特性を、マイクロフォン２Ｂから出力される第２の音声信号の周波数特性に応じて調整する。アンプ２８は、防諜音信号調整部９Ｂから出力される周波数特性が調整された第２の防諜音信号を増幅する。スピーカ２９は、アンプ２８から出力される増幅された第２の防諜音信号を音声として出力する。
【０２９５】
なお、本実施の形態に係るボイスキャンセリングパーティション１３３において、マイクロフォン２Ａ，２Ｂとスピーカ７，２７，２９のパーティション本体（図示略）における配置は、前述した図４０における配置と同様である。
【０２９６】
このように本実施の形態に係るボイスキャンセリングパーティション１３３によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また所定の第１の防諜音信号を発生し、発生した第１の防諜音信号の周波数特性をマイクロフォン２Ａから出力される第１の音声信号の周波数特性に応じて調整し、調整した第１の防諜音信号を増幅して音声として出力し、また所定の第２の防諜音信号を発生し、発生した第２の防諜音信号の周波数特性をマイクロフォン２Ｂから出力される第２の音声信号の周波数特性に応じて調整し、調整した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０２９７】
（実施の形態３５）
図４４は、本発明の実施の形態３５に係るボイスキャンセリングパーティションの電気的な構成を示すブロック図である。なお、図４４において前述した図１、図５及び図２８と共通する部分には同一の符号を付けている。
【０２９８】
図４４において、本実施の形態に係るボイスキャンセリングパーティション１３４は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、２つの防諜音信号生成部（第１，第２の防諜音信号生成部）１０Ａ，１０Ｂと、３つのアンプ（第１〜第３のアンプ）５，２６，２８と、３つのスピーカ（第１〜第３のスピーカ）７，２７，２９と、を備える。
【０２９９】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３００】
防諜音信号生成部１０Ａは、アクティブノイズコントロール処理部３Ａから出力される第１の逆相信号に基づき第１の防諜音信号を生成する。アンプ２６は、防諜音信号生成部１０Ａから出力される第１の防諜音信号を増幅する。スピーカ２７は、アンプ２６から出力される増幅された第１の防諜音信号を音声として出力する。防諜音信号生成部１０Ｂは、アクティブノイズコントロール処理部３Ｂから出力される第２の逆相信号に基づき第２の防諜音信号を生成する。アンプ２８は、防諜音信号生成部１０Ｂから出力される第２の防諜音信号を増幅する。スピーカ２９は、アンプ２８から出力される増幅された第２の防諜音信号を音声として出力する。
【０３０１】
なお、本実施の形態に係るボイスキャンセリングパーティション１３４において、マイクロフォン２Ａ，２Ｂとスピーカ７，２７，２９のパーティション本体（図示略）における配置は、前述した図４０における配置と同様である。
【０３０２】
このように本実施の形態に係るボイスキャンセリングパーティション１３４によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、生成した第１の逆相信号と第２の逆相信号とを合成し、合成信号を増幅して音声として出力し、また第１の逆相信号に基づき第１の防諜音信号を生成し、生成した第１の防諜音信号を増幅して音声として出力し、また第２の逆相信号に基づき第２の防諜音信号を生成し、生成した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３０３】
（実施の形態３６）
図４５は、本発明の実施の形態３６に係るボイスキャンセリングパーティションの電気的な構成を示すブロック図である。なお、図４５において前述した図１、図７及び図２８と共通する部分には同一の符号を付けている。
【０３０４】
図４５において、本実施の形態に係るボイスキャンセリングパーティション１３５は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部１７と、２つの防諜音信号生成部（第１，第２の防諜音信号生成部）１１Ａ，１１Ｂと、３つのアンプ（第１〜第３のアンプ）５，２６，２８と、３つのスピーカ（第１〜第３のスピーカ）７，２７，２９と、を備える。
【０３０５】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して第２の音声信号に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３０６】
防諜音信号生成部１１Ａは、マイクロフォン２Ａから出力される第１の音声信号に基づき第１の防諜音信号を生成する。アンプ２６は、防諜音信号生成部１１Ａから出力される第１の防諜音信号を増幅する。スピーカ２７は、アンプ２６から出力される増幅された第１の防諜音信号を音声として出力する。防諜音信号生成部１１Ｂは、マイクロフォン２Ｂから出力される第２の音声信号に基づき第２の防諜音信号を生成する。アンプ２８は、防諜音信号生成部１１Ｂから出力される第２の防諜音信号を増幅する。スピーカ２９は、アンプ２８から出力される増幅された第２の防諜音信号を音声として出力する。
【０３０７】
なお、本実施の形態に係るボイスキャンセリングパーティション１３５において、マイクロフォン２Ａ，２Ｂとスピーカ７，２７，２９のパーティション本体（図示略）における配置は、前述した図４０における配置と同様である。
【０３０８】
このように本実施の形態に係るボイスキャンセリングパーティション１３５によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して第２の音声信号に対する第２の逆相信号を生成し、生成した第１の逆相信号と第２の逆相信号とを合成し、合成信号を増幅して音声として出力し、またマイクロフォン２Ａから出力される第１の音声信号に基づき第１の防諜音信号を生成し、生成した第１の防諜音信号を増幅して音声として出力し、またマイクロフォン２Ｂから出力される第２の音声信号に基づき第２の防諜音信号を生成し、生成した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３０９】
（実施の形態３７）
図４６は、本発明の実施の形態３７に係るボイスキャンセリングパーティションの電気的な構成を示すブロック図である。なお、図４６において前述した図１、図８、図９及び図２８と共通する部分には同一の符号を付けている。
【０３１０】
図４６において、本実施の形態に係るボイスキャンセリングパーティション１３６は、２つのマイクロフォン（第１，第２のマイクロフォン）２Ａ，２Ｂと、２つのローパスフィルタ（第１，第２のローパスフィルタ）１２Ａ，１２Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）１４Ａ，１４Ｂと、３つのアンプ（第１〜第３のアンプ）５，２６，２８と、３つのスピーカ（第１〜第３のスピーカ）７，２７，２９と、を備える。
【０３１１】
ローパスフィルタ１２Ａは、マイクロフォン２Ａから出力される第１の音声信号の低周波成分のみを通過させる。ローパスフィルタ１２Ｂは、マイクロフォン２Ｂから出力される第２の音声信号の低周波成分のみを通過させる。アクティブノイズコントロール処理部３Ａは、ローパスフィルタ１２Ａから出力される低周波成分のみにアクティブノイズコントロール処理を施して該低周波成分に対する第１の逆相信号を生成する。アクティブノイズコントロール処理部３Ｂは、ローパスフィルタ１２Ｂから出力される低周波成分のみにアクティブノイズコントロール処理を施して該低周波成分に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３１２】
防諜音信号発生部１４Ａは、高周波成分のみからなる所定の第１の防諜音信号を発生させる。アンプ２６は、防諜音信号発生部１４Ａから出力される第１の防諜音信号を増幅する。スピーカ２７は、アンプ２６から出力される増幅された第１の防諜音信号を音声として出力する。防諜音信号発生部１４Ｂは、高周波成分のみからなる所定の第２の防諜音信号を発生させる。アンプ２８は、防諜音信号発生部１４Ｂから出力される第２の防諜音信号を増幅する。スピーカ２９は、アンプ２８から出力される増幅された第２の防諜音信号を音声として出力する。
【０３１３】
なお、本実施の形態に係るボイスキャンセリングパーティション１３６において、マイクロフォン２Ａ，２Ｂとスピーカ７，２７，２９のパーティション本体（図示略）における配置は、前述した図４０における配置と同様である。
【０３１４】
このように本実施の形態に係るボイスキャンセリングパーティション１３６によれば、マイクロフォン２Ａから出力される第１の音声信号の低周波成分のみを通過させて、第１の音声信号の低周波成分のみにアクティブノイズコントロール処理を施して該低周波成分に対する第１の逆相信号を生成し、またマイクロフォン２Ｂから出力される第２の音声信号の低周波成分のみを通過させて、第２の音声信号の低周波成分のみにアクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号を増幅して音声として出力し、また高周波成分のみからなる所定の第２の防諜音信号を発生し、発生した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３１５】
（実施の形態３８）
図４７は、本発明の実施の形態３８に係るボイスキャンセリングパーティションの電気的な構成を示すブロック図である。なお、図４７において前述した図１、図９、図１１及び図２８と共通する部分には同一の符号を付けている。
【０３１６】
図４７において、本実施の形態に係るボイスキャンセリングパーティション１３７は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）１４Ａ，１４Ｂと、３つのアンプ（第１〜第３のアンプ）５，２６Ａ，２８Ａと、３つのスピーカ（第１〜第３のスピーカ）７，２７，２９と、を備える。
【０３１７】
周波数分割器１３Ａは、マイクロフォン２Ａから出力される第１の音声信号を低周波成分と高周波成分とに分割する。周波数分割器１３Ｂは、マイクロフォン２Ｂから出力される第２の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アクティブノイズコントロール処理部３Ｂは、周波数分割器１３Ｂから出力される低周波成分にアクティブノイズコントロール処理を施して該低周波成分に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３１８】
防諜音信号発生部１４Ａは、高周波成分のみからなる所定の第１の防諜音信号を発生させる。防諜音信号発生部１４Ｂは、高周波成分のみからなる所定の第２の防諜音信号を発生させる。アンプ２６Ａは、防諜音信号発生部１４Ａから出力される第１の防諜音信号を、周波数分割器１３Ａから出力される高周波成分のレベルに応じて増幅する。アンプ２８Ａは、防諜音信号発生部１４Ｂから出力される第２の防諜音信号を、周波数分割器１３Ｂから出力される高周波成分のレベルに応じて増幅する。スピーカ２７は、アンプ２６Ａから出力される増幅された第１の防諜音信号を音声として出力する。スピーカ２９は、アンプ２８Ａから出力される増幅された第２の防諜音信号を音声として出力する。
【０３１９】
なお、本実施の形態に係るボイスキャンセリングパーティション１３７において、マイクロフォン２Ａ，２Ｂとスピーカ７，２７，２９のパーティション本体（図示略）における配置は、前述した図４０における配置と同様である。
【０３２０】
このように本実施の形態に係るボイスキャンセリングパーティション１３７によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号を第１の音声信号の高周波成分のレベルに応じて増幅し、増幅した第１の防諜音信号を音声として出力し、また高周波成分のみからなる所定の第２の防諜音信号を発生し、発生した第２の防諜音信号を第２の音声信号の高周波成分のレベルに応じて増幅し、増幅した第２の防諜音信号を音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３２１】
なお、本実施の形態に係るボイスキャンセリングパーティション１３７における音圧の周波数特性は、図１０で示した様になる。
【０３２２】
（実施の形態３９）
図４８は、本発明の実施の形態３９に係るボイスキャンセリングパーティションの電気的な構成を示すブロック図である。なお、図４８において前述した図１、図９、図１１及び図２８と共通する部分には同一の符号を付けている。
【０３２３】
図４８において、本実施の形態に係るボイスキャンセリングパーティション１３８は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、信号合成部１７と、２つの防諜音信号発生部（第１，第２の防諜音信号発生部）１４Ａ，１４Ｂと、２つの防諜音信号調整部（第１，第２の防諜音信号調整部）１５Ａ，１５Ｂと、３つのアンプ（第１〜第３のアンプ）５，２６，２８と、３つのスピーカ（第１〜第３のスピーカ）７，２７，２９と、を備える。
【０３２４】
周波数分割器１３Ａは、マイクロフォン２Ａから出力される第１の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。周波数分割器１３Ｂは、マイクロフォン２Ｂから出力される第２の音声信号を低周波成分と高周波成分とに分割する。アクティブノイズコントロール処理部３Ｂは、周波数分割器１３Ｂから出力される低周波成分にアクティブノイズコントロール処理を施して該低周波成分に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３２５】
防諜音信号発生部１４Ａは、高周波成分のみからなる所定の第１の防諜音信号を発生させる。防諜音信号調整部１５Ａは、防諜音信号発生部１４Ａから出力される第１の防諜音信号の周波数特性を、周波数分割器１３Ａから出力される高周波成分の周波数特性に応じて調整する。アンプ２６は、防諜音信号調整部１５Ａから出力される周波数特性が調整された第１の防諜音信号を増幅する。スピーカ２７は、アンプ２６から出力される増幅された第１の防諜音信号を音声として出力する。防諜音信号発生部１４Ｂは、高周波成分のみからなる所定の第２の防諜音信号を発生させる。防諜音信号調整部１５Ｂは、防諜音信号発生部１４Ｂから出力される第２の防諜音信号の周波数特性を、周波数分割器１３Ｂから出力される高周波成分の周波数特性に応じて調整する。アンプ２８は、防諜音信号調整部１５Ｂから出力される周波数特性が調整された第２の防諜音信号を増幅する。スピーカ２９は、アンプ２８から出力される増幅された第２の防諜音信号を音声として出力する。
【０３２６】
なお、本実施の形態に係るボイスキャンセリングパーティション１３８において、マイクロフォン２Ａ，２Ｂとスピーカ７，２７，２９のパーティション本体（図示略）における配置は、前述した図４０における配置と同様である。
【０３２７】
このように本実施の形態に係るボイスキャンセリングパーティション１３８によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また高周波成分のみからなる所定の第１の防諜音信号を発生し、発生した第１の防諜音信号の周波数特性を第１の音声信号の高周波成分の周波数特性に応じて調整し、調整した第１の防諜音信号を増幅して音声として出力し、また高周波成分のみからなる所定の第２の防諜音信号を発生し、発生した第２の防諜音信号の周波数特性を第２の音声信号の高周波成分の周波数特性に応じて調整し、調整した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３２８】
（実施の形態４０）
図４９は、本発明の実施の形態４０に係るボイスキャンセリングパーティションの電気的な構成を示すブロック図である。なお、図４９において前述した図１、図９、図１１及び図２８と共通する部分には同一の符号を付けている。
【０３２９】
図４９において、本実施の形態に係るボイスキャンセリングパーティション１３９は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、信号合成部１７と、２つの防諜音信号生成部（第１，第２の防諜音信号生成部）１６Ａ，１６Ｂと、３つのアンプ（第１〜第３のアンプ）５，２６，２８と、３つのスピーカ（第１〜第３のスピーカ）７，２７，２９と、を備える。
【０３３０】
周波数分割器１３Ａは、マイクロフォン２Ａから出力される第１の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。周波数分割器１３Ｂは、マイクロフォン２Ｂから出力される第２の音声信号を低周波成分と高周波成分とに分割する。アクティブノイズコントロール処理部３Ｂは、周波数分割器１３Ｂから出力される低周波成分にアクティブノイズコントロール処理を施して該低周波成分に対する第２の逆相信号を生成する。信号合成部１７は、アクティブノイズコントロール処理部３Ａから出力される第１の逆相信号と、アクティブノイズコントロール処理部３Ｂから出力される第２の逆相信号とを合成する。アンプ５は、信号合成部１７から出力される合成信号を増幅する。スピーカ７は、アンプ５から出力される増幅された合成信号を音声として出力する。
【０３３１】
防諜音信号生成部１６Ａは、周波数分割器１３Ａから出力される高周波成分に基づき第１の防諜音信号を生成する。アンプ２６は、防諜音信号生成部１６Ａから出力される第１の防諜音信号を増幅する。スピーカ２７は、アンプ２６から出力される増幅された第１の防諜音信号を音声として出力する。防諜音信号生成部１６Ｂは、周波数分割器１３Ｂから出力される高周波成分に基づき第２の防諜音信号を生成する。アンプ２８は、防諜音信号生成部１６Ｂから出力される第２の防諜音信号を増幅する。スピーカ２９は、アンプ２８から出力される増幅された第２の防諜音信号を音声として出力する。
【０３３２】
なお、本実施の形態に係るボイスキャンセリングパーティション１３９において、マイクロフォン２Ａ，２Ｂとスピーカ７，２７，２９のパーティション本体（図示略）における配置は、前述した図４０における配置と同様である。
【０３３３】
このように本実施の形態に係るボイスキャンセリングパーティション１３９によれば、マイクロフォン２Ａから出力される第１の音声信号を低周波成分と高周波成分とに分割し、第１の音声信号の低周波成分に対して、アクティブノイズコントロール処理を施して該低周波成分に対する第１の逆相信号を生成し、またマイクロフォン２Ｂから出力される第２の音声信号を低周波成分と高周波成分とに分割し、第２の音声信号の低周波成分に対して、アクティブノイズコントロール処理を施して該低周波成分に対する第２の逆相信号を生成し、生成した第１の逆相信号と第２の逆相信号とを合成し、合成信号を増幅して音声として出力し、また第１の音声信号の高周波成分に基づき第１の防諜音信号を生成し、生成した第１の防諜音信号を増幅して音声として出力し、また第２の音声信号の高周波成分に基づき第２の防諜音信号を生成し、生成した第２の防諜音信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３３４】
（実施の形態４１）
図５０は、本発明の実施の形態４１に係るボイスキャンセリングパーティションの電気的な構成を示すブロック図である。図５１は、図５０のボイスキャンセリングパーティションにおけるマイクロフォン及びスピーカの配置を示す図である。なお、図５０において前述した図１と共通する部分には同一の符号を付けている。
【０３３５】
図５０において、本実施の形態に係るボイスキャンセリングパーティション１４０は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部３３と、防諜音信号発生部４と、アンプ５と、スピーカ７と、を備える。
【０３３６】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。防諜音信号発生部４は、所定の防諜音信号を発生させる。信号合成部３３は、アクティブノイズコントロール処理部３Ａから出力される第１の逆相信号と、アクティブノイズコントロール処理部３Ｂから出力される第２の逆相信号と、防諜音信号発生部４から出力される防諜音信号とを合成する。アンプ５は、信号合成部３３から出力される合成信号を増幅する。スピーカ７は、アンプ５から出力される増幅された合成信号を音声として出力する。
【０３３７】
図５１において、上記マイクロフォン２Ａ，２Ｂ、アクティブノイズコントロール処理部３Ａ，３Ｂ、信号合成部３３、防諜音信号発生部４、アンプ５及びスピーカ７は、縦長箱状体のパーティション本体１４０Ａに収容される。マイクロフォン２Ａは、パーティション本体１４０Ａの内部の上端左隅（図５１に向かって左側の隅）に配置され、マイクロフォン２Ｂは、パーティション本体１４０Ａの内部の上端右隅（図５１に向かって右側の隅）に配置され、スピーカ７は、パーティション本体１４０Ａの内部上面に配置される。なお、パーティション本体１４０Ａは、一般的に会議スペースで使用されているものと略同じサイズのものである。
【０３３８】
本実施の形態に係るボイスキャンセリングパーティション１４０を会議で使用するときは、例えばパーティション本体１４０Ａのマイクロフォン２Ａが配置されている側を隣の会話側（図５１に向かって左側、音源ＳＳ１側）に、マイクロフォン２Ｂが配置されている側をこちらの会話側（図５１に向かって右側、音源ＳＳ２側）に向けて配置する。このように配置することで、隣の会話側（音源ＳＳ１側）からパーティション本体１４０Ａの上方を越えて回り込んでくる音声（回折音）と、こちら側（音源ＳＳ２側）からパーティション本体１４０Ａの上方を越えて回り込んでくる音声（回折音）のそれぞれを抑圧できるとともに、それぞれの回折音の例えば２．５ｋＨｚ以上の子音をマスキングできる。
【０３３９】
このように本実施の形態に係るボイスキャンセリングパーティション１４０によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、また所定の防諜音信号を発生し、生成した第１，第２の逆相信号と、発生した所定の防諜音信号とを合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３４０】
（実施の形態４２）
図５２は、本発明の実施の形態４２に係るボイスキャンセリングパーティションの電気的な構成を示すブロック図である。なお、図５２において前述した図１及び図５と共通する部分には同一の符号を付けている。
【０３４１】
図５２において、本実施の形態に係るボイスキャンセリングパーティション１４１は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、信号合成部３３と、２つの防諜音信号発生部（第１，第２の防諜音信号発生部）４Ａ，４Ｂと、２つの防諜音信号調整部（第１，第２の防諜音信号調整部）９Ａ，９Ｂと、アンプ５と、スピーカ７と、を備える。
【０３４２】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。防諜音信号発生部４Ａは、所定の第１の防諜音信号を発生させる。防諜音信号調整部９Ａは、防諜音信号発生部４Ａから出力される第１の防諜音信号の周波数特性をマイクロフォン２Ａから出力される第１の音声信号の周波数特性に応じて調整する。防諜音信号発生部４Ｂは、所定の第２の防諜音信号を発生させる。防諜音信号調整部９Ｂは、防諜音信号発生部４Ｂから出力される第２の防諜音信号の周波数特性をマイクロフォン２Ｂから出力される第２の音声信号の周波数特性に応じて調整する。信号合成部３３は、アクティブノイズコントロール処理部３Ａから出力される第１の逆相信号と、防諜音信号調整部９Ａから出力される周波数特性が調整された第１の防諜音信号と、アクティブノイズコントロール処理部３Ｂから出力される第２の逆相信号と、防諜音信号調整部９Ｂから出力される周波数特性が調整された第２の防諜音信号とを合成する。アンプ５は、信号合成部３３から出力される合成信号を増幅する。スピーカ７は、アンプ５から出力される増幅された合成信号を音声として出力する。
【０３４３】
なお、本実施の形態に係るボイスキャンセリングパーティション１４１において、マイクロフォン２Ａ，２Ｂとスピーカ７のパーティション本体（図示略）における配置は、前述した図５１における配置と同様である。
【０３４４】
このように本実施の形態に係るボイスキャンセリングパーティション１４１によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、また所定の第１の防諜音信号を発生して、該第１の防諜音信号の周波数特性を第１の音声信号の周波数特性に応じて調整し、また所定の第２の防諜音信号を発生して、該第２の防諜音信号の周波数特性を第２の音声信号の周波数特性に応じて調整し、生成した第１，第２の逆相信号と周波数特性を調整した第１，第２の防諜音信号を合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３４５】
（実施の形態４３）
図５３は、本発明の実施の形態４３に係るボイスキャンセリングパーティションの電気的な構成を示すブロック図である。なお、図５３において前述した図１及び図６と共通する部分には同一の符号を付けている。
【０３４６】
図５３において、本実施の形態に係るボイスキャンセリングパーティション１４２は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号生成部（第１，第２の防諜音信号生成部）１０Ａ，１０Ｂと、信号合成部３３と、アンプ５と、スピーカ７と、を備える。
【０３４７】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。防諜音信号生成部１０Ａは、アクティブノイズコントロール処理部３Ａから出力される第１の逆相信号に基づき第１の防諜音信号を生成する。防諜音信号生成部１０Ｂは、アクティブノイズコントロール処理部３Ｂから出力される第２の逆相信号に基づき第２の防諜音信号を生成する。信号合成部３３は、アクティブノイズコントロール処理部３Ａから出力される第１の逆相信号と、防諜音信号生成部１０Ａから出力される第１の防諜音信号と、アクティブノイズコントロール処理部３Ｂから出力される第２の逆相信号と、防諜音信号生成部１０Ｂから出力される第２の防諜音信号とを合成する。アンプ５は、信号合成部３３から出力される合成信号を増幅する。スピーカ７は、アンプ５から出力される増幅された合成信号を音声として出力する。
【０３４８】
なお、本実施の形態に係るボイスキャンセリングパーティション１４２において、マイクロフォン２Ａ，２Ｂとスピーカ７のパーティション本体（図示略）における配置は、前述した図５１における配置と同様である。
【０３４９】
このように本実施の形態に係るボイスキャンセリングパーティション１４２によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、また第１の逆相信号に基づき第１の防諜音信号を生成するとともに、第２の逆相信号に基づき第２の防諜音信号を生成し、生成した第１，第２の逆相信号及び第１，第２の防諜音信号を合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３５０】
（実施の形態４４）
図５４は、本発明の実施の形態４４に係るボイスキャンセリングパーティションの電気的な構成を示すブロック図である。なお、図５４において前述した図１及び図７と共通する部分には同一の符号を付けている。
【０３５１】
図５４において、本実施の形態に係るボイスキャンセリングパーティション１４３は、２つのマイクロフォン（第１，第２のマイクロフォン）２Ａ，２Ｂと、２つのアクティブノイズコントロール処理部（第１，第２のアクティブノイズコントロール処理部）３Ａ，３Ｂと、２つの防諜音信号生成部（第１，第２の防諜音信号生成部）１１Ａ，１１Ｂと、信号合成部３３と、アンプ５と、スピーカ７と、を備える。
【０３５２】
アクティブノイズコントロール処理部３Ａは、マイクロフォン２Ａから出力される第１の音声信号にアクティブノイズコントロール処理を施して該第１の音声信号に対する第１の逆相信号を生成する。アクティブノイズコントロール処理部３Ｂは、マイクロフォン２Ｂから出力される第２の音声信号にアクティブノイズコントロール処理を施して該第２の音声信号に対する第２の逆相信号を生成する。防諜音信号生成部１１Ａは、マイクロフォン２Ａから出力される第１の音声信号に基づき第１の防諜音信号を生成する。防諜音信号生成部１１Ｂは、マイクロフォン２Ｂから出力される第２の音声信号に基づき第２の防諜音信号を生成する。信号合成部３３は、アクティブノイズコントロール処理部３Ａから出力される第１の逆相信号と、防諜音信号生成部１１Ａから出力される第１の防諜音信号と、アクティブノイズコントロール処理部３Ｂから出力される第２の逆相信号と、防諜音信号生成部１１Ｂから出力される第２の防諜音信号とを合成する。アンプ５は、信号合成部３３から出力される合成信号を増幅する。スピーカ７は、アンプ５から出力される増幅された合成信号を音声として出力する。
【０３５３】
なお、本実施の形態に係るボイスキャンセリングパーティション１４３において、マイクロフォン２Ａ，２Ｂとスピーカ７のパーティション本体（図示略）における配置は、前述した図５１における配置と同様である。
【０３５４】
このように本実施の形態に係るボイスキャンセリングパーティション１４３によれば、マイクロフォン２Ａから出力される第１の音声信号にアクティブノイズコントロール処理を施して該第１の音声信号に対する第１の逆相信号を生成するとともに、マイクロフォン２Ｂから出力される第２の音声信号にアクティブノイズコントロール処理を施して該第２の音声信号に対する第２の逆相信号を生成し、また第１の音声信号に基づき第１の防諜音信号を生成するとともに、第２の音声信号に基づき第２の防諜音信号を生成し、生成した第１，第２の逆相信号及び第１，第２の防諜音信号を合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３５５】
（実施の形態４５）
図５５は、本発明の実施の形態４５に係るボイスキャンセリングパーティションの電気的な構成を示すブロック図である。なお、図５５において前述した図１及び図８と共通する部分には同一の符号を付けている。
【０３５６】
図５５において、本実施の形態に係るボイスキャンセリングパーティション１４４は、２つのマイクロフォン（第１，第２のマイクロフォン）２Ａ，２Ｂと、２つのローパスフィルタ（第１，第２のローパスフィルタ）１２Ａ，１２Ｂと、２つのアクティブノイズコントロール処理部（第１，第２のアクティブノイズコントロール処理部）３Ａ，３Ｂと、２つの防諜音信号発生部（第１，第２の防諜音信号発生部）４Ａ，４Ｂと、信号合成部３３と、アンプ５と、スピーカ７と、を備える。
【０３５７】
ローパスフィルタ１２Ａは、マイクロフォン２Ａから出力される第１の音声信号の低周波成分のみを通過させる。ローパスフィルタ１２Ｂは、マイクロフォン２Ｂから出力される第２の音声信号の低周波成分のみを通過させる。アクティブノイズコントロール処理部３Ａは、ローパスフィルタ２Ａから出力される低周波成分のみにアクティブノイズコントロール処理を施して該低周波成分に対する第１の逆相信号を生成する。アクティブノイズコントロール処理部３Ｂは、ローパスフィルタ２Ｂから出力される低周波成分のみにアクティブノイズコントロール処理を施して該低周波成分に対する第２の逆相信号を生成する。防諜音信号発生部４Ａは、高周波成分のみからなる所定の第１の防諜音信号を発生させる。防諜音信号発生部４Ｂは、高周波成分のみからなる所定の第２の防諜音信号を発生させる。信号合成部３３は、アクティブノイズコントロール処理部３Ａから出力される第１の逆相信号と、アクティブノイズコントロール処理部３Ｂから出力される第２の逆相信号と、防諜音信号発生部４Ａから出力される第１の防諜音信号と、防諜音信号発生部４Ｂから出力される第２の防諜音信号とを合成する。アンプ５は、信号合成部３３から出力される合成信号を増幅する。スピーカ７は、アンプ５から出力される増幅された合成信号を音声として出力する。
【０３５８】
なお、本実施の形態に係るボイスキャンセリングパーティション１４４において、マイクロフォン２Ａ，２Ｂとスピーカ７のパーティション本体（図示略）における配置は、前述した図５１における配置と同様である。
【０３５９】
このように本実施の形態に係るボイスキャンセリングパーティション１４４によれば、マイクロフォン２Ａから出力される第１の音声信号の低周波成分のみを通過させて、第１の音声信号の低周波成分のみにアクティブノイズコントロール処理を施して該低周波成分に対する第１の逆相信号を生成するとともに、マイクロフォン２Ｂから出力される第２の音声信号の低周波成分のみを通過させて、第２の音声信号の低周波成分のみにアクティブノイズコントロール処理を施して該低周波成分に対する第２の逆相信号を生成し、また高周波成分のみからなる所定の第１，第２の防諜音信号を発生し、生成した第１，第２の逆相信号と発生した第１，第２の防諜音信号とを合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３６０】
（実施の形態４６）
図５６は、本発明の実施の形態４６に係るボイスキャンセリングパーティションの電気的な構成を示すブロック図である。なお、図５６において前述した図１、図９及び図１１と共通する部分には同一の符号を付けている。
【０３６１】
図５６において、本実施の形態に係るボイスキャンセリングパーティション１４５は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号発生部（第１，第２の防諜音信号発生部）１４Ａ，１４Ｂと、２つの防諜音信号調整部（第１，第２の防諜音信号調整部）１５Ａ，１５Ｂと、信号合成部３３と、アンプ５と、スピーカ７と、を備える。
【０３６２】
周波数分割器１３Ａは、マイクロフォン２Ａから出力される第１の音声信号を低周波成分と高周波成分とに分割する。周波数分割器１３Ｂは、マイクロフォン２Ｂから出力される第２の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アクティブノイズコントロール処理部３Ｂは、周波数分割器１３Ｂから出力される低周波成分にアクティブノイズコントロール処理を施して該低周波成分に対する第２の逆相信号を生成する。
【０３６３】
防諜音信号発生部１４Ａは、高周波成分のみからなる所定の第１の防諜音信号を発生させる。防諜音信号調整部１５Ａは、防諜音信号発生部１４Ａから出力される第１の防諜音信号の周波数特性を、周波数分割器１３Ａから出力される高周波成分の周波数特性に応じて調整する。防諜音信号発生部１４Ｂは、高周波成分のみからなる所定の第２の防諜音信号を発生させる。防諜音信号調整部１５Ｂは、防諜音信号発生部１４Ｂから出力される第２の防諜音信号の周波数特性を、周波数分割器１３Ｂから出力される高周波成分の周波数特性に応じて調整する。信号合成部３３は、アクティブノイズコントロール処理部３Ａから出力される第１の逆相信号と、防諜音信号調整部１５Ａから出力される周波数特性が調整された第１の防諜音信号と、アクティブノイズコントロール処理部３Ｂから出力される第２の逆相信号と、防諜音信号調整部１５Ｂから出力される周波数特性が調整された第２の防諜音信号とを合成する。アンプ５は、信号合成部３３から出力される合成信号を増幅する。スピーカ７は、アンプ５から出力される増幅された合成信号を音声として出力する。
【０３６４】
なお、本実施の形態に係るボイスキャンセリングパーティション１４５において、マイクロフォン２Ａ，２Ｂとスピーカ７のパーティション本体（図示略）における配置は、前述した図５１における配置と同様である。
【０３６５】
このように本実施の形態に係るボイスキャンセリングパーティション１４５によれば、マイクロフォン２Ａから出力される第１の音声信号を低周波成分と高周波成分とに分割するとともに、マイクロフォン２Ｂから出力される第２の音声信号を低周波成分と高周波成分とに分割し、第１の音声信号の低周波成分にアクティブノイズコントロール処理を施して該低周波成分に対する第１の逆相信号を生成し、また第２の音声信号の低周波成分にアクティブノイズコントロール処理を施して該低周波成分に対する第２の逆相信号を生成し、また高周波成分のみからなる所定の第１の防諜音信号を発生して、該第１の防諜音信号の周波数特性を、第１の音声信号の高周波成分の周波数特性に応じて調整し、また高周波成分のみからなる所定の第２の防諜音信号を発生して、該第２の防諜音信号の周波数特性を、第２の音声信号の高周波成分の周波数特性に応じて調整し、生成した第１，第２の逆相信号と、周波数特性を調整した第１，第２の防諜音信号とを合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３６６】
（実施の形態４７）
図５７は、本発明の実施の形態４７に係るボイスキャンセリングパーティションの電気的な構成を示すブロック図である。なお、図５７において前述した図１、図９及び図１１と共通する部分には同一の符号を付けている。
【０３６７】
図５７において、本実施の形態に係るボイスキャンセリングパーティション１４６は、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号生成部（第１，第２の防諜音信号生成部）１６Ａ，１６Ｂと、信号合成部３３と、アンプ５と、スピーカ７と、を備える。
【０３６８】
周波数分割器１３Ａは、マイクロフォン２Ａから出力される第１の音声信号を低周波成分と高周波成分とに分割する。周波数分割器１３Ｂは、マイクロフォン２Ｂから出力される第２の音声信号を低周波成分と高周波成分とに分割する。アクティブノイズコントロール処理部３Ａは、周波数分割器１３Ａから出力される低周波成分にアクティブノイズコントロール処理を施して該低周波成分に対する第１の逆相信号を生成する。アクティブノイズコントロール処理部３Ｂは、周波数分割器１３Ｂから出力される低周波成分にアクティブノイズコントロール処理を施して該低周波成分に対する第２の逆相信号を生成する。
【０３６９】
防諜音信号生成部１６Ａは、周波数分割器１３Ａから出力される高周波成分に基づき第１の防諜音信号を生成する。防諜音信号生成部１６Ｂは、周波数分割器１３Ｂから出力される高周波成分に基づき第２の防諜音信号を生成する。信号合成部３３は、アクティブノイズコントロール処理部３Ａから出力される第１の逆相信号と、防諜音信号生成部１６Ａから出力される第１の防諜音信号と、アクティブノイズコントロール処理部３Ｂから出力される第２の逆相信号と、防諜音信号生成部１６Ｂから出力される第２の防諜音信号とを合成する。アンプ５は、信号合成部３３から出力される合成信号を増幅する。スピーカ７は、アンプ５から出力される増幅された合成信号を音声として出力する。
【０３７０】
なお、本実施の形態に係るボイスキャンセリングパーティション１４６において、マイクロフォン２Ａ，２Ｂとスピーカ７のパーティション本体（図示略）における配置は、前述した図５１における配置と同様である。
【０３７１】
このように本実施の形態に係るボイスキャンセリングパーティション１４６によれば、マイクロフォン２Ａから出力される第１の音声信号を低周波成分と高周波成分とに分割するとともに、マイクロフォン２Ｂから出力される第２の音声信号を低周波成分と高周波成分とに分割し、第１の音声信号の低周波成分にアクティブノイズコントロール処理を施して該低周波成分に対する第１の逆相信号を生成し、また第２の音声信号の低周波成分にアクティブノイズコントロール処理を施して該低周波成分に対する第２の逆相信号を生成し、また第１の音声信号の高周波成分に基づき第１の防諜音信号を生成し、また第２の音声信号の高周波成分に基づき第２の防諜音信号を生成し、生成した第１，第２の逆相信号及び第１，第２の防諜音信号を合成し、合成信号を増幅して音声として出力するので、マイクロフォン２Ａが集音する集音側とマイクロフォン２Ｂが集音する集音側それぞれにおける会話音の音圧レベルを低減できるとともに、アクティブノイズコントロール処理だけでは低減し難い会話音の子音部分を防諜音によって不明瞭にできる。即ち、会話音の音圧レベルを低減させながら、秘話特性を向上させることができる。
【０３７２】
（実施の形態４８）
図５８は、本発明の実施の形態４８に係るボイスキャンセリングユニットの概略構成を示す図である。図５９は、図５８のボイスキャンセリングユニットを複数個（本実施の形態では、６個）パーティションに取り付けた状態を示す斜視図である。なお、図５８において前述した図５７と共通する部分には同一の符号を付けている。
【０３７３】
図５８において、本実施の形態に係るボイスキャンセリングユニット５０は、パーティション（既存のパーティション）２００の上部に嵌め込んで取り付け可能な断面コ字状に形成されている。本実施の形態に係るボイスキャンセリングユニット５０の電気的な構成は、図５７に示す実施の形態４７に係るボイスキャンセリングパーティション１４６と同様に、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号生成部（第１，第２の防諜音信号生成部）１６Ａ，１６Ｂと、信号合成部３３と、アンプ５と、スピーカ７と、を備える。
【０３７４】
マイクロフォン２Ａはユニット本体内の音源ＳＳ１側の面に配置され、またマイクロフォン２Ｂはユニット本体内の音源ＳＳ１側の面と反対側にある音源ＳＳ２側の面に配置され、スピーカ７はユニット本体内の上面に配置される。
【０３７５】
本実施の形態に係るボイスキャンセリングユニット５０は、実施の形態４７に係るボイスキャンセリングパーティション１４６と同様の機能を有することから、隣同士の会話音の音圧レベルを低減できるとともに、それぞれの会話音の子音部分を防諜音によって不明瞭にできる。即ち、隣同士の会話音の音圧レベルを低減させながら、それぞれにおける秘話特性を向上させることができる。なお、パーティション２００に取り付けるボイスキャンセリングユニット５０の個数は、多い方が効果大となることは言うまでもないことである。
【０３７６】
（実施の形態４９）
図６０は、本発明の実施の形態４９に係るボイスキャンセリングユニットの概略構成を示す図である。なお、図６０において前述した図４９と共通する部分には同一の符号を付けている。
【０３７７】
図６０において、本実施の形態に係るボイスキャンセリングユニット６０は、パーティション（既存のパーティション）２００の上部に嵌め込んで取り付け可能な断面コ字状に形成されている。本実施の形態に係るボイスキャンセリングユニット６０の電気的な構成は、図４９に示す実施の形態４０に係るボイスキャンセリングパーティション１３９と同様に、２つのマイクロフォン（第１，第２のマイクロフォン）２Ａ，２Ｂと、２つの周波数分割器（第１，第２の周波数分割器）１３Ａ，１３Ｂと、２つのアクティブノイズコントロール処理部（第１，第２のアクティブノイズコントロール処理部）３Ａ，３Ｂと、２つの防諜音信号生成部（第１，第２の防諜音信号生成部）１６Ａ，１６Ｂと、信号合成部１７と、３つのアンプ（第１〜第３のアンプ）５，２６，２８と、３つのスピーカ（第１〜第３のスピーカ）７，２７，２９と、を備える。
【０３７８】
マイクロフォン２Ａはユニット本体内の第１の音源ＳＳ１側の面に配置され、マイクロフォン２Ｂはユニット本体内の第１の音源ＳＳ１側の面と反対側にある第２の音源ＳＳ２側の面に配置される。また、スピーカ７はユニット本体内の上面に配置され、スピーカ２９はユニット本体内の第２の音源ＳＳ２側の面に配置され、スピーカ２７はユニット本体の第１の音源ＳＳ１側の面に配置される。
【０３７９】
本実施の形態に係るボイスキャンセリングユニット６０は、実施の形態４０に係るボイスキャンセリングパーティション１３９と同様の機能を有することから、隣同士の会話音の音圧レベルを低減できるとともに、それぞれの会話音の子音部分を防諜音によって不明瞭にできる。即ち、隣同士の会話音の音圧レベルを低減させながら、それぞれにおける秘話特性を向上させることができる。
【０３８０】
なお、上述した実施の形態４８に係るボイスキャンセリングユニット５０は、実施の形態４７に係るボイスキャンセリングパーティション１４６と同様の構成を有し、また上述した実施の形態４９に係るボイスキャンセリングユニット６０は、実施の形態４０に係るボイスキャンセリングパーティション１３９と同様の構成を有するが、これらの構成に限定されるものではなく、他の実施の形態に係るボイスキャンセリングパーティションと同様の構成を有するものであってもよい。
【産業上の利用可能性】
【０３８１】
本発明は、会話音の音圧レベルを低減させながら、秘話特性を向上させることができるといった効果を有し、会議スペースなどで用いられているパーティションへの適用が可能である。
【符号の説明】
【０３８２】
１００，１０１，１０２，１０３，１０４  ボイスキャンセリングパーティション
１０５，１０６，１０７，１０８，１０９  ボイスキャンセリングパーティション
１１０，１１１，１１２，１１３，１１４  ボイスキャンセリングパーティション
１１５，１１６，１１７，１１８，１１９  ボイスキャンセリングパーティション
１２０，１２１，１２２，１２３，１２４  ボイスキャンセリングパーティション
１２５，１２６，１２７，１２８，１２９  ボイスキャンセリングパーティション
１３０，１３１，１３２，１３３，１３４  ボイスキャンセリングパーティション
１３５，１３６，１３７，１３８，１３９  ボイスキャンセリングパーティション
１４０，１４１，１４２，１４３，１４４  ボイスキャンセリングパーティション
１４５，１４６  ボイスキャンセリングパーティション
１００Ａ，１０９Ａ，１１０Ａ  パーティション本体
１２０Ａ，１３０Ａ，１４０Ａ  パーティション本体
２，２Ａ，２Ｂ  マイクロフォン
３，３Ａ，３Ｂ  アクティブノイズコントロール処理部
１０，１０Ａ，１０Ｂ，１１，１１Ａ，１１Ｂ  防諜音信号生成部
１６，１６Ａ，１６Ｂ  防諜音信号生成部
５，６，６Ａ，２６，２６Ａ，２８，２８Ａ  アンプ
７，８，２７，２９  スピーカ
９，９Ａ，９Ｂ，１５，１５Ａ，１５Ｂ  防諜音信号調整部
１８，１９，２０，２１  防諜音信号調整部
１２，１２Ａ，１２Ｂ  ローパスフィルタ
１３，１３Ａ，１３Ｂ  周波数分割器
４，４Ａ，４Ｂ，１４，１４Ａ，１４Ｂ  防諜音信号発生部
１７，３３  信号合成部
５０，６０  ボイスキャンセリングユニット
２００  パーティション
【図１】
2014228680.tif 000003
【図２】
2014228680.tif 000004
【図３】
2014228680.tif 000005
【図４】
2014228680.tif 000006
【図５】
2014228680.tif 000007
【図６】
2014228680.tif 000008
【図７】
2014228680.tif 000009
【図８】
2014228680.tif 000010
【図９】
2014228680.tif 000011
【図１０】
2014228680.tif 000012
【図１１】
2014228680.tif 000013
【図１２】
2014228680.tif 000014
【図１３】
2014228680.tif 000015
【図１４】
2014228680.tif 000016
【図１５】
2014228680.tif 000017
【図１６】
2014228680.tif 000018
【図１７】
2014228680.tif 000019
【図１８】
2014228680.tif 000020
【図１９】
2014228680.tif 000021
【図２０】
2014228680.tif 000022
【図２１】
2014228680.tif 000023
【図２２】
2014228680.tif 000024
【図２３】
2014228680.tif 000025
【図２４】
2014228680.tif 000026
【図２５】
2014228680.tif 000027
【図２６】
2014228680.tif 000028
【図２７】
2014228680.tif 000029
【図２８】
2014228680.tif 000030
【図２９】
2014228680.tif 000031
【図３０】
2014228680.tif 000032
【図３１】
2014228680.tif 000033
【図３２】
2014228680.tif 000034
【図３３】
2014228680.tif 000035
【図３４】
2014228680.tif 000036
【図３５】
2014228680.tif 000037
【図３６】
2014228680.tif 000038
【図３７】
2014228680.tif 000039
【図３８】
2014228680.tif 000040
【図３９】
2014228680.tif 000041
【図４０】
2014228680.tif 000042
【図４１】
2014228680.tif 000043
【図４２】
2014228680.tif 000044
【図４３】
2014228680.tif 000045
【図４４】
2014228680.tif 000046
【図４５】
2014228680.tif 000047
【図４６】
2014228680.tif 000048
【図４７】
2014228680.tif 000049
【図４８】
2014228680.tif 000050
【図４９】
2014228680.tif 000051
【図５０】
2014228680.tif 000052
【図５１】
2014228680.tif 000053
【図５２】
2014228680.tif 000054
【図５３】
2014228680.tif 000055
【図５４】
2014228680.tif 000056
【図５５】
2014228680.tif 000057
【図５６】
2014228680.tif 000058
【図５７】
2014228680.tif 000059
【図５８】
2014228680.tif 000060
【図５９】
2014228680.tif 000061
【図６０】
2014228680.tif 000062
【図６１】
2014228680.tif 000063
【図６２】
2014228680.tif 000064